(57)【要約】【課題】情報送信方法及びユーザ装置を提供する。【解決手段】本発明の実施例は、情報送信方法を提供し、第１のUEにより、第１のUEの第１の速度情報を決定するステップと、第１のUEにより、第１の速度情報に基づいて制御情報の送信方式を決定するステップと、第１のUEにより、第１のリンク上でその送信方式で制御情報を送出するステップとを含む。本発明の実施例では、第１のUEは、第１の速度情報に基づいて制御情報の送信方式を決定してもよい。第１のUEが高速UEである場合、適切な送信方式が高速UEのために選択でき、それにより、高速UEの送信要件を満たし、送信成功率を確保する。【選択図】図４
2020092446.tif 000002
【特許請求の範囲】
【請求項１】
第１のユーザ装置UEにより、前記第１のUEの第１の速度情報を決定するステップと、
前記第１のUEにより、前記第１の速度情報に基づいて制御情報の送信方式を決定するステップと、
前記第１のUEにより、第１のリンク上で前記送信方式で前記制御情報を送出するステップと
を含む情報送信方法。
【請求項２】
前記送信方式は、以下のもの、すなわち、
前記制御情報により使用される送信リソース、
前記制御情報の巡回冗長検査CRCマスク、
前記制御情報のスクランブル系列、
前記制御情報を搬送する制御チャネルにより使用される復調参照信号、
前記制御情報を送信するために占有される物理リソースのサイズ、
前記制御情報により使用される変調及び符号化方式MCS、並びに
前記制御情報の送信回数
のうち少なくとも１つを含む、請求項１に記載の方法。
【請求項３】
前記第１のUEにより、前記第１の速度情報に基づいて制御情報の送信方式を決定する前に、
前記第１のUEにより、第２のリンク上で前記第１の速度情報を第１の基地局に送出するステップであり、前記第１の速度情報は、前記第１のUEの速度又は前記第１のUEの速度等級情報を含む、ステップ
を更に含む、請求項１又は２に記載の方法。
【請求項４】
前記第１のUEにより、第２のリンク上で前記第１の速度情報を第１の基地局に送出するステップは、
前記第１のUEにより、前記第２のリンク上で前記第１の速度情報を前記第１の基地局に周期的に送出するステップ、又は
前記第１のUEの前記速度が変化したとき、前記第１のUEにより、前記第２のリンク上で前記第１の速度情報を前記第１の基地局に送出するステップ、又は
前記第１の基地局から前記第１のUEの速度情報を報告する命令を受信した後に、前記第１のUEにより、前記第２のリンク上で前記第１の速度情報を前記第１の基地局に送出するステップ
を含む、請求項３に記載の方法。
【請求項５】
前記第１のUEにより、前記第１の速度情報に基づいて制御情報の送信方式を決定するステップは、
前記第１のUEが、前記第１の速度情報に基づいて、前記第１のUEが第１のタイプのUEであると決定した場合、前記制御情報の前記送信方式が第１の送信方式であると決定するステップ、又は
前記第１のUEが、前記第１の速度情報に基づいて、前記第１のUEが第２のタイプのUEであると決定した場合、前記制御情報の前記送信方式が第２の送信方式であると決定するステップ
を含み、
前記第１のタイプのUEは非高速UEであり、前記第２のタイプのUEは高速UEである、請求項１乃至４のうちいずれか１項に記載の方法。
【請求項６】
前記第１の送信方式は第１の送信リソースを含み、前記第２の送信方式は第２の送信リソースを含み、
前記第１のUEにより、前記第１の速度情報に基づいて制御情報の送信方式を決定するステップは、
前記第１のUEが、前記第１の速度情報に基づいて、前記第１のUEが前記第１のタイプのUEであると決定した場合、第１のリソースセット又は前記第１のリソースセットの第１のリソースサブセットから前記第１の送信リソースを決定するステップであり、前記第１のリソースサブセットは予め規定される、ステップ、又は
前記第１のUEが、前記第１の速度情報に基づいて、前記第１のUEが前記第２のタイプのUEであると決定した場合、第２のリソースセット又は前記第２のリソースセットの第２のリソースサブセットから前記第２の送信リソースを決定するステップであり、前記第２のリソースサブセットは予め規定される、ステップ
を含む、請求項５に記載の方法。
【請求項７】
前記第１のUEにより、前記第１の速度情報に基づいて制御情報の送信方式を決定する前に、
前記第１のUEにより、前記第２のリンク上で、前記第１の基地局により送出された第１の指示情報を受信するステップであり、前記第１の指示情報は、前記第１のリソースセット及び前記第２のリソースセットを示すために使用される、ステップ
を更に含む、請求項６に記載の方法。
【請求項８】
前記第１のリソースセット及び前記第２のリソースセットは同じリソースセットであるか、或いは前記第２のリソースセットは前記第１のリソースセットのサブセットである、請求項６又は７に記載の方法。
【請求項９】
前記制御情報は前記第１の速度情報を含み、
前記第１のUEにより、第１のリンク上で前記送信方式で前記制御情報を送出するステップは、
前記第１のUEにより、前記第１のリンク上で前記送信方式で前記第１の速度情報を第２のUEに送出するステップ
を含む、請求項１乃至８のうちいずれか１項に記載の方法。
【請求項１０】
前記制御情報はサービスタイプを示すために使用され、前記サービスタイプはセキュリティタイプ又は非セキュリティタイプである、請求項１乃至９のうちいずれか１項に記載の方法。
【請求項１１】
前記第１のUEにより、前記第１のリンク上で同期信号を送出するステップであり、前記同期信号は、サービスタイプを示すために使用され、前記サービスタイプはセキュリティタイプ又は非セキュリティタイプである、請求項１乃至９のうちいずれか１項に記載の方法。
【請求項１２】
前記第１のUEにより、第４の送信リソースを使用することにより、前記第１のリンク上でデータを送出するステップを更に含み、
前記第４の送信リソースは、前記制御情報により示される、請求項１乃至１１のうちいずれか１項に記載の方法。
【請求項１３】
前記制御情報は、前記データの送信回数及び前記データの各送信に使用される時間周波数リソースを示す、請求項１２に記載の方法。
【請求項１４】
前記データの前記送信回数が1より多く、同じ周波数ドメインリソースが前記データの各送信に使用され、
前記第４の送信リソースは、前記同じ周波数ドメインリソースと、前記データの前記１回より多い送信に１対１に対応する複数の時間ドメインリソースとを含む、請求項１３に記載の方法。
【請求項１５】
前記データの前記送信回数がNであり、
前記第４の送信リソースは前記N回の送信のうちM回に使用される時間周波数リソースを含み、それにより、前記制御情報の受信端は、前記制御情報に含まれる前記M回の送信に使用される前記時間周波数リソースに基づいて、前記N回の送信に使用される時間周波数リソースを決定し、M＜Nであり、M及びNは正の整数である、請求項１３に記載の方法。
【請求項１６】
前記第１のUEにより、第４の送信リソースを使用することにより、前記第１のリンク上でデータを送出するステップは、
前記第１のUEにより、前記第４の送信リソースを使用することにより、前記第１のリンク上で前記データ及び第１の系列を送出するステップ
を含み、
前記第１の系列は、予め規定された長さのZC系列セットから予め規定された第２の系列を除去することにより決定される、請求項１３乃至１５のうちいずれか１項に記載の方法。
【請求項１７】
前記制御情報及び前記データは同じサブフレームに位置し、
前記制御情報を送出するステップは、
前記制御情報の第１の送信電力及び前記データの第２の送信電力を決定するステップと、
前記第１の送信電力と前記第２の送信電力との和が最大送信電力より大きい場合、前記第１の送信電力を第１の換算値で乗算することにより取得された値を第１の電力として使用し、前記第２の送信電力を第２の換算値で乗算することにより取得された値を第２の電力として使用し、それにより、前記第１の電力と前記第２の電力との和が前記最大送信電力以下になるステップと、
前記第１の電力を使用することにより前記制御情報を送出し、前記第２の電力を使用することにより前記データを送出するステップと
を含み、
前記第１の換算値及び前記第２の換算値は等しいか、或いは等しくない、請求項１３乃至１６のうちいずれか１項に記載の方法。
【請求項１８】
前記第１のUEが前記第２のタイプのUEであるとき、前記第１のUEにより、第５の送信リソースを使用することにより、前記第２のリンク上で前記第１のリンクのデータを第２の基地局に送出するステップ
を更に含み、
前記第２のタイプのUEは高速UEであり、前記第２の基地局は、前記データの受信端のサービング基地局である、請求項１乃至１７のうちいずれか１項に記載の方法。
【請求項１９】
前記第２のリンク上で前記第１のリンクのデータを第２の基地局に送出する前に、
前記第１のUEにより、リソース要求情報を前記第１の基地局に送出するステップであり、前記リソース要求情報は、速度に関するスケジューリング要求SR又はバッファ状態レポートBSRである、ステップと、
前記第１のUEにより、前記第１の基地局により送出された前記第５の送信リソースの指示情報を受信するステップと
を更に含む、請求項１８に記載の方法。
【請求項２０】
前記第１のユーザ装置UEにより、前記第１のUEの第１の速度情報を決定するステップと、
前記第１のUEにより、前記第１の速度情報に基づいて前記第１のUEの同期源を決定するステップと
を含む情報送信方法。
【請求項２１】
前記第１のUEにより、前記第１の速度情報に基づいて前記第１のUEの同期源を決定するステップは、
前記第１のUEが、前記第１の速度情報に基づいて、前記第１のUEが第１のタイプのUEであると決定した場合、前記第１のUEは、予め設定された情報に従って前記同期源を決定し、前記予め設定された情報が、前記同期源が全地球衛星測位システムGNSSであることを示す場合、前記第１のUEにより、前記同期源が前記GNSSであると優先的に決定するステップ、又は
前記第１のUEが、前記第１の速度情報に基づいて、前記第１のUEが第２のタイプのUEであると決定した場合、前記第１のUEにより、前記同期源がGNSSであると優先的に決定するステップ
を含み、
前記第１のタイプのUEは非高速UEであり、前記第２のタイプのUEは高速UEである、請求項２０に記載の方法。
【請求項２２】
前記第１のUEにより、前記同期源がGNSSであると優先的に決定するステップは、
GNSS信号が前記第１のUEにより検出された場合、前記第１のUEにより、前記GNSSを前記同期源として使用するステップ、又は
GNSS信号が前記第１のUEにより検出されない場合、前記第１のUEにより、前記同期源が第１の基地局又は第２のUEであると決定するステップであり、前記第１の基地局は、前記第１のUEのサービング基地局であり、前記第２のUEは、前記GNSSと直接同期したUEある、請求項２１に記載の方法。
【請求項２３】
GNSS信号が前記第１のUEにより検出されることは、
GNSS信号が前記第１のUEにより検出されない場合、前記第１のUEがタイマを開始し、次に、前記GNSS信号が前記タイマの持続時間内に検出されること、及び／又は
信号強度が予め設定された信号強度閾値以上であるGNSS信号が前記第１のUEにより検出されること
を含む、請求項２２に記載の方法。
【請求項２４】
GNSS信号が前記第１のUEにより検出されないことは、
GNSS信号が前記第１のUEにより検出されない場合、前記第１のUEがタイマを開始し、前記GNSS信号が前記タイマの持続時間内に依然として検出されないこと、及び／又は
信号強度が前記予め設定された信号強度未満であるGNSS信号が前記第１のUEにより検出されること
を含む、請求項２２に記載の方法。
【請求項２５】
第１のユーザ装置UEにより、制御情報に基づいてスケジューリングされたデータの送信回数を決定し、前記データの前記送信回数に基づいて前記制御情報の送信方式を決定するステップと、
前記第１のUEにより、第１のリンク上で前記送信方式で前記制御情報を送出するステップと
を含む情報送信方法。
【請求項２６】
前記送信方式は、以下のもの、すなわち、
前記制御情報により使用される送信リソース、
前記制御情報の巡回冗長検査CRCマスク、
前記制御情報のスクランブル系列、
前記制御情報を搬送する制御チャネルにより使用される復調参照信号、
前記制御情報を送信するために占有される物理リソースのサイズ、
前記制御情報により使用される変調及び符号化方式MCS、並びに
前記制御情報の送信回数
のうち少なくとも１つを含む、請求項２５に記載の方法。
【請求項２７】
前記データの送信回数が異なるとき、前記制御情報内の有効フィールドが異なる、請求項２５又は２６に記載の方法。
【請求項２８】
前記制御情報は、前記データの前記送信回数及び前記データの各送信に使用される時間周波数リソースの指示情報を含む、請求項２５乃至２７のうちいずれか１項に記載の方法。
【請求項２９】
前記データの前記送信回数がNであり、前記制御情報は、前記N回の送信のうちM回に使用される時間周波数リソースを含み、それにより、前記制御情報の受信端は、前記制御情報に含まれる前記M回の送信に使用される前記時間周波数リソースに基づいて、前記N回の送信に使用される時間周波数リソースを決定し、M＜Nであり、M及びNは正の整数である、請求項２８に記載の方法。
【請求項３０】
前記データの前記送信回数が1より多く、同じ周波数ドメインリソースが前記データの各送信に使用され、
前記制御情報は、前記同じ周波数ドメインリソースと、前記データの前記１回より多い送信に１対１に対応する複数の時間ドメインリソースとを含む、請求項２８に記載の方法。
【請求項３１】
前記制御情報は、現在の送信回数の指示情報を含み、及び／又は
前記制御情報は、前記第１のUEの速度指示情報を含む、請求項２５乃至３０のうちいずれか１項に記載の方法。
【請求項３２】
前記制御情報に基づいて前記第１のリンク上で前記データを送出するステップ
を更に含む、請求項２５乃至３１のうちいずれか１項に記載の方法。
【請求項３３】
前記制御情報及び前記データは同じサブフレームに位置し、
前記制御情報を送出するステップは、
前記制御情報の第１の送信電力及び前記データの第２の送信電力を決定するステップと、
前記第１の送信電力と前記第２の送信電力との和が最大送信電力より大きい場合、前記第１の送信電力を第１の換算値で乗算することにより取得された値を第１の電力として使用し、前記第２の送信電力を第２の換算値で乗算することにより取得された値を第２の電力として使用し、それにより、前記第１の電力と前記第２の電力との和が前記最大送信電力以下になるステップと、
前記第１の電力を使用することにより前記制御情報を送出し、前記第２の電力を使用することにより前記データを送出するステップと
を含み、
前記第１の換算値及び前記第２の換算値は等しいか、或いは等しくない、請求項２５乃至３２のうちいずれか１項に記載の方法。
【請求項３４】
ユーザ装置UEであり、前記UEは第１のUEであるユーザ装置UEであって、
前記第１のUEの第１の速度情報を決定するように構成された処理ユニットであり、前記処理ユニットは、前記第１の速度情報に基づいて制御情報の送信方式を決定するように更に構成される、処理ユニットと、
第１のリンク上で、前記処理ユニットにより決定された前記送信方式で前記制御情報を送出するように構成された送出ユニットと
を含むユーザ装置UE。
【請求項３５】
前記送信方式は、以下のもの、すなわち、
前記制御情報により使用される送信リソース、
前記制御情報の巡回冗長検査CRCマスク、
前記制御情報のスクランブル系列、
前記制御情報を搬送する制御チャネルにより使用される復調参照信号、
前記制御情報を送信するために占有される物理リソースのサイズ、
前記制御情報により使用される変調及び符号化方式MCS、並びに
前記制御情報の送信回数
のうち少なくとも１つを含む、請求項３４に記載のユーザ装置。
【請求項３６】
前記送出ユニットは、第２のリンク上で前記第１の速度情報を第１の基地局に送出するように更に構成され、前記第１の速度情報は、前記第１のUEの速度又は前記第１のUEの速度等級情報を含む、請求項３４又は３５に記載のユーザ装置。
【請求項３７】
受信ユニットを更に含み、
前記送出ユニットは、
前記第２のリンク上で前記第１の速度情報を前記第１の基地局に周期的に送出するか、或いは
前記第１のUEの前記速度が変化したとき、前記第２のリンク上で前記第１の速度情報を前記第１の基地局に送出するか、或いは
前記受信ユニットが前記第１の基地局から前記第１のUEの速度情報を報告する命令を受信した後に、前記第２のリンク上で前記第１の速度情報を前記第１の基地局に送出する
ように具体的に構成される、請求項３６に記載のユーザ装置。
【請求項３８】
前記処理ユニットは、
前記第１の速度情報に基づいて、前記第１のUEが第１のタイプのUEであると決定された場合、前記制御情報の前記送信方式が第１の送信方式であると決定するか、或いは
前記第１の速度情報に基づいて、前記第１のUEが第２のタイプのUEであると決定された場合、前記制御情報の前記送信方式が第２の送信方式であると決定する
ように具体的に構成され、
前記第１のタイプのUEは非高速UEであり、前記第２のタイプのUEは高速UEである、請求項３４乃至３７のうちいずれか１項に記載のユーザ装置。
【請求項３９】
前記第１の送信方式は第１の送信リソースを含み、前記第２の送信方式は第２の送信リソースを含み、
前記処理ユニットは、
前記第１の速度情報に基づいて、前記第１のUEが前記第１のタイプのUEであると決定された場合、第１のリソースセット又は前記第１のリソースセットの第１のリソースサブセットから前記第１の送信リソースを決定し、前記第１のリソースサブセットは予め規定されるか、或いは
前記第１の速度情報に基づいて、前記第１のUEが前記第２のタイプのUEであると決定された場合、第２のリソースセット又は前記第２のリソースセットの第２のリソースサブセットから前記第２の送信リソースを決定し、前記第２のリソースサブセットは予め規定される
ように具体的に構成される、請求項３８に記載のユーザ装置。
【請求項４０】
前記第２のリンク上で、前記第１の基地局により送出された第１の指示情報を受信するように構成された受信ユニットであり、前記第１の指示情報は、前記第１のリソースセット及び前記第２のリソースセットを示すために使用される、受信ユニット
を更に含む、請求項３９に記載のユーザ装置。
【請求項４１】
前記第１のリソースセット及び前記第２のリソースセットは同じリソースセットであるか、或いは前記第２のリソースセットは前記第１のリソースセットのサブセットである、請求項３９又は４０に記載のユーザ装置。
【請求項４２】
前記制御情報は前記第１の速度情報を含み、
前記送出ユニットは、前記第１のリンク上で前記送信方式で前記第１の速度情報を第２のUEに送出するように具体的に構成される、請求項３４乃至４１のうちいずれか１項に記載のユーザ装置。
【請求項４３】
前記制御情報はサービスタイプを示すために使用され、前記サービスタイプはセキュリティタイプ又は非セキュリティタイプである、請求項３４乃至４２のうちいずれか１項に記載のユーザ装置。
【請求項４４】
前記送出ユニットは、前記第１のリンク上で同期信号を送出するように更に構成され、前記同期信号は、サービスタイプを示すために使用され、前記サービスタイプはセキュリティタイプ又は非セキュリティタイプである、請求項３４乃至４２のうちいずれか１項に記載のユーザ装置。
【請求項４５】
前記送出ユニット、第４の送信リソースを使用することにより、前記第１のリンク上でデータを送出するように更に構成され、
前記第４の送信リソースは、前記制御情報により示される、請求項３４乃至４４のうちいずれか１項に記載のユーザ装置。
【請求項４６】
前記制御情報は、前記データの送信回数及び前記データの各送信に使用される時間周波数リソースを示す、請求項４５に記載のユーザ装置。
【請求項４７】
前記データの前記送信回数が1より多く、同じ周波数ドメインリソースが前記データの各送信に使用され、
前記第４の送信リソースは、前記同じ周波数ドメインリソースと、前記データの前記１回より多い送信に１対１に対応する複数の時間ドメインリソースとを含む、請求項４６に記載のユーザ装置。
【請求項４８】
前記データの前記送信回数がNであり、
前記第４の送信リソースは前記N回の送信のうちM回に使用される時間周波数リソースを含み、それにより、前記制御情報の受信端は、前記制御情報に含まれる前記M回の送信に使用される前記時間周波数リソースに基づいて、前記N回の送信に使用される時間周波数リソースを決定し、M＜Nであり、M及びNは正の整数である、請求項４６に記載のユーザ装置。
【請求項４９】
前記送出ユニットは、前記第４の送信リソースを使用することにより、前記第１のリンク上で前記データ及び第１の系列を送出するように具体的に構成され、
前記第１の系列は、予め規定された長さのZC系列セットから予め規定された第２の系列を除去することにより決定される、請求項４６乃至４８のうちいずれか１項に記載のユーザ装置。
【請求項５０】
前記制御情報及び前記データは同じサブフレームに位置し、
前記処理ユニットは、前記制御情報の第１の送信電力及び前記データの第２の送信電力を決定し、前記第１の送信電力と前記第２の送信電力との和が最大送信電力より大きい場合、前記第１の送信電力を第１の換算値で乗算することにより取得された値を第１の電力として使用し、前記第２の送信電力を第２の換算値で乗算することにより取得された値を第２の電力として使用し、それにより、前記第１の電力と前記第２の電力との和が前記最大送信電力以下になるように更に構成され、
前記送出ユニットは、前記処理ユニットにより決定された前記第１の電力を使用することにより前記制御情報を送出し、前記処理ユニットにより決定された前記第２の電力を使用することにより前記データを送出するように具体的に構成され
前記第１の換算値及び前記第２の換算値は等しいか、或いは等しくない、請求項４６乃至４９のうちいずれか１項に記載のユーザ装置。
【請求項５１】
前記送出ユニットは、前記第１のUEが前記第２のタイプのUEであるとき、第５の送信リソースを使用することにより、前記第２のリンク上で前記第１のリンクのデータを第２の基地局に送出するように更に構成され、
前記第２のタイプのUEは高速UEであり、前記第２の基地局は、前記データの受信端のサービング基地局である、請求項３４乃至５０のうちいずれか１項に記載のユーザ装置。
【請求項５２】
前記受信ユニットを更に含み、
前記送出ユニットは、リソース要求情報を前記第１の基地局に送出するように更に構成され、前記リソース要求情報は、速度に関するスケジューリング要求SR又はバッファ状態レポートBSRであり、
前記受信ユニットは、前記第１の基地局により送出された前記第５の送信リソースの指示情報を受信するように構成される、請求項５１に記載のユーザ装置。
【請求項５３】
ユーザ装置UEであり、前記UEは第１のUEであるユーザ装置UEであって、
前記第１のUEの第１の速度情報を決定するように構成された第１の決定ユニットと、
前記第１の決定ユニットにより決定された前記第１の速度情報に基づいて前記第１のUEの同期源を決定するように構成された第２の決定ユニットと
を含むユーザ装置UE。
【請求項５４】
前記第２の決定ユニットは、
前記第１の速度情報に基づいて、前記第１のUEが第１のタイプのUEであると決定された場合、予め設定された情報に従って前記同期源を決定し、前記予め設定された情報が、前記同期源が全地球衛星測位システムGNSSであることを示す場合、前記第１のUEは、前記同期源が前記GNSSであると優先的に決定するか、或いは
前記第１の速度情報に基づいて、前記第１のUEが第２のタイプのUEであると決定した場合、前記同期源がGNSSであると優先的に決定する
ように具体的に構成され、
前記第１のタイプのUEは非高速UEであり、前記第２のタイプのUEは高速UEである、請求項５３に記載のユーザ装置。
【請求項５５】
前記第２の決定ユニットは、
GNSS信号が検出された場合、前記GNSSを前記同期源として使用するか、或いは
GNSS信号が検出されない場合、前記同期源が第１の基地局又は第２のUEであると決定し、前記第１の基地局は、前記第１のUEのサービング基地局であり、前記第２のUEは、前記GNSSと直接同期したUEある
ように具体的に構成される、請求項５４に記載のユーザ装置。
【請求項５６】
GNSS信号が前記第２の決定ユニットにより検出されることは、
GNSS信号が前記第２の決定ユニットにより検出されない場合、前記第２の決定ユニットがタイマを開始し、次に、前記GNSS信号が前記タイマの持続時間内に検出されること、及び／又は
信号強度が予め設定された信号強度閾値以上であるGNSS信号が前記第２の決定ユニットにより検出されること
を含む、請求項５５に記載のユーザ装置。
【請求項５７】
GNSS信号が前記第２の決定ユニットにより検出されないことは、
GNSS信号が前記第２の決定ユニットにより検出されない場合、前記第２の決定ユニットがタイマを開始し、前記GNSS信号が前記タイマの持続時間内に依然として検出されないこと、及び／又は
信号強度が前記予め設定された信号強度未満であるGNSS信号が前記第２の決定ユニットにより検出されること
を含む、請求項５５に記載のユーザ装置。
【請求項５８】
ユーザ装置UEであり、前記UEは第１のUEであるユーザ装置UEであって、
制御情報に基づいてスケジューリングされたデータの送信回数を決定し、前記データの前記送信回数に基づいて前記制御情報の送信方式を決定するように構成された処理ユニットと、
第１のリンク上で前記送信方式で前記制御情報を送出するように構成された送出ユニットと
を含むユーザ装置UE。
【請求項５９】
前記送信方式は、以下のもの、すなわち、
前記制御情報により使用される送信リソース、
前記制御情報の巡回冗長検査CRCマスク、
前記制御情報のスクランブル系列、
前記制御情報を搬送する制御チャネルにより使用される復調参照信号、
前記制御情報を送信するために占有される物理リソースのサイズ、
前記制御情報により使用される変調及び符号化方式MCS、並びに
前記制御情報の送信回数
のうち少なくとも１つを含む、請求項５８に記載のユーザ装置。
【請求項６０】
前記データの送信回数が異なるとき、前記制御情報内の有効フィールドが異なる、請求項５８又は５９に記載のユーザ装置。
【請求項６１】
前記制御情報は、前記データの前記送信回数及び前記データの各送信に使用される時間周波数リソースの指示情報を含む、請求項５８乃至６０のうちいずれか１項に記載のユーザ装置。
【請求項６２】
前記データの前記送信回数がNであり、前記制御情報は、前記N回の送信のうちM回に使用される時間周波数リソースを含み、それにより、前記制御情報の受信端は、前記制御情報に含まれる前記M回の送信に使用される前記時間周波数リソースに基づいて、前記N回の送信に使用される時間周波数リソースを決定し、M＜Nであり、M及びNは正の整数である、請求項６１に記載のユーザ装置。
【請求項６３】
前記データの前記送信回数が1より多く、同じ周波数ドメインリソースが前記データの各送信に使用され、
前記制御情報は、前記同じ周波数ドメインリソースと、前記データの前記１回より多い送信に１対１に対応する複数の時間ドメインリソースとを含む、請求項６１に記載のユーザ装置。
【請求項６４】
前記制御情報は、現在の送信回数の指示情報を含み、及び／又は
前記制御情報は、前記第１のUEの速度指示情報を含む、請求項５８乃至６３のうちいずれか１項に記載のユーザ装置。
【請求項６５】
前記送出ユニットは、前記制御情報に基づいて前記第１のリンク上で前記データを送出するように更に構成される、請求項５８乃至６４のうちいずれか１項に記載のユーザ装置。
【請求項６６】
前記制御情報及び前記データは同じサブフレームに位置し、
前記処理ユニットは、前記制御情報の第１の送信電力及び前記データの第２の送信電力を決定し、前記第１の送信電力と前記第２の送信電力との和が最大送信電力より大きい場合、前記第１の送信電力を第１の換算値で乗算することにより取得された値を第１の電力として使用し、前記第２の送信電力を第２の換算値で乗算することにより取得された値を第２の電力として使用し、それにより、前記第１の電力と前記第２の電力との和が前記最大送信電力以下になるように更に構成され、
前記送出ユニットは、前記処理ユニットにより決定された前記第１の電力を使用することにより前記制御情報を送出し、前記処理ユニットにより決定された前記第２の電力を使用することにより前記データを送出するように具体的に構成され、
前記第１の換算値及び前記第２の換算値は等しいか、或いは等しくない、請求項５８乃至６５のうちいずれか１項に記載のユーザ装置。
【発明の詳細な説明】
【技術分野】
【０００１】
本発明の実施例は通信分野に関し、より具体的には、情報送信方法及びユーザ装置に関する。
【背景技術】
【０００２】
近年、インテリジェント技術が発展すると共に、インテリジェント交通及び無人運転のような技術が更なる注目を引き付けている。車両のインターネット技術及び標準は、業界の発展を進めるために非常に重要である。車両のインターネット技術における車両対X（Vehicle  to  X,  V2X）通信は、車両対車両（Vehicle  to  Vehicle,  V2V）通信、車両対インフラストラクチャ（Vehicle  to  Infrastructure,  V2I）通信、車両対歩行者（Vehicle  to  Pedestrian,  V2P）通信、歩行者対車両（Pedestrian  to  Vehicle,  P2V）通信等を含む。V2X通信における基本的な問題は、どのように様々な複雑な環境において車両と様々なデバイスとの間で効率的な通信を実現するか、特にどのように通信信頼性を改善して通信遅延を低減するかということである。
【０００３】
第３世代パートナーシッププロジェクト（3rd  Generation  Partnership  Project,  3GPP）は、既存のデバイス対デバイス（Device  to  Device,  D2D）プロトコルに基づいて車両のインターネットを研究することが推奨されている。既存のD2Dプロトコルは、ロングタームエボリューション（Long  Term  Evolution,  LTE）上りリンク技術に基づき、200km/hを超えない移動速度が2GHz周波数においてサポートされる。しかし、車両のインターネットの用途は、5.9GHz付近のインテリジェント交通スペクトルにおいて500km/hまでの最大移動速度を要求する。車両移動中の最大ドップラースプレッドは、車両移動速度及び車両通信中に使用される周波数に正比例する。したがって、既存のD2Dプロトコルはより高い移動速度の要件、特により高い周波数におけるより高い移動速度の要件を満たすことができない。
【発明の概要】
【０００４】
本発明の実施例は、高速移動UEの送信要件を満たすための情報送信方法を提供する。
【０００５】
第１の態様によれば、情報送信方法が提供され、
第１のUEにより、第１のUEの第１の速度情報を決定するステップと、
第１のUEにより、第１の速度情報に基づいて制御情報の送信方式を決定するステップと、
第１のUEにより、第１のリンク上でその送信方式で制御情報を送出するステップと
を含む。
【０００６】
本発明のこの実施例では、第１のUEは、第１の速度情報に基づいて制御情報の送信方式を決定してもよい。第１のUEが高速UEである場合、適切な送信方式が高速UEのために選択でき、それにより、高速UEの送信要件を満たし、送信成功率を確保する。
【０００７】
任意選択で、方法は、第１のUEにより、第２のリンク上で第１の速度情報を第１の基地局に送出するステップを更に含んでもよく、第１の速度情報は、第１のUEの速度又は第１のUEの速度等級情報を含む。第１の基地局は第１のUEのサービング基地局でもよい。
【０００８】
第１のUEは、第２のリンク上で第１の速度情報を第１の基地局に周期的に送出してもよく、或いは第１のUEの速度が変化したとき、第１のUEは、第２のリンク上で第１の速度情報を第１の基地局に送出してもよく、或いは第１の基地局から第１のUEの速度情報を報告する命令を受信した後に、第１のUEは、第２のリンク上で第１の速度情報を第１の基地局に送出する。
【０００９】
任意選択で、第１のUEが、第１の速度情報に基づいて、第１のUEが第１のタイプのUEであると決定した場合、送信方式は第１の送信方式であり、或いは第１のUEが、第１の速度情報に基づいて、第１のUEが第２のタイプのUEであると決定した場合、送信方式は第２の送信方式である。第１のタイプのUEは非高速UEでもよく、第２のタイプのUEは高速UEである。
【００１０】
任意選択で、第１の送信方式は第１の送信リソースを含み、第２の送信方式は第２の送信リソースを含む。第１の送信リソースは、第１のリソースセット又は第１のリソースセットの第１のリソースサブセットから決定されてもよく、第２の送信リソースは、第２のリソースセット又は第２のリソースセットの第１のリソースサブセットから決定されてもよい。
【００１１】
対応して、第１のUEにより、第１の速度情報に基づいて制御情報の送信方式を決定するステップは、
第１のUEが、第１の速度情報に基づいて、第１のUEが第１のタイプのUEであると決定した場合、第１のリソースセット又は第１のリソースセットの第１のリソースサブセットから第１の送信リソースを決定するステップであり、第１のリソースサブセットは予め規定される、ステップ、又は第１のUEが、第１の速度情報に基づいて、第１のUEが第２のタイプのUEであると決定した場合、第２のリソースセット又は第２のリソースセットの第２のリソースサブセットから第２の送信リソースを決定するステップであり、第２のリソースサブセットは予め規定される、ステップを含んでもよい。
【００１２】
任意選択で、制御情報の送信方式を決定する前に、方法は、第１のUEにより、第１のリソースセット又は第２のリソースセットを取得するステップを更に含む。例えば、第１のリソースセット又は第２のリソースセットは予め設定されてもよい。
【００１３】
任意選択で、制御情報の送信方式を決定する前に、方法は、第１のUEにより、第２のリンク上で、第１の基地局により送出された第１の指示情報を受信するステップであり、第１の指示情報は、第１のリソースセット及び第２のリソースセットを示すために使用される、ステップを更に含む。
【００１４】
第１のリソースセット及び第２のリソースセットは同じリソースセットでもよく、或いは第２のリソースセットは第１のリソースセットのサブセットである。
【００１５】
任意選択で、例では、第１のUEが、第１の速度情報に基づいて、第１のUEが第１のタイプのUEであると決定した場合、制御情報が第１の制御チャネルで搬送されると決定され、或いは第１のUEが、第１の速度情報に基づいて、第１のUEが第２のタイプのUEであると決定した場合、制御情報が第２の制御チャネルで搬送されると決定される。第１の制御チャネルは第１のPSCCHでもよく、第２の制御チャネルは第２のPSCCHでもよい。
【００１６】
任意選択で、制御情報は第１の速度情報を含み、第１のUEにより、第１のリンク上でその送信方式で制御情報を送出するステップは、第１のUEにより、第１のリンク上でその送信方式で第１の速度情報を第２のUEに送出するステップを含んでもよい。
【００１７】
任意選択で、他の例では、制御情報を搬送する制御チャネルは第３の制御チャネルでもよい。例えば、第３の制御チャネルはPSBCHである。
【００１８】
任意選択で、制御情報はサービスタイプを示すために使用され、サービスタイプはセキュリティタイプ又は非セキュリティタイプである。任意選択で、制御情報は、第１のUEが同期源であるか否かを示し、及び／又は制御情報は、第１のUEの同期源の識別子を示す。
【００１９】
第１のUEの同期源は第１の基地局であり、第１のUEの同期源の識別子は、第１の基地局の物理セル識別子でもよく、或いは第１のUEの同期源は全地球衛星測位システムGNSSであり、第１のUEの同期源の識別子は、GNSSに対応する予め規定された識別子でもよい。
【００２０】
任意選択で、方法は、第１のUEにより、第１のリンク上で同期信号を送出するステップを更に含んでもよい。任意選択で、同期信号は、サービスタイプを示すために使用され、サービスタイプはセキュリティタイプ又は非セキュリティタイプである。
【００２１】
任意選択で、方法は、第１のUEにより、第１のUEの同期源を決定するステップを更に含んでもよい。
【００２２】
第１のUEの同期源を決定するステップは、第１のUEが、第１の速度情報に基づいて、第１のUEが第１のタイプのUEであると決定した場合、予め設定された情報に従って同期源を決定し、予め設定された情報が同期源がGNSSであることを示す場合、処理ユニットにより、同期源がGNSSであると優先的に決定するステップ、又は
第１のUEが、第１の速度情報に基づいて、第１のUEが第２のタイプのUEであると決定した場合、第１のUEにより、同期源がGNSSであると優先的に決定するステップを含む。
【００２３】
具体的には、GNSS信号が第１のUEにより検出された場合、第１のUEは、GNSSを同期源として使用する。GNSS信号が第１のUEにより検出されない場合、第１のUEは、同期源が第１の基地局又は第３のUEであると決定する。第１の基地局は、第１のUEのサービング基地局でもよく、第３のUEは、GNSSと直接同期したUEでもよい。
【００２４】
任意選択で、GNSS信号が第１のUEにより検出されることは、GNSS信号が第１のUEにより検出されない場合、第１のUEがタイマを開始し、次に、GNSS信号がタイマの持続時間内に検出されることを含む。GNSS信号が第１のUEにより検出されないことは、GNSS信号が第１のUEにより検出されない場合、第１のUEがタイマを開始し、GNSS信号がタイマの持続時間内に依然として検出されないことを含む。
【００２５】
GNSS信号が検出されることは、信号強度が予め設定された信号強度閾値以上であるGNSS信号が検出されることを含む。GNSS信号が検出されないことは、GNSS信号が検出されないこと、又は信号強度が予め設定された信号強度未満であるGNSS信号が検出されることを含む。
【００２６】
任意選択で、方法は、第１のUEにより、第４の送信リソースを使用することにより、第１のリンク上でデータを送出するステップを更に含む。第４の送信リソースは、制御情報により示される。
【００２７】
任意選択で、同じシンボルに位置するそれぞれK個の連続するサブキャリアは、データを送信するために使用されるサブキャリアを含み、Kは2以上の正の整数である。
【００２８】
任意選択で、制御情報は、データの送信回数及び各送信に使用される時間周波数リソースを更に示す。
【００２９】
例では、データの送信回数が1より多く、同じ周波数ドメインリソースがデータの各送信に使用され、第４の送信リソースは、同じ周波数ドメインリソースと、データの１回より多い送信に１対１に対応する複数の時間ドメインリソースとを含む。
【００３０】
他の例では、データの送信回数がNであり、第４の送信リソースはN回の送信のうちM回に使用される時間周波数リソースを含み、それにより、制御情報の受信端は、制御情報に含まれるM回の送信に使用される時間周波数リソースに基づいて、N回の送信に使用される時間周波数リソースを決定し、M＜Nであり、M及びNは正の整数である。
【００３１】
任意選択で、第１のUEにより、第４の送信リソースを使用することにより、第１のリンク上でデータを送出するステップは、第１のUEにより、第４の送信リソースを使用することにより、第１のリンク上でデータ及び第１の系列を送出するステップであり、第１の系列は、予め規定された長さのZC系列セットから予め規定された第２の系列を除去することにより決定される、ステップを含む。
【００３２】
任意選択で、実施例では、制御情報及びデータは同じサブフレームに位置する。制御情報を送出するステップは、制御情報の第１の送信電力及びデータの第２の送信電力を決定するステップと、第１の送信電力と第２の送信電力との和が最大送信電力より大きい場合、第１の送信電力を第１の換算値で乗算することにより取得された値を第１の電力として使用し、第２の送信電力を第２の換算値で乗算することにより取得された値を第２の電力として使用し、それにより、第１の電力と第２の電力との和が最大送信電力以下になるステップと、第１の電力を使用することにより制御情報を送出し、第２の電力を使用することによりデータを送出するステップとを含む。
【００３３】
第１の換算値及び第２の換算値は等しいか、或いは等しくない。
【００３４】
任意選択で、方法は、第１のUEが第２のタイプのUEであるとき、第１のUEにより、第５の送信リソースを使用することにより、第２のリンク上で第１のリンクのデータを第２の基地局に送出するステップを更に含む。第２の基地局は、データの受信端のサービング基地局である。
【００３５】
このように、基地局は、第１のUEから受信端への第１のリンクのデータ送信を完了するのを支援でき、高速UEの送信成功率を確保する。
【００３６】
任意選択で、第２のリンク上で第１のリンクのデータを第２の基地局に送出する前に、方法は、第１のUEにより、リソース要求情報を第１の基地局に送出するステップと、第１のUEにより、第１の基地局により送出された第５の送信リソースの指示情報を受信するステップとを更に含む。
【００３７】
リソース要求情報は、速度に関するスケジューリング要求SR又はバッファ状態レポートBSRである。速度に関する情報は、SR若しくはBSRに含まれる速度指示情報、又は第１のUEによりSR若しくはBSRと共に送出される第１のUEの速度指示情報でもよい。任意選択で、速度指示情報は、第１のUEの具体的な速度値でもよく、或いは第１のUEが高速状態にあるか否かを示す指示情報でもよい。例えば、第１のUEが接続モードにある場合、第１のUEは、SR又はBSRを第１の基地局に直接送出する。第１のUEがアイドルモードにある場合、第１のUEは、接続モードに切り替え、次に、スケジューリング要求又はBSRを第１の基地局に送出する。
【００３８】
例では、データの受信端が第２のUEであり、第２のUEのサービング基地局が第１の基地局である場合、第１の基地局及び第２の基地局は同じ基地局である。
【００３９】
他の例では、データの受信端が第２のUE及び第４のUEを含み、第２のUEのサービング基地局が第１の基地局であり、第４のUEのサービング基地局が第３の基地局である場合、第２の基地局は、第１の基地局及び第３の基地局を含む。
【００４０】
第２の態様によれば、情報送信方法が提供され、
第１のUEにより、第１のUEの第１の速度情報を決定するステップと、
第１のUEにより、第１の速度情報に基づいて第１のUEの同期源を決定するステップと
を含む。
【００４１】
任意選択で、第１のUEは、第１の速度情報に基づいて、第１のUEが第１のタイプのUEであると決定し、第１のUEは、予め設定された情報に従って同期源を決定し、予め設定された情報が、同期源がGNSSであることを示す場合、第１のUEは、同期源がGNSSであると優先的に決定する。第１のUEが、第１の速度情報に基づいて、第１のUEが第２のタイプのUEであると決定した場合、第１のUEは、同期源がGNSSであると優先的に決定する。
【００４２】
任意選択で、GNSS信号が第１のUEにより検出された場合、第１のUEは、GNSSを同期源として使用する。GNSS信号が第１のUEにより検出されない場合、第１のUEは、同期源が第１の基地局又は第２のUEであると決定する。第１の基地局は、第１のUEのサービング基地局でもよく、第２のUEは、GNSSと直接同期したUEある。
【００４３】
任意選択で、GNSS信号が第１のUEにより検出されることは、GNSS信号が第１のUEにより検出されない場合、第１のUEがタイマを開始し、次に、GNSS信号がタイマの持続時間内に検出されることを含む。GNSS信号が第１のUEにより検出されないことは、GNSS信号が第１のUEにより検出されない場合、第１のUEがタイマを開始し、GNSS信号がタイマの持続時間内に依然として検出されないことを含む。
【００４４】
このように、第１のUEができるだけGNSSと同期することが確保でき、それにより、高速UEとして使用される第１のUEの通信成功率を確保する。
【００４５】
任意選択で、GNSS信号が検出されることは、信号強度が予め設定された信号強度閾値以上であるGNSS信号が検出されることを含む。GNSS信号が検出されないことは、GNSS信号が検出されないこと、又は信号強度が予め設定された信号強度未満であるGNSS信号が検出されることを含む。
【００４６】
予め設定された強度閾値は、プロトコルにおいて指定されてもよく、或いは第１のUEに予め設定されてもよく、或いはシグナリングを使用することにより第１のUEのサービング基地局により指示されてもよい。
【００４７】
第３の態様によれば、情報送信方法が提供され、
第１のユーザ装置UEにより、制御情報に基づいてスケジューリングされたデータの送信回数を決定し、データの送信回数に基づいて制御情報の送信方式を決定するステップと、
第１のUEにより、第１のリンク上でその送信方式で制御情報を送出するステップと
を含む。
【００４８】
任意選択で、データの送信回数は、第１のUEの速度情報に基づいて第１のUEにより決定されてもよい。
【００４９】
任意選択で、データの送信回数が異なるとき、制御情報内の有効フィールドが異なる。
【００５０】
任意選択で、制御情報は、データの送信回数及びデータの各送信に使用される時間周波数リソースの指示情報を含む。
【００５１】
例では、データの送信回数が4であるとき、制御情報内の第１のフィールド及び制御情報内の第２のフィールドは、４回の送信の中の２回の送信に使用される時間周波数リソースを含む。
【００５２】
他の例では、データの送信回数が1より多く、同じ周波数ドメインリソースがデータの各送信に使用され、制御情報は、同じ周波数ドメインリソースと、データの１回より多い送信に１対１に対応する複数の時間ドメインリソースの指示情報とを含む。
【００５３】
任意選択で、制御情報は、現在の送信回数の指示情報を更に含んでもよく、及び／又は制御情報は、第１のUEの速度指示情報を更に含んでもよい。
【００５４】
任意選択で、方法は、制御情報に基づいて第１のリンク上でデータを送出するステップを更に含む。制御情報は物理サイドリンク制御チャネルPSCCHで搬送されてもよく、データは物理サイドリンク共有チャネルPSSCHで搬送されてもよい。
【００５５】
任意選択で、データはサービスチャネルで搬送され、制御情報及びデータは同じサブフレームに位置する。制御情報を送出するステップは、制御情報の第１の送信電力及びデータの第２の送信電力を決定するステップと、第１の送信電力と第２の送信電力との和が最大送信電力より大きい場合、第１の送信電力を第１の換算値で乗算することにより取得された値を第１の電力として使用し、第２の送信電力を第２の換算値で乗算することにより取得された値を第２の電力として使用し、それにより、第１の電力と第２の電力との和が最大送信電力以下になるステップと、第１の電力を使用することにより制御情報を送出し、第２の電力を使用することによりデータを送出するステップとを含む。
【００５６】
第１の換算値及び第２の換算値は等しいか、或いは等しくない。
【００５７】
第４の態様によれば、情報送信方法が提供され、
第１の基地局により、少なくとも１つのUEにより送出された速度情報を受信するステップと、
第１の基地局により、少なくとも１つのUEの速度情報に基づいて第１のリソースセット及び第２のリソースセットを決定するステップと、
第１の基地局により、第２のリンク上で第１の指示情報を少なくとも１つのUEに送出するステップであり、第１の指示情報は、第１のリソースセット及び第２のリソースセットを示すために使用される、ステップと
を含む。
【００５８】
このように、少なくとも１つのUEは、第１のリソースセット又は第２のリソースセットから第１のリンクに使用される送信リソースを選択できる。
【００５９】
任意選択で、基地局は、ブロードキャスト又はマルチキャスト方式で第２のリンク上で第１の指示情報を送出してもよい。
【００６０】
第１の指示情報は、第１のリソースセットが第１のタイプのUEに使用され、第２のリソースセットが第２のタイプのUEに使用されることを示すために使用される。この場合、第１のUEが第１のタイプのUEである場合、第１のUEは、第１の指示情報に基づいて第１のリソースセット又は第１のリソースセットの第１のリソースサブセットから第１の送信リソースを決定する。第１のUEが第２のタイプのUEである場合、第１のUEは、第１の指示情報に基づいて第２のリソースセット又は第２のリソースセットの第２のリソースサブセットから第２の送信リソースを決定する。
【００６１】
任意選択で、第１の指示情報は、第１のリソースセット内の第１のリソースサブセットの位置を更に示してもよい。位置は、時間ドメイン位置又は周波数ドメイン位置又は時間周波数位置でもよい。任意選択で、第１の指示情報は、第２のリソースセット内の第２のリソースサブセットの位置を更に示してもよい。位置は、時間ドメイン位置又は周波数ドメイン位置又は時間周波数位置でもよい。
【００６２】
任意選択で、第１のリソースセット及び第２のリソースセットは同じリソースセットである。
【００６３】
任意選択で、第２のリソースセットは第１のリソースセットのサブセットである。この場合、第１の指示情報は、第１のリソースセット内の第２のリソースサブセットの位置を更に示してもよい。位置は、時間ドメイン位置又は周波数ドメイン位置又は時間周波数位置でもよい。
【００６４】
任意選択で、第１の指示情報は、予め設定された速度閾値を更に示してもよく、それにより、少なくとも１つのUEは、少なくとも１つのUEが第１のタイプのUEであるか第２のタイプのUEであるかを決定する。
【００６５】
任意選択で、方法は、第１の基地局により、第１のUEにより送出されたリソース要求情報を受信するステップと、第１の基地局により、リソースを第１のUEに割り当て、第５の送信リソースの指示情報を第１のUEに送出するステップとを含んでもよい。リソース要求情報は、速度に関するスケジューリング要求SR又はバッファ状態レポートBSRでもよい。
【００６６】
さらに、基地局は、第２のリンク上で、第５の送信リソースを使用することにより第１のUEにより送出された第１のリンクのデータを受信してもよく、第１の基地局は、第１のリンクのデータを第２のUEに送出してもよい。第２のUEは第１のリンクのデータの受信端である。
【００６７】
第５の態様によれば、ユーザ装置が提供され、UEは第１のUEであり、処理ユニットと、送出ユニットとを含む。処理ユニットは、第１のUEの第１の速度情報を決定するように構成され、第１の速度情報に基づいて制御情報の送信方式を決定するように更に構成される。送出ユニットは、第１のリンク上で、処理ユニットにより決定された送信方式で制御情報を送出するように構成される。第５の態様における第１のUEは、第１の態様における方法において第１のUEにより実行される情報送信方法を実現できる。
【００６８】
第６の態様によれば、ユーザ装置が提供され、UEは第１のUEであり、受信機と、プロセッサと、送信機とを含む。プロセッサは、第１のUEの第１の速度情報を決定するように構成され、第１の速度情報に基づいて制御情報の送信方式を決定するように更に構成される。送信機は、第１のリンク上で、プロセッサにより決定された送信方式で制御情報を送出するように構成される。第６の態様における第１のUEは、第１の態様における方法において第１のUEにより実行される情報送信方法を実現できる。
【００６９】
第７の態様によれば、コンピュータ読み取り可能記憶媒体が提供され、コンピュータ読み取り可能記憶媒体はプログラムを記憶し、プログラムは、UEが第１の態様及び第１の態様の全ての実現方式におけるいずれかの情報送信方法を実行することを可能にする。
【００７０】
第８の態様によれば、ユーザ装置が提供され、UEは第１のUEであり、第１の決定ユニットと、第２の決定ユニットとを含む。第１の決定ユニットは、第１のUEの第１の速度情報を決定するように構成される。第２の決定ユニットは、第１の決定ユニットにより決定された第１の速度情報に基づいて第１のUEの同期源を決定するように構成される。第８の態様における第１のUEは、第２の態様の方法において第１のUEにより実行される情報送信方法を実現できる。
【００７１】
第９の態様によれば、ユーザ装置が提供され、UEは第１のUEであり、メモリと、プロセッサとを含む。メモリは、プロセッサにより実行されるコードを記憶するように構成される。プロセッサは、第１のUEの第１の速度情報を決定し、第１の速度情報に基づいて第１のUEの同期源を決定するように構成される。第９の態様における第１のUEは、第２の態様における方法において第１のUEにより実行される情報送信方法を実現できる。
【００７２】
第１０の態様によれば、コンピュータ読み取り可能記憶媒体が提供され、コンピュータ読み取り可能記憶媒体はプログラムを記憶し、プログラムは、UEが第２の態様及び第２の態様の全ての実現方式におけるいずれかの情報送信方法を実行することを可能にする。
【００７３】
第１１の態様によれば、ユーザ装置が提供され、UEは第１のUEであり、処理ユニットと、送出ユニットとを含む。処理ユニットは、制御情報に基づいてスケジューリングされたデータの送信回数を決定し、データの送信回数に基づいて制御情報の送信方式を決定するように構成される。送出ユニットは、第１のリンク上でその送信方式で制御情報を送出するように構成される。第１１の態様における第１のUEは、第３の態様における方法において第１のUEにより実行される情報送信方法を実現できる。
【００７４】
第１２の態様によれば、ユーザ装置が提供され、UEは第１のUEであり、メモリと、プロセッサと、送信機とを含む。メモリは、プロセッサにより実行されるコードを記憶するように構成される。プロセッサは、制御情報に基づいてスケジューリングされたデータの送信回数を決定し、データの送信回数に基づいて制御情報の送信方式を決定するように構成される。送信機は、第１のリンク上でその送信方式で制御情報を送出するように構成される。第１２の態様における第１のUEは、第３の態様における方法において第１のUEにより実行される情報送信方法を実現できる。
【００７５】
第１３の態様によれば、コンピュータ読み取り可能記憶媒体が提供され、コンピュータ読み取り可能記憶媒体はプログラムを記憶し、プログラムは、UEが第３の態様及び第３の態様の全ての実現方式におけるいずれかの情報送信方法を実行することを可能にする。
【００７６】
第１４の態様によれば、基地局が提供され、基地局は第１の基地局であり、受信ユニットと、処理ユニットと、送出ユニットとを含む。受信ユニットは、少なくとも１つのUEにより送出された速度情報を受信するように構成される。処理ユニットは、少なくとも１つのUEの速度情報に基づいて第１のリソースセット及び第２のリソースセットを決定するように構成される。送出ユニットは、第２のリンク上で第１の指示情報を少なくとも１つのUEに送出するように構成され、第１の指示情報は、第１のリソースセット及び第２のリソースセットを示すために使用される。第１４の態様における第１の基地局は、第４の態様における方法において第１の基地局により実行される情報送信方法を実現できる。
【００７７】
第１５の態様によれば、基地局が提供され、基地局は第１の基地局であり、受信機と、プロセッサと、送信機とを含む。受信機は、少なくとも１つのUEにより送出された速度情報を受信するように構成される。プロセッサは、少なくとも１つのUEの速度情報に基づいて第１のリソースセット及び第２のリソースセットを決定するように構成される。送信機は、第２のリンク上で第１の指示情報を少なくとも１つのUEに送出するように構成され、第１の指示情報は、第１のリソースセット及び第２のリソースセットを示すために使用される。第１５の態様における第１の基地局は、第４の態様における方法において第１の基地局により実行される情報送信方法を実現できる。
【００７８】
第１６の態様によれば、コンピュータ読み取り可能記憶媒体が提供され、コンピュータ読み取り可能記憶媒体はプログラムを記憶し、プログラムは、基地局が第４の態様及び第４の態様の全ての実現方式におけるいずれかの情報送信方法を実行することを可能にする。
【００７９】
本発明の実施例では、第１のUEの速度が予め設定された速度閾値未満であるか、或いは第１のUEの速度等級が予め設定された速度等級閾値より低い場合、第１のUEは第１のタイプのUEである。第１のUEの速度が予め設定された速度閾値以上であるか、或いは第１のUEの速度等級が予め設定された速度等級閾値より高い或いはそれと等しい場合、第１のUEは第２のタイプのUEである。第１のタイプのUEは非高速UEでもよく、第２のタイプのUEは高速UEでもよい。
【００８０】
前述の実施例では、送信方式は、以下のもの、すなわち、制御情報により使用される送信リソース、制御情報の巡回冗長検査CRCマスク、制御情報のスクランブル系列、制御情報を搬送する制御チャネルにより使用される復調参照信号、制御情報を送信するために占有される物理リソースのサイズ、制御情報により使用される変調及び符号化方式MCS、並びに制御情報の送信回数のうち少なくとも１つを含んでもよい。
【図面の簡単な説明】
【００８１】
本発明の実施例における技術的解決策をより明確に説明するために、以下に、実施例又は従来技術を説明するために必要な添付図面について簡単に説明する。明らかに、以下の説明における添付図面は、単に本発明のいくつかの実施例を示しているに過ぎず、当業者は、創造的取り組みなしにこれらの添付図面から他の図面を依然として導き得る。
【図１】本発明の実施例によるV2V通信シナリオの概略図である。
【図２】本発明の実施例による適用シナリオの概略図である。
【図３】本発明の実施例による第１のリソースセット及び第２のリソースセットの概略図である。
【図４】本発明の実施例による情報送信方法のフローチャートである。
【図５】本発明の実施例による制御情報指示の概略図である。
【図６】本発明の実施例による制御情報指示の他の概略図である。
【図７】本発明の実施例による制御情報指示の他の概略図である。
【図８】本発明の実施例に従ってデータを送信するために占有されるリソースの概略図である。
【図９】本発明の実施例に従ってデータを送信するために占有されるリソースの他の概略図である。
【図１０】本発明の実施例に従ってデータを送信するために占有されるリソースの他の概略図である。
【図１１】本発明の実施例による他の概略シナリオ図である。
【図１２】本発明の他の実施例による情報送信方法のフローチャートである。
【図１３】本発明の他の実施例による情報送信方法のフローチャートである。
【図１４】本発明の他の実施例による情報送信方法のフローチャートである。
【図１５】本発明の実施例によるユーザ装置の構成ブロック図である。
【図１６】本発明の他の実施例によるユーザ装置の構成ブロック図である。
【図１７】本発明の実施例によるシステムチップの概略構成ブロック図である。
【図１８】本発明の他の実施例によるユーザ装置の構成ブロック図である。
【図１９】本発明の他の実施例によるユーザ装置の構成ブロック図である。
【図２０】本発明の他の実施例によるシステムチップの概略構成ブロック図である。
【図２１】本発明の他の実施例によるユーザ装置の構成ブロック図である。
【図２２】本発明の他の実施例によるユーザ装置の構成ブロック図である。
【図２３】本発明の他の実施例によるシステムチップの概略構成ブロック図である。
【図２４】本発明の他の実施例によるユーザ装置の構成ブロック図である。
【図２５】本発明の他の実施例によるユーザ装置の構成ブロック図である。
【図２６】本発明の他の実施例によるシステムチップの概略構成ブロック図である。
【図２７】本発明の実施例による基地局の構成ブロック図である。
【図２８】本発明の他の実施例による基地局の構成ブロック図である。
【図２９】本発明の他の実施例によるシステムチップの概略構成ブロック図である。
【発明を実施するための形態】
【００８２】
以下に、本発明の実施例における添付図面を参照して、本発明の実施例における技術的解決策について明確且つ完全に説明する。明らかに、説明する実施例は、本発明の実施例の一部であり、全部ではない。創造的取り組みなしに本発明の実施例に基づいて当業者により取得される全ての他の実施例は、本発明の保護範囲内に入るものとする。
【００８３】
図１は、本発明の実施例によるV2V通信シナリオの概略図である。図１は、レーン内の４つの車両の間の通信の概略図である。
【００８４】
V2V通信において、支援運転及び自動運転は、複数の車載器（On  board  Unit,  OBU）の間の無線通信を通じて実現でき、有効に交通効率を改善し、交通事故を回避し、運転リスクを低減する。
【００８５】
図２は、本発明の実施例による適用シナリオの概略図である。図２は、進化型ノードB（evolved  NodeB,  eNB）10と、路側器（Road  Side  Unit,  RSU）30と、UE41と、UE42と、UE43とを示す。RSU30は、eNB10と直接通信できる。UE41、UE42及びUE43は、eNB10と直接通信するか、或いはRSU30を使用することによりeNBと通信できる。図２は、位置及び時間のような情報を他のネットワークエレメントに提供するように構成されてもよい全地球衛星測位システム（Global  Navigation  Satellite  System,  GNSS）20を更に示す。
【００８６】
RSU30は、機能的に、車両デバイス機能又はeNB機能でもよい。UE41、UE42及びUE43は、車両デバイスでもよく、車両デバイスは、サイドリンク（Sidelink）を使用することにより互いにV2V通信を実行してもよい。車両デバイスは、車両と共に高速で移動する。例えば、UE41及びUE42が反対方向に移動するとき、最大相対移動速度が存在する。
【００８７】
図２に示すデバイスは、互いに通信するために、セルラリンクのスペクトルを使用するか、或いは5.9GHz付近のインテリジェント交通スペクトルを使用してもよい。デバイスの間の通信に使用される技術は、LTEプロトコルに基づいて拡張されてもよく、或いはD2D技術に基づいて拡張されてもよい。
【００８８】
本発明の実施例では、サイドリンク（SL）は、UEの間の通信リンクであり、D2D通信におけるD2Dリンク又はいくつかの他のシナリオにおけるPC5リンクとも呼ばれる。車両のインターネットでは、サイドリンクはV2Vリンク、車両対インフラストラクチャ（Vehicle  to  Infrastructure,  V2I）リンク、車両対歩行者（Vehicle  to  Pedestrian,  V2P）リンク等とも呼ばれてもよい。サイドリンクは、以下の方式、すなわち、ブロードキャスト、ユニキャスト及びマルチキャストのうちいずれか１つで情報を送出してもよい。サイドリンクは、セルラリンクのスペクトルを使用し、例えば、セルラリンクの上りリンクスペクトルを使用してもよく、或いはインテリジェント交通に割り当てられた専用スペクトルを使用してもよい。これは本発明では限定されない。
【００８９】
本発明の実施例では、UEは、端末とも呼ばれてもよく、車両内のOBUを含んでもよく、或いは路側上の端末機能を有するRSU等を含んでもよく、或いは歩行者により使用される移動電話等を含んでもよい。
【００９０】
ユーザ装置（User  Equipment,  UE）は、高速移動状態にあってもよい。これは、V2X通信における無線リンク送信品質により高い要件を提起する。受信機の複雑性をかなり増加させる必要なく、どのように制御情報及びデータ情報がUEの間で正確に送信されるかを確保することは、本発明において解決されるべき主要な問題である。
【００９１】
既存の解決策では、UEの間の送信中に使用される物理サイドリンク制御チャネル（Physical  Sidelink  Control  Channel,  PSCCH）のサイズは、１つの物理リソースブロック（Physical  Resource  Block,  PRB）である。しかし、従来技術では、5.9GHz付近のインテリジェント交通スペクトルにおける最大相対車両速度は500km/hであり、性能が大きく劣化し、送信距離のカバレッジ要件を満たすことができない。さらに、PSCCHの復調性能が低下すると、PSCCHによりスケジューリングされたデータチャネル、すなわち、物理サイドリンク共有チャネル（Physical  Sidelink  Shared  Channel,  PSSCH）の復調能力が対応して影響を受ける。
【００９２】
以下に、本発明におけるいくつかの用語について簡単に説明する。
【００９３】
第１のリンク：UEの間の通信リンクを示す。第１のリンクは、D2Dリンク又はV2Xリンク又はサイドリンク（Sidelink,  SL）等でもよい。例えば、第１のリンクは、図２におけるUE41とUE42との間のリンクでもよく、或いは図２におけるRSU30とUE43との間のリンクでもよい。第１のリンク上での通信は、以下の方式、すなわち、ユニキャスト、マルチキャスト及びブロードキャストのうちいずれか１つに基づいて実行されてもよい。
【００９４】
第２のリンク：UEと基地局との間の通信リンクを示す。第２のリンクは、セルラリンクでもよい。例えば、第２のリンクは、図２におけるUE41／UE42／UE43と基地局10との間のリンクでもよく、或いは図２におけるRSU30とeNB10との間のリンクでもよい。代替として、図２におけるRSU30が基地局機能を有するRSUである場合、第２のリンクは、UE41／UE42／UE43とRSU30との間のリンクでもよい。
【００９５】
さらに、本発明の実施例における「予め規定された」は、プロトコルにおいて指定されてもよく、或いは予め設定されてもよく、例えば、シグナリングを使用することにより予め設定されてもよい。これは本発明では限定されない。
【００９６】
本発明の実施例では、第１のタイプのUE及び第２のタイプのUEを含む少なくとも２つのタイプのUEが規定される。第１のタイプのUEの速度は予め設定された速度閾値未満であり、第２のタイプのUEの速度は予め設定された速度閾値以上である。
【００９７】
言い換えると、第１のタイプのUEは、速度が予め設定された速度閾値未満であるUEであり、第２のタイプのUEは、速度が予め設定された速度閾値以上であるUEである。第１のタイプのUEは低速UE又は非高速UEと呼ばれてもよく、第２のタイプのUEは高速UEと呼ばれてもよい。
【００９８】
任意選択で、例では、本発明の実施例におけるUE速度は、絶対速度、すなわち、対地速度でもよい。第１の絶対速度を取得するためにUEにより使用される方式は、GNSSモードを使用することにより第１の絶対速度を決定すること、又はUEがOBUである場合、車両内の対応するモジュール（エンジンブロック、ギアボックスモジュール、又は速度を電気的に制御する他のモジュール等）を使用することにより対応する速度情報を取得すること、又は基地局により指示された情報に基づいて第１の絶対速度を取得することを含む。任意選択で、UEが物理レイヤにおける通信モジュールである場合、第１の絶対速度は、他のレイヤからの指示情報に基づいて取得されてもよい。
【００９９】
任意選択で、予め設定された速度閾値は、予め規定された速度値でもよい。例えば、予め設定された速度閾値は250km/hである。
【０１００】
任意選択で、例えば、第１の速度閾値、第２の速度閾値及び第３の速度閾値を含む複数の速度閾値が、本発明の実施例において規定されてもよい。対応して、異なる速度等級が速度について設定されてもよい。さらに、速度等級は、複数の速度閾値に関係する。
【０１０１】
例えば、第１の速度閾値がv1として表され、第２の速度閾値がv2として表され、第３の速度閾値がv3として表され、v1＜v2＜v3であることが仮定される。UE速度がvとして表されることが仮定される。この場合、速度等級と複数の速度閾値との間の関係は、以下の表１に示されもよい。
【表１】
2020092446.tif 000003
予め設定された速度閾値は、速度等級を使用することにより表されてもよいことが理解できる。予め設定された速度閾値がv2である場合、表１において速度等級が0及び1であるUEは、前述の第１のタイプのUEであり、表１において速度等級が2及び3であるUEは、前述の第２のタイプのUEである。言い換えると、第１のタイプのUEは、速度等級が予め設定された等級閾値より低いUEであり、第２のタイプのUEは、速度等級が予め設定された等級閾値より高い或いはそれと等しいUEである。表１に示す場合では、予め設定された等級閾値は1でもよい。さらに、表１に従って、予め設定された等級閾値に対応する最大速度は、予め設定された速度閾値であることが理解できる。予め設定された速度閾値は１つでもよく、或いは１つより多くてもよい。これは本発明において限定されない。
【０１０２】
例では、v1=150km/h、v2=200km/h及びv3=250km/hである。
【０１０３】
任意選択で、他の例では、本発明の実施例におけるUE速度は相対速度でもよい。例えば、速度は、他の物体（他のUE又は複数の他のUEでもよい）と相対的な速度でもよい。例えば、他の物体は、第１のリンクを使用することによりUEと通信可能なピアUEでもよい。
【０１０４】
UE速度は、ピアエンドにおける他のUE（例えば、図２におけるUE42）と相対的なUE（例えば、図２におけるUE41）の速度でもよい。代替として、UE速度は、ピアエンドにおける複数の他のUE（例えば、図２におけるUE42及びUE43）と相対的なUE（例えば、図２におけるUE41）の速度でもよい。相対速度を取得するためにUEにより使用される方式は、まずUEの絶対速度を取得し、次に他のUEから送出されたデータパケットを測定又は解析することにより、他のUEの速度及び位置情報を取得することを含む。UEは、その情報に基づいて１つ以上のUEと相対的な速度についての情報を取得する。任意選択で、UEが物理レイヤにおける通信モジュールである場合、相対速度は、他のレイヤからの指示情報に基づいて取得されてもよい。
【０１０５】
予め設定された速度閾値は、予め設定された等級閾値を使用することにより表されてもよい。第１のタイプのUEは、速度等級が予め設定された等級閾値より低いUEであり、第２のタイプのUEは、速度等級が予め設定された等級閾値より高い或いはそれと等しいUEである。
【０１０６】
図２におけるUE41を例として使用して、UE42と相対的なUE41の相対速度がΔv2であり、UE43と相対的なUE41の相対速度がΔv3であり、v2≦Δv2＜v3であり、v2≦Δv3＜v3であることが仮定される。この場合、表１を参照することにより、UE41の速度等級が2であることが習得できる。
【０１０７】
本発明の実施例では、第１のタイプのUEは、第１のリンク上で制御情報を送出するために第１の送信方式を使用してもよく、第２のタイプのUEは、第１のリンク上で制御情報を送出するために第２の送信方式を使用してもよい。
【０１０８】
第１の送信方式及び第２の送信方式は異なる。
【０１０９】
送信方式は、以下のもの、すなわち、制御情報により使用される送信リソース、制御情報の巡回冗長検査（Cyclic  Redundancy  Check,  CRC）マスク、制御情報のスクランブル系列、制御情報を搬送する制御チャネルにより使用される復調参照信号（DeModulation  Reference  Signal,  DMRS）、制御情報を送信するために占有される物理リソースのサイズ、制御情報により使用される変調及び符号化方式（Modulation  and  Coding  Scheme,  MCS）、制御情報の送信回数等のうち少なくとも１つを含んでもよい。
【０１１０】
制御情報の送信回数は、制御情報の最大送信回数でもよい。
【０１１１】
送信方式が異なることは、前述の項目のうち少なくとも１つが異なることを意味する。言い換えると、送信方式が異なることは、以下のもの、すなわち、送信リソース、CRCマスク、スクランブル系列、DMRS、物理リソースのサイズ、MCS、制御情報の送信回数等のうち少なくとも１つが異なることを意味する。
【０１１２】
送信リソースが異なることは、第１のタイプのUEにより使用される送信リソース及び第２のタイプのUEにより使用される送信リソースが異なるリソースセットからのものであること、又は第１のタイプのUEにより使用される送信リソース及び第２のタイプのUEにより使用される送信リソースが同じリソースセットからのものであるが、第２のタイプのUEにより使用されるリソース又はリソースサブセットが情報を使用することにより示されるか、或いは第２のタイプのUEにより使用されるリソースサブセットが予め規定された方式で指定されることを意味してもよい。
【０１１３】
CRCマスクは、系列により規定された系列文字列であり、送信対象の情報のCRC部分をスクランブルするために使用される。例えば、制御チャネルで搬送される情報はxビット（例えば、50ビット）であり、xビットの情報が符号化される前に、Nビット（例えば、16ビット）の長さのCRCパリティビットがxビットの情報に追加される。CRCマスクは、Nビットの長さの予め規定された系列文字列であり、対応するCRCビットに追加されるために使用される。例えば、16ビットの長さのCRCについて、CRCマスクは1111000011110000でもよく、或いは1111111100000000でもよく、或いは他の予め規定された値でもよい。これはここでは列挙されない。制御情報が生成されるとき、CRCパリティビットが取得された後に、予め規定されたマスクが対応するCRCパリティビットに追加される必要がある。受信機は、これらの予め規定されたマスクを認識した後にのみ、対応するCRC検査動作を完了できる。第１の送信方式及び第２の送信方式は、異なるCRCマスクを使用することにより区別される。このように、これらの２つの送信方式を使用するUE送信機又は受信機は、対応する処理方法を使用することにより、２つのタイプの送信方式に対応する情報を受信し、処理効率を改善できる。
【０１１４】
スクランブル系列が異なることは、スクランブル系列を生成するための系列タイプが異なること、又はスクランブル系列を生成するための生成多項式が異なることを意味する。任意選択で、スクランブル系列が異なることは、スクランブル系列を生成するための初期値が異なることを含んでもよい。
【０１１５】
DMRSが異なることは、DMRS系列が異なること、すなわち、以下のもの、すなわち、ルート系列番号、サイクリックシフト（cyclic  shift）及び直交カバーコード（Orthogonal  Cover  Code,  OCC）のうち少なくとも１つが異なることを意味してもよい。DMRSが異なることは、単一の送信中に使用される複数の異なるDMRSにより占有されるシンボルについて、異なるシンボルにマッピングされたDMRS系列が異なることを意味してもよい。例えば、単一の送信中に４つのDMRSシンボルが存在し、４つのDMRSシンボルのいくつかの上のDMRS系列が他のDMRSシンボル上のDMRS系列と異なる。ここで、DMRSは、予め規定された系列（DMRS系列）が、ルールに従ってDMRSにより占有されるシンボルにマッピングされるときに生成される信号である。
【０１１６】
制御情報を送信するために占有される物理リソースのサイズが異なることは、第１の送信方式で制御情報を送信するために占有されるPRB数が、第２の送信方式のものと異なることを意味してもよい。例えば、１つのPRBが第１の送信方式で占有され、２つ、３つ又は４つのPRBが第２の送信方式で占有される。
【０１１７】
MCSが異なることは、異なるタイプの制御チャネルが制御情報を送信するために使用されるときに異なるMCSが使用されることを意味する。例えば、第１の送信方式でのMCSはMCS1であり、第２の送信方式でのMCSはMCS2である。高速UEの送信成功率を確保するために、MCS2はMCS1より低い。
【０１１８】
制御情報の送信回数が異なることは、送信回数が異なるタイプについて異なることを意味する。例えば、第１の送信方式での送信回数はN1であり、第２の送信方式での送信回数はN2であり、N1＜N2である。第２のタイプのUEの速度は第１のタイプのUEの速度より大きく、したがって、第２のタイプのUEにより使用される送信方式での送信回数は、第１のタイプのUEにより使用される送信方式での送信回数より大きい。これは、高速UEの送信成功率を確保する。
【０１１９】
任意選択で、代替として、送信方式は、制御情報に含まれるフィールド等でもよい。例えば、第１の送信方式を使用する制御情報はA1個のフィールドを含み、第２の送信方式を使用する制御情報はA2個のフィールドを含み、A1＜A2である。
【０１２０】
任意選択で、実施例では、第１のタイプのUEにより送信される制御情報は、第１の制御チャネルで搬送されてもよく、第２のタイプのUEにより送信される制御情報は、第２の制御チャネルで搬送されてもよい。第１の制御チャネルは第１のPSCCHでもよく、第２の制御チャネルは第２のPSCCHでもよい。
【０１２１】
言い換えると、本発明の実施例では、２つの異なる制御チャネル、すなわち、第１のPSCCH及び第２のPSCCHが第１のリンク上で規定されてもよい。対応するデータチャネル（サービスチャネルとも呼ばれてもよい）は、第１のPSSCH及び第２のPSSCHを含んでもよく、第１のPSSCHは第１のPSCCHに対応し、第２のPSSCHは第２のPSCCHに対応する。第１のPSCCHは、第１のタイプのUEの第１のリンクのデータを送信するために使用され、第２のPSCCHは、第２のタイプのUEの第１のリンクのデータを送信するために使用される。第１のPSCCH及び第２のPSCCHは異なる送信方式を使用する。第１のPSCCH及び第２のPSCCHは同じでもよく、或いは異なってもよい。第１のPSCCH及び第２のPSCCHが異なることは、送信方式が前述のフィールドのうち１つで異なることを意味する。第１のPSCCH及び第２のPSCCHが同じである場合、２つの送信方式に含まれる前述のフィールドの全てが同じであり、第１の制御チャネル及び第２の制御チャネルは同じフィールドを使用し、第１の制御チャネルについてのフィールドの一部又は全部の値が第２の制御チャネルについてのものと異なる。例えば、第１の制御チャネル及び第２の制御チャネルは、速度情報を示す同じフィールドを含む。第１の制御チャネルについての同じフィールドの値は第２の制御チャネルについてのものと異なる。例えば、第１の制御チャネルは1ビットの速度指示情報を含み、速度指示情報の値は0であり、これは第１のタイプのUEに対応し、第１の制御チャネルは1ビットの速度指示情報を含み、速度指示情報の値は1であり、これは第２のタイプのUEに対応する。
【０１２２】
第１のタイプのUEの速度は予め設定された速度閾値未満であり、第２のタイプのUEの速度は予め設定された速度閾値以上である。言い換えると、第１のタイプのUEは、速度が予め設定された速度閾値未満であるUEであり、第２のタイプのUEは、速度が予め設定された速度閾値以上であるUEである。第１のPSCCHが平均速度（非拘束とも呼ばれる）のシナリオで使用され、第２のPSCCHが高速のシナリオで使用されることが理解できる。
【０１２３】
さらに、第１のPSCCH及び第２のPSCCHのサイズは同じでもよく、或いは異なってもよい。これは本発明では限定されない。
【０１２４】
任意選択で、実現方式では、第１の送信方式は、制御情報により使用される送信リソースが第１の送信リソースであることを含む。第２の送信方式は、制御情報により使用される送信リソースが第２の送信リソースであることを含む。代替として、以下のように表現されてもよい。第１の送信方式は第１の送信リソースを含み、第２の送信方式は第２の送信リソースを含む。
【０１２５】
第１の送信リソースは、第１のリソースセットからのものでもよく、第２の送信リソースは、第２のリソースセットからのものでもよい。代替として、第１の送信リソースは、第１のリソースセットの第１のリソースサブセットからのものでもよく、第２の送信リソースは、第２のリソースセットの第２のリソースサブセットからのものでもよい。代替として、第１の送信リソースは、第１のリソースセットからのものでもよく、第２の送信リソースもまた、第１のリソースセットからのものでもよく、第２の送信のために占有されるリソースは、情報を使用することにより示されるか、或いは第２のタイプのUEにより使用される第１のリソースセットのサブセットは、予め規定された方式で指定される。
【０１２６】
任意選択で、本発明の実施例では、第１のリソースセット（及び／又は第１のリソースサブセット）及び第２のリソースセット（及び／又は第２のリソースサブセット）は予め規定されてもよく、例えば、予め設定されてもよく、或いはプロトコルにおいて事前に指定されてもよい。
【０１２７】
任意選択で、本発明の実施例では、第１のリソースセット（及び／又は第１のリソースサブセット）及び第２のリソースセット（及び／又は第２のリソースサブセット）は、第１の基地局により送出された第１の指示情報から取得されてもよい。第１の指示情報は、以下の方法の実施例においてより詳細に説明する。
【０１２８】
例では、図３（ａ）に示すように、第１のリソースセット及び第２のリソースセットは、同じリソースセットでもよい。同じリソースセットがリソースセットと呼ばれることを仮定すると、第１の送信リソース及び第２の送信リソースはリソースセットから決定されてもよい。
【０１２９】
第１のリソースセットがN個の物理リソースブロック（Physical  Resource  Block,  PRB）を含み、N個のPRBが{0,1,2,...,N-1}として表されてもよいことが仮定される。
【０１３０】
第１の送信リソース及び第２の送信リソースは、N個のPRBを含むリソースセット内にN個の異なる候補位置をそれぞれ有する。この場合、UEは、全ての可能な候補位置に対してブラインド検出を実行し、比較的高い複雑性を引き起こす。
【０１３１】
他の例では、図３（ｂ）に示すように、第２のリソースセットは、第１のリソースセットのサブセットである。この場合、第１の送信リソースは、第１のリソースセットから決定されてもよく、第２の送信リソースは、第２のリソースセットから決定されてもよい。
【０１３２】
他の例では、第１のリソースセット及び第２のリソースセットは異なる。第１のリソースセット及び第２のリソースセットは、周波数ドメインにおいて隣接してもよく、或いは隣接しなくてもよい。図３（ｃ）は、周波数ドメインにおいて隣接しない第１のリソースセット及び第２のリソースセットを示す。図３（ｄ）は、周波数ドメインにおいて隣接する第１のリソースセット及び第２のリソースセットを示す。この場合、第１の送信リソースは、第１のリソースセットから決定されてもよく、第２の送信リソースは、第２のリソースセットから決定されてもよい。
【０１３３】
他の例では、第１のリソースセット及び第２のリソースセットは異なる。したがって、第１の送信リソースは、第１のリソースセットの第１のリソースサブセットから決定されてもよく、第２の送信リソースは、第２のリソースセットの第２のリソースサブセットから決定されてもよい。代替として、第１の送信リソースは、第１のリソースセットから決定され、第２の送信リソースは、第２のリソースセットの第２のリソースサブセットから決定される。代替として、第１の送信リソースは、第１のリソースセットの第１のリソースサブセットから決定され、第２の送信リソースは、第２のリソースセットから決定される。
【０１３４】
他の例では、第１のリソースセット及び第２のリソースセットは同じリソースセットである。したがって、第１の送信リソースは、第１のリソースセットの第１のリソースサブセットから決定されてもよく、第２の送信リソースは、第２のリソースセットの第２のリソースサブセットから決定されてもよい。代替として、第１の送信リソースは、第１のリソースセットから決定され、第２の送信リソースは、第２のリソースセットの第２のリソースサブセットから決定される。代替として、第１の送信リソースは、第１のリソースセットの第１のリソースサブセットから決定され、第２の送信リソースは、第２のリソースセットから決定される。
【０１３５】
本発明の実施例では、リソースサブセットが含まれる場合についてより詳細に説明する。図３（ａ）に示すように、第１のリソースセット及び第２のリソースセットが同じリソースセットであり、図３（ｅ）及び図３（ｆ）に示すように、第１のリソースサブセットが第１のリソースセットのサブセットであり、第２のリソースサブセットが第２のリソースセットのサブセットであることが仮定される。
【０１３６】
第１のリソースセット内の第１のリソースサブセットの時間周波数リソース位置は予め規定されてもよく、或いはシグナリングを使用することにより指示されてもよく、第２のリソースセット内の第２のリソースサブセットの時間周波数リソース位置も予め規定されてもよく、或いはシグナリングを使用することにより指示されてもよい。
【０１３７】
第１のリソースセット及び第２のリソースセットは同じリソースセットである。この場合、第１のリソースセット及び第２のリソースセットの双方は、リソースセットと呼ばれてもよい。リソースセットがN個の物理リソースブロック（Physical  Resource  Block,  PRB）を含み、N個のPRBが{0,1,2,...,N-1}として表されてもよいことが仮定される。
【０１３８】
第１のリソースサブセットの位置及び／又は第２のリソースサブセットの位置、例えば、リソースセット内の時間周波数リソース位置がリソースセット内で指定された場合、UEは、決定された位置に基づいてブラインド検出を実行できる。これは、ブラインド検出数を低減し、複雑性を低減できる。
【０１３９】
例では、第１のリソースサブセット及び／又は第２のリソースサブセットの周波数ドメイン位置は、リソースセット内で指定されてもよい。
【０１４０】
第２のリソースサブセットの周波数ドメイン位置又は時間ドメイン位置のみが、第２のリソースセット内で指定されてもよい。この場合、第１の送信リソースは、第１のリソースセットから決定されてもよく、第２の送信リソースは、第２のリソースサブセットから決定されてもよい。
【０１４１】
第１のリソースサブセットの周波数ドメイン位置又は時間ドメイン位置のみが、第１のリソースセット内で指定されてもよい。この場合、第１の送信リソースは、第１のリソースサブセットから決定されてもよく、第２の送信リソースは、第２のリソースセットから決定されてもよい。
【０１４２】
第１のリソースサブセットの周波数ドメイン位置又は時間ドメイン位置は、第１のリソースセット内で指定されてもよく、第２のリソースサブセットの周波数ドメイン位置又は時間ドメイン位置は、第２のリソースセット内で指定されてもよい。この場合、第１の送信リソースは、第１のリソースサブセットから決定されてもよく、第２の送信リソースは、第２のリソースサブセットから決定されてもよい。
【０１４３】
図３（ｅ）は、リソースセット内で第１のリソースサブセット及び第２のリソースサブセットにより占有される周波数ドメイン位置を示し、第１のリソースサブセット及び第２のリソースサブセットは、異なる周波数ドメイン位置を占有する。
【０１４４】
さらに、第１のリソースサブセット及び第２のリソースサブセットは、周波数ドメインにおいて隣接してもよく、或いは隣接しなくてもよい。これは本発明では限定されない。
【０１４５】
図３（ｅ）は、単なる例を示しているに過ぎず、第１のリソースサブセット及び／又は第２のリソースサブセットは、不連続な周波数ドメイン位置を占有してもよい点に留意すべきである。
【０１４６】
例えば、図３（ｅ）に示すように、第１のリソースサブセットは連続した周波数ドメイン位置を占有し、第２のリソースサブセットは連続した周波数ドメイン位置を占有し、第１のリソースサブセット及び第２のリソースサブセットは、周波数ドメインにおいて隣接しない。
【０１４７】
他の例では、第２のリソースサブセットは、リソースセットの第i1、第(i1+M1)、第(i1+2*M1)、...、第(i1+k1*M1)のサブキャリアを占有する。i1及びM1の値は予め規定されてもよく、或いはシグナリングを使用することにより基地局により指示されてもよい。通常では、0≦i1＜M1であり、i1及びM1は整数である。
【０１４８】
任意選択で、第１のリソースサブセットが、リソースセットの第i2、第(i2+M2)、第(i2+2*M2)、...、第(i2+k2*M2)のサブキャリアを占有することが示されてもよい。i2及びM2の値は予め規定されてもよく、或いはシグナリングを使用することにより基地局により指示されてもよい。通常では、0≦i2＜M2であり、i2及びM2は整数である。
【０１４９】
図３（ｆ）は、リソースセット内で第１のリソースサブセット及び第２のリソースサブセットにより占有される時間ドメイン位置を示し、第１のリソースサブセット及び第２のリソースサブセットは、異なる時間ドメイン位置を占有する。
【０１５０】
さらに、第１のリソースサブセット及び第２のリソースサブセットは、時間ドメインにおいて隣接してもよく、或いは隣接しなくてもよい。これは本発明では限定されない。
【０１５１】
図３（ｆ）は、単なる例を示しているに過ぎず、第１のリソースサブセット及び／又は第２のリソースサブセットは、不連続な時間ドメイン位置を占有してもよい点に留意すべきである。
【０１５２】
例えば、図３（ｅ）に示すように、第１のリソースサブセットは連続した時間ドメイン位置を占有し、第２のリソースサブセットは連続した時間ドメイン位置を占有し、第１のリソースサブセット及び第２のリソースサブセットは、時間ドメインにおいて隣接しない。
【０１５３】
他の例では、第２のリソースサブセットは、リソースセットの第i3、第(i3+M3)、第(i3+2*M3)、...、第(i3+k3*M3)のシンボル（又はサブフレーム）を占有する。i3及びM3の値は予め規定されてもよく、或いはシグナリングを使用することにより基地局により指示されてもよい。通常では、0≦i3＜M3であり、i3及びM3は整数である。
【０１５４】
任意選択で、第１のリソースサブセットが、リソースセットの第i4、第(i4+M4)、第(i4+2*M4)、...、第(i4+k4*M4)のシンボル（又はサブフレーム）を占有することが示されてもよい。i4及びM4の値は予め規定されてもよく、或いはシグナリングを使用することにより基地局により指示されてもよい。通常では、0≦i4＜M4であり、i4及びM4は整数である。
【０１５５】
例えば、i1及びM1が第２のリソースセット内の第２のリソースサブセットの周波数ドメイン位置を指定するために使用される場合、第１の送信リソースは、第１のリソースセットから決定されてもよく、第２の送信リソースは、第２のリソースサブセットから決定されてもよい。i1=1且つM1=4であることが仮定される。この場合、第１のUEは、第２のリソースサブセットにより占有されるサブキャリアの系列番号が{1,5,9,13...}であると決定してもよい。この場合、第１のリソースセットに対して実行されるブラインド検出数はNであり、第２のリソースサブセットに対して実行されるブラインド検出数はN/M1であり、ブラインド検出総数はN+N/M1であることが習得できる。したがって、第２のリソースサブセットに対して実行されるブラインド検出数は、第２のリソースサブセットに対して実行される元のブラインド検出数の1/M1に低下し、ブラインド検出の複雑性を大きく低減する。
【０１５６】
例えば、i1及びM1が第２のリソースセット内の第２のリソースサブセットの周波数ドメイン位置を指定するために使用され、i2及びM2が第１のリソースセット内の第１のリソースサブセットの周波数ドメイン位置を指定するために使用される場合、第１の送信リソースは、第１のリソースサブセットから決定されてもよく、第２の送信リソースは、第２のリソースサブセットから決定されてもよい。i1=1、M1=4、i2=0且つM2=4であることが仮定される。この場合、第１のUEは、第１のリソースサブセットにより占有されるサブキャリアの系列番号が{0,4,8,12...}であり、第２のリソースサブセットにより占有されるサブキャリアの系列番号が{1,5,9,13...}であると決定してもよい。この場合、第１のリソースサブセットに対して実行されるブラインド検出数はN/M2であり、第２のリソースサブセットに対して実行されるブラインド検出数はN/M1であり、ブラインド検出総数はN/M2+N/M1であることが習得できる。したがって、第１のリソースサブセットに対して実行されるブラインド検出数は、第１のリソースサブセットに対して実行される元のブラインド検出数の1/M2に低下し、第２のリソースサブセットに対して実行されるブラインド検出数は、第２のリソースサブセットに対して実行される元のブラインド検出数の1/M1に低下し、ブラインド検出の複雑性を大きく低減する。さらに、M1=M2=2であるとき、ブラインド検出総数はNであり、これは、第２のリソースサブセットが存在しないときに実行されるブラインド検出総数と等しいことが理解できる。さらに、第１のリソースサブセット及び第２のリソースサブセットに対して課されるより大きい制限数は、より小さいブラインド検出数を示すが、より少ない利用可能なリソースも示すことが理解できる。したがって、基地局は、ブラインド検出数及び利用可能なリソース数に基づいて最適化を実行し、利用可能なリソースの要件を満たしつつ、できるだけブラインド検出数を低減してもよい。
【０１５７】
本発明の実施例では、UEタイプと送信方式との間の対応関係は、表２に示されてもよい。対応関係は、予め規定されてもよく、或いはシグナリングを使用することにより基地局により指示されてもよい。
【表２】
2020092446.tif 000004
図４は、本発明の実施例による情報送信方法のフローチャートである。図４に示す方法は、第１のUEにより実行されてもよい。第１のUEは、図２に示すUE41でもよい。方法は以下のステップを含む。
【０１５８】
S101：第１のUEは、第１のUEの第１の速度情報を決定する。
【０１５９】
本発明のこの実施例では、第１の速度情報は、第１のUEの速度を示すために使用されてもよい。任意選択で、第１の速度情報は、速度等級の形式で第１のUEの速度を示すために使用されてもよい。ここで、第１のUEの速度は絶対速度でもよく、或いは他のUE又は複数の他のUEと相対的な相対速度でもよく、或いは地面と相対的な第１のUEの加速度又は他のUE若しくは複数の他のUEと相対的な加速度でもよい。これは本発明では限定されない。
【０１６０】
実施例では、第１の速度情報は、第１のUEの絶対速度を示すために使用される。
【０１６１】
任意選択で、第１のUEは、GNSSモードで第１の速度情報を取得してもよい。代替として、第１のUEは、第１の基地局により指示された情報を使用することにより第１の速度情報を取得してもよい。
【０１６２】
任意選択で、第１のUEが物理レイヤにおける通信モジュールである場合、第１のUEは、他のレイヤからの指示情報に基づいて第１の速度情報を取得してもよい。
【０１６３】
任意選択で、第１のUEは、対応する速度測定装置を使用することにより、第１の速度情報を決定してもよい。例えば、第１のUEがOBUである場合、第１のUEは、エンジンモジュール、ギアボックスモジュール、又は速度を電気的に制御する他のモジュールのような車内の対応するモジュールを使用することにより、第１の速度情報を決定してもよい。例えば、測定された第１のUEの現在速度はvであり、速度の単位はkm/h又はmiles/hである。
【０１６４】
他の実施例では、第１の速度情報は、他のUE（例えば、第２のUE）と相対的な第１のUEの相対速度を示すために使用される。
【０１６５】
任意選択で、第１のUEは、まず第１のUE自体の絶対速度（すなわち、第１のUEの絶対速度）を決定し、次に、第２のUEから送出された信号又はデータパケットを測定又は解析することにより、第２のUEの速度情報及び／又は位置情報を取得してもよい。第１のUEは、その情報に基づいて第２のUEと相対的な第１のUEの相対速度についての情報を更に決定してもよい。ここで、第２のUEは１つのUEでもよく、或いは複数の異なるUEでもよい。第２のUEが複数の異なるUEである場合、相対速度は、複数のUEと相対的な速度の加重値、例えば、算術加重平均値及び幾何加重平均値である。
【０１６６】
任意選択で、第１のUEが物理レイヤにおける通信モジュールである場合、第１のUEは、他のレイヤからの指示情報に基づいて第１の速度情報を取得してもよい。
【０１６７】
S102：第１のUEは、第１の速度情報に基づいて制御情報の送信方式を決定する。
【０１６８】
第１のUEは、第１のUEの第１の速度情報に基づいて第１のUEのタイプを決定し、すなわち、第１のUEが第１のタイプのUE又は第２のタイプのUEであると決定してもよい。
【０１６９】
任意選択で、第１の速度情報が、第１のUEの速度が予め設定された速度閾値未満であることを示す場合、第１のUEは第１のタイプのUEである。第１の速度情報が、第１のUEの速度が予め設定された速度閾値以上であることを示す場合、第１のUEは第２のタイプのUEである。
【０１７０】
代替として、第１の速度情報が、第２のUEと相対的な第１のUEの相対速度が予め設定された速度閾値未満であることを示す場合、第１のUEは第１のタイプのUEである。第１の速度情報が、第２のUEと相対的な第１のUEの相対速度が予め設定された速度閾値以上であることを示す場合、第１のUEは第２のタイプのUEである。
【０１７１】
任意選択で、第１の速度情報が、第１のUEの速度等級が予め設定された等級閾値より低いことを示す場合、第１のUEは第１のタイプのUEである。第１の速度情報が、第１のUEの速度等級が予め設定された等級閾値より高い或いはそれと等しいことを示す場合、第１のUEは第２のタイプのUEである。第１のUEの速度等級は、第１のUEの速度に基づいて決定され、第１のUEの速度は、絶対速度又は相対速度でもよい。
【０１７２】
速度閾値及び／又は速度等級閾値は予め規定されてもよく、或いはシグナリングを使用することにより第１の基地局により指示されてもよい。ここで、第１の基地局は、第１のUEのサービング基地局でもよい。例えば、第１の基地局は、図２に示すeNB10でもよく、或いは基地局機能を有するRSUでもよい。これは本発明では限定されない。
【０１７３】
実現方式では、本発明のこの実施例における制御情報は、第３の制御チャネルで搬送される。例えば、第３の制御チャネルはPSCCHでもよく、或いは物理サイドリンクブロードキャストチャネル（Physical  Sidelink  Broadcast  Channel,  PSBCH）でもよい。
【０１７４】
第３の制御チャネルがPSBCHである場合、ステップS102の前に、PSBCHで搬送される制御情報の送信方式は、第１のUEに設定されてもよく、対応して、ステップS102において、第１のUEは、予め設定された送信方式を取得してもよい。任意選択で、ステップS102において決定される制御情報の送信方式は、第３の送信リソースを含んでもよい。
【０１７５】
任意選択で、制御情報を搬送する第３の制御チャネルは、サービスタイプを示すために使用されてもよい。サービスはセキュリティサービス及び非セキュリティサービスを含んでもよい。セキュリティサービスは、例えば、公共安全又はインテリジェント交通システム（Intelligent  Transportation  Systems,  ITS）に使用されるセキュリティサービス、すなわち、ITS-safetyでもよい。非セキュリティサービスは、例えば、ITSにおける非セキュリティサービス、すなわち、non-ITS-safetyでもよく、或いは非公共安全サービス、すなわち、一般のデータ送信サービスでもよい。対応して、サービスタイプはセキュリティタイプ又は非セキュリティタイプでもよい。
【０１７６】
例えば、サービスタイプは、制御情報により示されてもよい。言い換えると、制御情報はサービスタイプを示すために使用され、サービスタイプはセキュリティタイプ又は非セキュリティタイプである。
【０１７７】
例えば、サービスタイプは、第３の制御チャネル内の1ビットのフィールド、予め規定されたCRCマスク、予め規定されたスクランブル系列、予め規定されたDMRS、予め規定された送信リソース等を使用することにより示されてもよい。
【０１７８】
具体的には、1ビットのフィールドに示される「1」は、セキュリティサービスを示すために、「0」は、非セキュリティサービスを示すために使用されてもよい。
【０１７９】
代替として、具体的には、全てが「1」のCRCマスクは、セキュリティサービスを示すために使用されてもよく、全てが「0」のCRCマスクは、非セキュリティサービスを示すために使用されてもよい。
【０１８０】
代替として、具体的には、予め規定されたDMRSは、セキュリティサービスを示すために使用される。例えば、制御情報内で送出されるDMRS系列は２つのグループに分割され、一方のグループは、セキュリティサービスを示すために使用され、他方のグループは、非セキュリティサービスを示すために使用される。制御情報はPSCCHで搬送されてもよく、或いはPSBCHで搬送されてもよい。２つのグループのDMRSは、異なるサイクリックシフトを有する２つのグループのDMRS系列でもよく、或いは異なるルート系列番号を有する２つのグループのDMRS系列でもよく、或いは異なるOCCを有する２つのグループのDMRS系列でもよい。
【０１８１】
代替として、具体的には、異なるリソースは、セキュリティサービスを示すために使用される。ここで、リソースは、異なる時間ドメインリソース又は異なる周波数ドメインリソースでもよく、或いは制御情報の送信周期又は間隔でもよい。異なる送信周期及び異なる送信間隔は、セキュリティサービス及び非セキュリティサービスに対応する。
【０１８２】
任意選択で、本発明のこの実施例では、図４に示す方法は、第１のUEにより、第１のリンク上で同期信号を送出することを更に含んでもよい。同期信号はサイドリンク同期信号（Sidelink  Synchronization  Signal,  SLSS）でもよい。
【０１８３】
この場合、第１のUEにより送出された同期信号が他のUE（例えば、第２のUE）により検出された場合、第２のUEは、第１のUEを第２のUEの同期源として選択してもよく、第２のUEは、第１のUEにより送出された同期信号に基づいて第１のUEと同期を完了してもよい。
【０１８４】
任意選択で、同期信号は、サービスタイプを示すために使用されてもよい。サービスタイプはセキュリティタイプ又は非セキュリティタイプでもよい。
【０１８５】
例えば、同期信号送信周期又は間隔は、サービスタイプを示すために使用されてもよい。例えば、周期閾値が設定されてもよく、同期信号の送信周期が周期閾値より大きいとき、サービスタイプはセキュリティタイプであり、同期信号の送信周期が周期閾値以下であるとき、サービスタイプは非セキュリティタイプである。例えば、間隔閾値が設定されてもよく、同期信号の送信間隔が間隔閾値より大きいとき、サービスタイプはセキュリティタイプであり、同期信号の送信間隔が間隔閾値以下であるとき、サービスタイプは非セキュリティタイプである。これは本発明では限定されない。
【０１８６】
例えば、異なるプライマリ同期信号の組み合わせは、サービスタイプを示すために使用されてもよい。代替として、異なるセカンダリ同期信号の組み合わせは、サービスタイプを示すために使用されてもよい。代替として、プライマリ同期信号とセカンダリ同期信号との組み合わせは、サービスタイプを示すために使用されてもよい。例えば、２つのプライマリ同期信号の異なる系列の組み合わせ及び／又は２つの異なるセカンダリ同期信号の異なる系列の組み合わせは、サービスタイプ及び非サービスタイプを示すために使用される。例えば、２つのプライマリ同期信号の系列が同じであるとき、サービスはセキュリティサービスであり、２つのプライマリ同期信号の系列が異なるとき、サービスは非セキュリティサービスである。他の例では、２つのプライマリ同期信号の系列が同じであるとき、サービスは非セキュリティサービスであり、２つのプライマリ同期信号の系列が異なるとき、サービスはセキュリティサービスである。同様に、プライマリ同期信号の系列に対して実行されるものと同じ動作が、指示のために２つのセカンダリ同期信号の系列に対して実行されてもよい。ここでは列挙は更に提供されない。
【０１８７】
任意選択で、異なるプライマリ同期信号系列は、セキュリティサービス及び非セキュリティサービスをそれぞれ示すために使用されてもよく、及び／又は異なるセカンダリ同期信号系列は、セキュリティサービス及び非セキュリティサービスをそれぞれ示すために使用されてもよい。
【０１８８】
例えば、２つのグループのプライマリ同期信号系列が規定されてもよく、第１のグループのプライマリ同期信号系列及び第２のグループのプライマリ同期信号系列は異なり、セキュリティサービス及び非セキュリティサービスをそれぞれ示すために使用される。例えば、第１のグループのプライマリ同期信号系列は、ルート系列番号が26及び37であるZadoff-Chu系列を含み、第２のグループのプライマリ同期信号系列は、ルート系列番号が26又は37でない１つ以上のZadoff-Chu系列を含む。
【０１８９】
例えば、２つのグループのセカンダリ同期信号系列が規定されてもよく、第１のグループのセカンダリ同期信号系列及び第２のグループのセカンダリ同期信号系列は異なり、セキュリティサービス及び非セキュリティサービスをそれぞれ示すために使用される。例えば、第１のグループのセカンダリ同期信号系列の識別子の値の範囲は[0,83]であり、第２のグループのセカンダリ同期信号系列の識別子の値の範囲は[84,167]である。他の例では、第１のグループのセカンダリ同期信号系列の識別子の値の範囲は[0,167]であり、第２のグループのセカンダリ同期信号系列の識別子の値の範囲は[168,335]である。
【０１９０】
任意選択で、制御情報を搬送する第３の制御チャネルは、以下の情報、すなわち、第１のUEが同期源であるか否か、及び第１のUEの同期源の識別子のうち少なくとも１つを更に示してもよい。
【０１９１】
第１のUEの同期源が第１の基地局である場合、第１のUEの同期源の識別子は、第１の基地局の物理セル識別子であり、或いは第１のUEの同期源がGNSSである場合、第１のUEの同期源の識別子は、GNSSに対応する予め規定された識別子である。
【０１９２】
本発明のこの実施例では、GNSSに対応する予め規定された識別子は、事前にGNSSのために設定されてもよく、例えば、-1のような負の数でもよく、或いは、例えば、336又は400のような既存の第１のリンクのサービスセット識別子（Service  Set  Identifier,  SSID）より大きい値でもよく、或いは、例えば、0と335との間の予め規定された識別子でもよいことが理解できる。これは本発明では限定されない。
【０１９３】
第１のUEが同期源として使用されてもよいか否かは、明示的又は暗示的に示されてもよい。例えば、第１のUEが同期源として使用されてもよいか否かは、制御情報により示されてもよい。言い換えると、制御情報は、第１のUEが同期源であるか否かを示すために使用されてもよい。例えば、第１のUEの同期源の識別子は、制御情報により示されてもよい。言い換えると、制御情報は、第１のUEの同期源の識別子を示すために使用されてもよい。
【０１９４】
他の例では、第１のUEが同期源として使用されてもよいか否かは、第３の制御チャネル内の特定のフィールドを使用することにより示されてもよい。特定のフィールドがフィールドAであると仮定すると、フィールドAは1に設定されてもよく、これは、第１のUEが同期源として使用されてもよいことを示す。フィールドAは0に設定されてもよく、これは、第１のUEが同期源として使用できないことを示す。
【０１９５】
第１のUEの同期源の識別子は、第３の制御チャネル内の他の特定のフィールドを使用することにより示されてもよい。任意選択で、第１のUEの同期源がGNSSである場合、他の特定のフィールドは1に設定されてもよい。第１のUEの同期源がGNSSでない場合、他の特定のフィールドは0に設定されてもよい。代替として、任意選択で、第１のUEの同期源が第１の基地局である場合、第１のUEの同期源の識別子は、第１の基地局の物理セル識別子である。第１のUEの同期源がGNSSである場合、第１のUEの同期源の識別子は、GNSSに対応する予め規定された識別子である。第１のUEの同期源が他のUE（例えば、第３のUE又は第４のUE）である場合、第１のUEの同期源の識別子は、他のUEの識別子又は他のUEの同期信号識別子である。
【０１９６】
第１のUEの同期源の識別子を示す他の特定のフィールドがフィールドBであることを仮定すると、フィールドBは-1に設定されてもよく、これは、第１のUEの同期源がGNSSであることを示す。
【０１９７】
第３の制御チャネルが、第１のUEが同期源として使用されてもよいことを更に示し、第１のUEが第１のリンク上で同期信号を送出する場合、制御情報及び同期信号を受信した他のUE（例えば、第２のUE）は、第１のUEにより送出された制御情報及び同期信号に基づいて、第１のUEを第２のUEの同期源として選択してもよいことが理解できる。
【０１９８】
第３の制御チャネルが第１のUEの同期源の識別子を示す場合、この前に、方法が、第１のUEにより、第１のUEの同期源を決定することを更に含んでもよいことが理解できる。
【０１９９】
具体的には、第１のUEは、第１の速度情報に基づいて第１のUEの同期源を決定してもよい。
【０２００】
第１のUEが、第１の速度情報に基づいて、第１のUEが第１のタイプのUEであると決定した場合、第１のUEは、予め設定された情報に従って同期源を決定してもよい。
【０２０１】
例えば、予め設定された情報が、第１のタイプのUEの同期源が基地局であることを示す場合、第１のUEは、同期源が第１の基地局であると決定する。第１の基地局は、第１のUEのサービング基地局でもよい。
【０２０２】
第１のUEが第１のタイプのUEであり、予め設定された情報が、第１のUEの同期源が基地局であることを示す場合、第１のUEは、従来技術の方法を使用することにより、第１の基地局と同期を完了してもよく、詳細はここでは説明しない。
【０２０３】
例えば、予め設定された情報が、第１のタイプのUEの同期源がGNSSであることを示す場合、第１のUEは、同期源がGNSSであると優先的に決定する。
【０２０４】
例えば、予め設定された情報が、第１のタイプのUEの同期源がRSUであることを示す場合、第１のUEは、同期源がRSUであると決定する。
【０２０５】
第１のUEが、第１の速度情報に基づいて、第１のUEが第２のタイプのUEであると決定した場合、第１のUEは、同期源がGNSSであると優先的に決定してもよい。代替として、第１のUEが、第１の速度情報に基づいて、第１のUEが第１のタイプのUEであり、予め設定された情報が、同期源がGNSSであることを示す場合、第１のUEは、同期源がGNSSであると優先的に決定してもよい。
【０２０６】
第１のUEが、同期源がGNSSであると優先的に決定することは、GNSS信号が第１のUEにより検出された場合、第１のUEがGNSSを同期源として使用し、GNSS信号が第１のUEにより検出されない場合、第１のUEが、同期源が第１の基地局又は第３のUEであると決定することを含んでもよい。第１の基地局は、第１のUEのサービング基地局であり、第３のUEは、GNSSと直接同期したUEである。
【０２０７】
具体的には、GNSS信号が第１のUEにより検出された場合、第１のUEは、GNSSを同期源として使用する。
【０２０８】
任意選択で、GNSS信号が検出されることは、信号強度が予め設定された信号強度閾値以上であるGNSS信号が検出されることを含む。
【０２０９】
任意選択で、GNSS信号が検出されることは、GNSS信号が現時点で検出されることを含んでもよい。
【０２１０】
代替として、GNSS信号が検出されることは、GNSS信号が検出されないとき、第１のUEがタイマを開始し、次にGNSS信号がタイマの持続時間内に検出されることを含んでもよい。
【０２１１】
GNSS信号が第１のUEにより検出されない場合、第１のUEは、タイマの持続時間内にGNSS信号を検出することを再び試みてもよく、それにより、第１のUEはできるだけGNSSと同期できることが習得できる。
【０２１２】
第１のUEが第２のタイプのUEである場合、第１のUEにより送信されるサービスチャネルの受信端は第２のUEであることが仮定される。第１のUEがサービスチャネルを送信するとき、第１のUE及び第２のUEが２つの異なる基地局と同期している場合、第１のUEと第２のUEとの間の相対車両速度が500km/hであるとき、5.9GHzにおける第１のリンク上での２つのUEの間の最大周波数偏差値は7.4kHzである。第１のUEがサービスチャネルを送信するとき、第１のUE及び第２のUEがGNSSに同期している場合、第１のUEと第２のUEとの間の相対車両速度が500km/hであるとき、5.9GHzにおける第１のリンク上での２つのUEの間の最大周波数偏差値は4.0kHzである。高速UEによる信号送出及び受信のために、高速UEはできるだけGNSSと同期すべきであることが習得できる。したがって、第１のUEが第２のタイプのUEであるとき、本発明のこの実施例では、第１のUEの同期源はGNSSとして優先的に決定され、それにより、第１のUEはできるだけGNSSと同期できる。これは、第１のリンク上でのサービス送信の周波数偏差を最小化し、第１のリンクの送信性能を確保し、パケット誤り率を低減し、カバレッジエリアを拡大できる。
【０２１３】
本発明の実施例におけるタイマは、第１の基地局により設定されてもよく、或いは予め規定されてもよく、或いは第１のUEの内部に実現されてもよい点に留意すべきである。例えば、第１のUEは、第１のUEの内部クロックに基づいて生成されたタイマの持続時間内の期間に、GNSSにロックされてもよい。タイマの持続時間は、UEの内部クロックの精度に依存してもよく、或いは基地局により設定されたシグナリングを使用することにより指示されてもよく、或いは予め規定されてもよい。例えば、持続時間は10分又は2分である。
【０２１４】
具体的には、GNSS信号が第１のUEにより検出されない場合、第１のUEは、第１の基地局又は第３のUEを同期源として使用してもよい。第１の基地局は、第１のUEのサービング基地局であり、第３のUEは、GNSSと直接同期したUEである。すなわち、第３のUEの同期源はGNSSである。
【０２１５】
第１のUEが第３のUEを同期源として使用することは、第１のUEが第３のUEにより送出された同期信号を受信し、第３のUEにより送出された同期信号に基づいて時間調整を実行することを含んでもよい。第３のUEにより送出された同期信号はサイドリンク同期信号（Sidelink  Synchronization  Signal,  SLSS）でもよい。
【０２１６】
任意選択で、GNSS信号が検出されないことは、GNSS信号が検出されないこと、又は信号強度が予め設定された信号強度閾値未満であるGNSS信号が検出されたことを含んでもよい。
【０２１７】
代替として、GNSS信号が検出されることは、GNSS信号が検出されないとき、第１のUEがタイマを開始し、GNSS信号がタイマの持続時間内に依然として検出されないことを含んでもよい。
【０２１８】
他の理解では、本発明のこの実施例では、第１のUEが第２のタイプのUEである場合、第１のUEは、予め規定された優先順序に従って同期源を決定してもよい。
【０２１９】
予め規定された優先順序は、GNSS→第１の基地局→第３のUE→第４のUEでもよい。代替として、予め規定された優先順序は、GNSS→第３のUE→第１の基地局→第４のUEでもよい。ここで、第３のUEは、GNSSに直接同期したUEであり、第４のUEはGNSSに直接同期していないUEであるか、或いは第４のUEはGNSSと間接的に同期したUEである。すなわち、第３のUEの同期源はGNSSであり、第４のUEの同期源はGNSSでない。
【０２２０】
具体的には、第１のUEにより受信された上位優先度信号の信号品質が性能要件を満たさない場合、次に低い優先度のデバイスが同期源として使用される。代替として、第１のUEにより受信された上位優先度信号の信号品質が性能要件を満たさない場合、タイマが開始され、タイマが満了する前に信号品質が依然として性能要件を満たさない場合、タイマが満了した後に、次に低い優先度のデバイスが同期源として使用される。
【０２２１】
異なる優先度のタイマに設定される持続時間は等しくてもよく、或いは等しくなくてもよいことが理解できる。これは本発明では限定されない。例えば、第１のタイマは、GNSSと同期するプロセスで使用されてもよく、第２のタイマは、第１の基地局と同期するプロセスで使用されてもよく、第３のタイマは、第３のUEと同期するプロセスで使用されてもよく、第４のタイマは、第４のUEと同期するプロセスで使用されてもよい。
【０２２２】
優先順序がGNSS→第１の基地局→第３のUE→第４のUEである場合、GNSS信号が第１のUEにより検出されないとき、同期源を決定するプロセスは以下を含んでもよい。
【０２２３】
第１のUEは、第１の基地局を同期源として使用することを試みる。第１のUEの試行が成功した場合、第１のUEは、第１の基地局を同期源として使用し、第１のUEの試行が失敗し、第３のUEの同期信号が第１のUEにより検出された場合、第１のUEは、第３のUEを同期源として使用し、第１のUEの試行が失敗し、第３のUEの同期信号が第１のUEにより検出されない場合、第１のUEは、第４のUEを同期源として使用する。
【０２２４】
優先順序がGNSS→第３のUE→第１の基地局→第４のUEである場合、GNSS信号が第１のUEにより検出されないとき、同期源を決定するプロセスは以下を含んでもよい。
【０２２５】
第３のUEの同期信号が第１のUEにより検出された場合、第１のUEは、第３のUEを同期源として使用する。第３のUEの同期信号が第１のUEにより検出されない場合、第１のUEは、第１のUEは、第１の基地局を同期源として使用することを試みる。第１のUEの試行が成功した場合、第１のUEは、第１の基地局を同期源として使用し、第１のUEの試行が失敗した場合、第１のUEは、第４のUEを同期源として使用する。
【０２２６】
他の実現方式では、本発明のこの実施例における制御情報は第１の制御チャネル又は第２の制御チャネルで搬送される。すなわち、制御情報を搬送する制御チャネルは第１の制御チャネル又は第２の制御チャネルでもよい。例えば、第１の制御チャネルは第１のPSCCHでもよく、第２の制御チャネルは第２のPSCCHでもよい。
【０２２７】
第１のUEが第１のタイプのUEである場合、制御情報は第１の制御チャネルで搬送される。第１のUEが第２のタイプのUEである場合、制御情報は第２の制御チャネルで搬送される。
【０２２８】
具体的には、第１のUEが、第１の速度情報に基づいて、第１のUEが第１のタイプのUEであると決定した場合、第１のUEは、送信方式が第１の送信方式であると決定してもよい。第１のUEが、第１の速度情報に基づいて、第１のUEが第２のタイプのUEであると決定した場合、第１のUEは、送信方式が第２の送信方式であると決定してもよい。
【０２２９】
任意選択で、実施例では、第１の送信方式及び第２の送信方式は予め規定されてもよい。例えば、第１の送信方式及び第２の送信方式は、第１のUEに予め設定されてもよく、或いは第１の送信方式及び第２の送信方式は、プロトコルにおいて事前に指定されてもよい。
【０２３０】
例えば、第１の送信方式での送信リソースは第１の送信リソースとして予め設定されてもよく、第２の送信方式での送信リソースは第２の送信リソースとして予め設定されてもよい。
【０２３１】
第１の送信リソースは、第１のリソースセットからのものでもよく、第２の送信リソースは、第２のリソースセットからのものでもよい。代替として、第１の送信リソースは、第１のリソースセットの第１のリソースサブセットからのものでもよく、第２の送信リソースは、第２のリソースセットの第２のリソースサブセットからのものでもよい。
【０２３２】
本発明のこの実施例では、第１のリソースセット及び第２のリソースセットは予め規定されてもよい。代替として、第１のリソースサブセット及び第２のリソースサブセットは予め規定されてもよい。第１のリソースセット及び第２のリソースセットが予め規定されてもよく、同時に、第１のリソースセット内の第１のリソースサブセットの位置が予め規定されてもよく、第２のリソースセット内の第２のリソースサブセットの位置が予め規定されてもよい。
【０２３３】
任意選択で、第１のリソースセット及び第２のリソースセットは２つの異なるリソースセットでもよく、或いは第１のリソースセット及び第２のリソースセットは同じリソースセットでもよく、或いは第２のリソースセットは第１のリソースセットのサブセットでもよい。
【０２３４】
例えば、第１の送信方式でのスクランブル系列は、第１のスクランブル系列として予め設定されてもよく、第２の送信方式でのスクランブル系列は、第２のスクランブル系列として予め設定されてもよい。
【０２３５】
例えば、第１の送信方式でのCRCマスクは、第１のCRCマスクとして予め設定されてもよく、第２の送信方式でのCRCマスクは、第２のCRCマスクとして予め設定されてもよい。
【０２３６】
このように、ステップS102において、第１のUEは、予め規定された第１の送信方式及び第２の送信方式を取得し、第１の速度情報に基づいて、制御情報の送信方式が第１の送信方式又は第２の送信方式であると決定してもよい。
【０２３７】
任意選択で、他の実施例では、第１の送信方式及び第２の送信方式は、第１の基地局のシグナリング指示に基づいて決定されてもよい。ここで、第１の基地局は、図２に示すeNB10、又は基地局機能を有するRSUでもよい。これは本発明では限定されない。
【０２３８】
例えば、第１の送信方式は第１の送信リソースを含み、第２の送信方式は第２の送信リソースを含む。本発明のこの実施例では、ステップS102の前に、方法は、第１のUEにより、第１の基地局により送出された第１の指示情報を受信し、第１の指示情報は、第１のリソースセット及び第２のリソースセットを示すために使用されることを含んでもよい。さらに、ステップS102において、第１のUEは、第１の指示情報及び第１の速度情報に基づいて制御情報の送信方式を決定してもよい。
【０２３９】
任意選択で、第１の指示情報は、マルチキャスト方式又はブロードキャスト方式で第１の基地局により送出されてもよい。第１の指示情報は、第１の基地局によりサービス提供されるセル内のいくつかのUE又は全てのUEに、第２のリンク上で第１の基地局により送出されてもよい。ここで、いくつかのUEは第１のUEを含む。
【０２４０】
任意選択で、第１の指示情報は、無線リソース制御（Radio  Resource  Control,  RRC）シグナリング又はシステム情報ブロック（System  Information  Block,  SIB）を使用することにより、第１の基地局により送出されてもよい。
【０２４１】
任意選択で、第１の指示情報は、ダイナミックシグナリングを使用することにより、下りリンク制御情報（Downlink  Control  Information,  DCI）内に第１の基地局により指示されてもよい。例えば、DCIは、物理下りリンク制御チャネル（Physical  Downlink  Control  Channel,  PDCCH）内のDCIでもよく、専用のDCIでもよい。例えば、DCI内の特定のフィールドは、予め設定されたリソースが高速又は低速UEに使用されることを示すために使用される。具体的には、DCI内の1ビットは、DCIにより示される送信リソース、又はRRCシグナリング及び／又はSIB内に示される送信リソースが高速UE又は低速UEに使用されることを示すために使用されてもよい。
【０２４２】
例では、第１の送信方式は第１の送信リソースを含み、第２の送信方式は第２の送信リソースを含む。第１の送信リソースは、第１のリソースセット又は第１のリソースセットの第１のリソースサブセットからのものでもよい。第２の送信リソースは、第２のリソースセット又は第２のリソースセットの第２のリソースサブセットからのものでもよい。本発明のこの実施例における第１の指示情報は、第１のリソースセット又は第２のリソースセットを示すために使用されてもよい。
【０２４３】
対応して、ステップS102は、第１のUEが第１のタイプのUEである場合、第１のUEにより、第１の指示情報に基づいて、第１のリソースセット又は第１のリソースセットの第１のリソースサブセットから第１の送信リソースを決定し、それにより、第１の送信方式を決定し、第１のUEが第２のタイプのUEである場合、第１のUEにより、第１の指示情報に基づいて、第２のリソースセット又は第２のリソースセットの第２のリソースサブセットから第２の送信リソースを決定し、それにより、第２の送信方式を決定することを含む。
【０２４４】
任意選択で、第１の基地局は、第１の基地局によりサービス提供されるセル内のUEの速度情報に基づいて、いつ第１の指示情報を送出するか、又はいつどのように第１の指示情報を送出するかを決定してもよい。
【０２４５】
本発明のこの実施例では、ステップS102の前に、方法は、第１のUEにより、第１の速度情報を第１の基地局に送出し、第１の基地局により送出された第１の指示情報を受信することを含んでもよいことが理解できる。さらに、ステップ102において、第１のUEは、第１の速度情報及び第１の指示情報に基づいて制御情報の送信方式を決定する。
【０２４６】
具体的には、第１のUEは、第２のリンク上で第１の速度情報を第１の基地局に送出してもよい。
【０２４７】
任意選択で、第１のUEは、第２のリンク上で第１の速度情報を第１の基地局に周期的に送出してもよい。代替として、第１のUEの速度が変化したとき（例えば、低速から高速に変化したとき、或いは高速から低速に変化したとき）、第１のUEは、第２のリンク上で第１の速度情報を第１の基地局に送出してもよい。代替として、第１の基地局から第１のUEの速度情報を報告する命令を受信した後に、第１のUEは、第２のリンク上で第１の速度情報を第１の基地局に送出してもよい。
【０２４８】
例では、第１のUEは、第１のUEの速度情報を第１の基地局に直接送出してもよい。ここで、速度は第１のUEの絶対速度でもよく、或いは他のUEと相対的な第１のUEの相対速度でもよい。具体的には、第１のUEは、第２のリンク上で第１のUEの速度情報を第１の基地局に送出してもよい。
【０２４９】
他の例では、第１のUEは、第１のUEの速度等級情報を第１の基地局に送出してもよい。具体的には、第１のUEは、第２のリンク上で第１のUEの速度等級情報を第１の基地局に送出してもよい。
【０２５０】
他の例では、第１のUEは、第１のUEの位置情報を第１の基地局に送出してもよい。具体的には、第１のUEは、第２のリンク上で第１のUEの位置情報を第１の基地局に送出してもよい。この場合、第１の基地局は、第１の基地局により少なくとも２回報告された位置情報、時間間隔等に基づいて、第１のUEの速度情報を決定してもよい。
【０２５１】
他の例では、第１のUEは、第１のUEの加速度を第１の基地局に送出してもよい。具体的には、第１のUEは、第２のリンク上で第１のUEの加速度情報を第１の基地局に送出してもよい。この場合、第１の基地局は、加速度に基づいて第１のUEの速度を予測してもよい。
【０２５２】
第１の基地局のサービス範囲内の他のUEも、速度を報告するプロセスを実行してもよいことが理解できる。
【０２５３】
この場合、第１の基地局は、受信した速度情報に基づいて、いつ第１の指示情報を送出するか、又はいつどのように第１の指示情報を送出するかを決定してもよい。
【０２５４】
例えば、第１の基地局が、UEの報告に基づいて、速度が予め設定された速度閾値値以上（又は予め設定された等級閾値以上）である複数のUEが存在すると決定し、複数のUEがセル内に分散している（例えば、いくつかのUEがセルの中心に位置し、いくつかのUEがセルの端に位置する）場合、第１の基地局は、第１の指示情報がブロードキャスト方式で送出されると決定してもよい。
【０２５５】
例えば、第１の基地局が第１のUEからの報告のみを受信し、第１のUEの速度が予め設定された速度閾値以上（又は予め設定された等級閾値以上）である場合、第１の基地局は、物理下りリンク制御チャネル（Physical  Downlink  Control  Channel,  PDCCH）内のDCIを使用することにより、第１の指示情報を第１のUEに送出してもよい。
【０２５６】
他の実現方式では、例えば、第１の基地局が、UEからの報告に基づいて、速度が予め設定された速度閾値以上（又は予め設定された等級閾値以上）であるUEが存在せず、すなわち、セル内の全てのUEが低速UE（又は非高速UE）であると決定した場合、第１の基地局は、第１の指示情報を送出しなくてもよいことが理解できる。第１の基地局は、高速UEが存在しないことを示すために使用される指示情報を送出してもよい。代替として、基地局は、第１の送信方式のみを示してもよい。
【０２５７】
明示的な指示方式では、フィールドが指示のために使用される。例えば、1ビットのフィールドが指示のために使用されてもよい。例えば、「1」は高速UEが存在することを示し、「0」は高速UEが存在しないことを示す。
【０２５８】
任意選択で、本発明のこの実施例では、ステップS102の前に、第１のUEが第２のタイプのUEである場合、第１のUEは、第１の速度情報を第１の基地局に送出する。次に、第１のUEは、第１の基地局により送出された第１の指示情報を受信してもよい。さらに、ステップS102において、第１のUEは、第１の速度情報及び第１の指示情報に基づいて制御情報の送信方式を決定する。
【０２５９】
制御情報が第１の制御チャネル又は第２の制御チャネルで搬送される場合、図４に示す方法は、第１のUEにより、第１のUEの同期源を決定することを更に含んでもよい。さらに、このステップは、ステップS102の前又は後に実行されてもよい。これは本発明では限定されない。
【０２６０】
具体的には、第１のUEは、第１の速度情報に基づいて第１のUEの同期源を決定してもよい。
【０２６１】
第１のUEが、第１の速度情報に基づいて、第１のUEが第１のタイプのUEであると決定した場合、第１のUEは、予め設定された情報に従って同期源を決定してもよい。第１のUEが、第１の速度情報に基づいて、第１のUEが第２のタイプのUEであると決定した場合、第１のUEは、同期源がGNSSであると優先的に決定してもよい。
【０２６２】
他の理解では、本発明のこの実施例では、第１のUEが第２のタイプのUEである場合、第１のUEは、予め規定された優先順序に従って同期源を決定してもよい。
【０２６３】
具体的には、第１のUEにより同期源を決定する方法について、前述の実施例における説明に参照が行われてもよく、繰り返しを回避するために、詳細はここでは再び説明しない。
【０２６４】
S103：第１のUEは、第１のリンク上で制御情報を送出する。
【０２６５】
具体的には、第１のUEは、ステップ102において決定された送信方式で、第１のリンク上で制御情報を送出する。
【０２６６】
任意選択で、ステップS103において、第１のUEは、第１のリンク上で制御情報を第２のUEに送出してもよい。第１のUEと第２のUEとの間のリンクは第１のリンクである。第１のUEは、第１のリンク上での送信端デバイスでもよく、第２のUEは、第１のリンク上での受信端デバイスでもよいことが理解できる。
【０２６７】
第１のUEが第１のタイプのUEである場合、ステップS103において、第１のUEは、第１の送信方式で第１のリンク上で制御情報を送出してもよい。第１のUEが第２のタイプのUEである場合、ステップS103において、第１のUEは、第２の送信方式で第１のリンク上で制御情報を送出してもよい。
【０２６８】
ステップS102において説明した通り、実現方式では、制御情報は第３の制御チャネル上のキャリアである。例えば、第３の制御チャネルはPSBCHである。任意選択で、ステップS103において送出される制御情報は、第１のUEが同期源であるか否かを示すために使用されてもよく、及び／又は第１のUEの同期源の識別子を示すために使用されてもよい。
【０２６９】
他の実現方式では、制御情報は第１の制御チャネル又は第２の制御チャネルで搬送される。第１のUEが第１のタイプのUEである場合、制御情報は第１の制御チャネルで搬送される。第１のUEが第２のタイプのUEである場合、制御情報は第２の制御チャネルで搬送される。例えば、第１の制御チャネルは第１のPSCCHでもよく、第２の制御チャネルは第２のPSCCHでもよい。
【０２７０】
本発明のこの実施例では、制御情報は、以下の情報のうち少なくとも１つを含んでもよい。
【０２７１】
1.第１のUEの速度指示情報
例では、第１のUEのタイプが含まれてもよく、すなわち、第１のUEは第１のタイプのUE又は第２のタイプのUEである。言い換えると、制御情報は、第１のUEが第１のタイプのUEであるという指示情報を含んでもよく、或いは制御情報は、第１のUEが第２のタイプのUEであるという指示情報を含んでもよい。例えば、「1」である1ビットは、第１のUEが第２のタイプのUE（すなわち、高速UE）であることを示すために使用されてもよく、「0」である1ビットは、第１のUEが第１のタイプのUE（すなわち、非高速UE）であることを示すために使用されてもよい。
【０２７２】
他の例では、第１のUEの速度指示情報は、第１の速度情報を含む。これは、制御情報が第１の速度情報を含むことを意味する。
【０２７３】
例えば、第１のUEの速度が含まれてもよい。ここで、速度は絶対速度でもよく、或いは相対速度でもよい。
【０２７４】
例えば、第１のUEの速度等級情報が含まれてもよい。例えば、「10」である2ビットは、速度等級情報を示すために使用されてもよく、すなわち、速度等級が2である。「11」である2ビットは、速度等級が3であることを示すために使用されてもよい。
【０２７５】
任意選択で、第１のUEが第２のタイプのUEである場合、制御情報は第１の速度情報を含んでもよい。
【０２７６】
ステップS103において、方法は、第１のUEにより、第１のリンクを使用することにより第１の速度情報を第２のUEに送出することを含んでもよい。第１の速度情報を受信した後に、第２のUEは、対応する処理を実行する。例えば、制御情報において、1ビットは、第１のUEが高速UEであるか否かを示すために使用されてもよい。第１のUEが高速UEである場合、第１のUEのために選択及び予約されるリソースはより高い優先度を有する。第２のUEが第１のUEにより送出された制御情報を受信した後に、リソースを選択及び再選択するとき、第２のUEは、第１のUEにより選択及び／又は予約されたリソースを選択するのをできるだけ回避するべきである。これは、リソースが高速UE（第１のUE）により優先的に使用されることを確保する。
【０２７７】
2.制御情報に基づいてスケジューリングされた送信回数及び各送信に使用される時間周波数リソース
制御情報はSAでもよい。例えば、自律モードに基づくリソース選択及び指示プロセスにおいて、第１のUEは、SAを使用することにより、スケジューリングされたデータの時間周波数リソースを示してもよい。
【０２７８】
本発明のこの実施例では、データの送信回数は予め規定されてもよい。例えば、データの送信回数は第１のUEに予め設定されるか、或いは高速UEのデータの送信回数はプロトコルにおいて予め指定される。代替として、データの送信回数は、第２のUEのサービング基地局により送出された情報から、第１のUEにより取得されてもよい。代替として、データの送信回数は、以下の情報、すなわち、第１のUEの第１の速度情報、第１のUE及び／又は第２のUEの地理的位置情報、第１のUEの信号品質、第２のUEにより送出されたデータ及び／又は信号の信号品質等のうち少なくとも１つに基づいて、第１のUEにより決定される。これは本発明では限定されない。
【０２７９】
任意選択で、実施例では、第１のUEは、第１のUEの第１の速度情報に基づいてデータの送信回数を決定してもよい。例えば、第１のUEが、第１のUEが第１のタイプのUEであると決定した場合、第１のUEは、データの送信回数がN1であると決定してもよく、第１のUEが、第１のUEが第２のタイプのUEであると決定した場合、第１のUEは、データの送信回数がN2であると決定してもよい。N1及びN2の値は予め設定されてもよく、或いはプロトコルにおいて指定されてもよく、或いはシグナリングを使用することにより基地局により指示されてもよく、同様のものでもよい。これは本発明では限定されない。任意選択で、N1及びN2の値はN1＜N2を満たしてもよい。
【０２８０】
本発明のこの実施例では、制御情報は、１回又は複数回送出されてもよい。本発明のこの実施例では、第１のUEが第１のリンク上で制御情報を第２のUEに送出し、すなわち、第２のUEが制御情報の受信端デバイスである場合、第２のUEは、場合によっては複数回送出された制御情報を受信する。複数の制御情報が予め規定された時間セグメント内に第２のUEにより検出され、複数の制御情報に含まれる内容（すなわち、スケジューリングされたデータの送信回数及び各送信に使用される時間周波数リソース）が同じである場合、第２のUEは、複数の受信した制御情報が同じデータ送信を示すと決定してもよい。
【０２８１】
制御情報が複数回送信される場合、制御情報は、現在の送信回数の指示情報を更に含んでもよい。任意選択で、制御情報は、現在の送信回数を示すフィールドを含んでもよい。例えば、制御情報の送信回数が2である場合、1ビットのフィールドが現在の送信回数を示すために制御情報内で使用されてもよい。具体的には、「0」である1ビットのフィールドは、現在の送信が制御情報の最初の送信であることを示し、「1」である1ビットのフィールドは、現在の送信が制御情報の２回目の送信であることを示す。対応して、第２のUEについて、２回の送信のいずれかの中で第２のUEにより受信された制御情報が有効である。第２のUEが２回の送信の双方の中で制御情報を受信でき、送信回数を示すフィールドがそれぞれ0及び1であり、スケジューリングされたデータの時間周波数リソースの示された位置が全く同じである場合、これは、同じ制御情報が２回の送信中に受信されたと考えられてもよい。
【０２８２】
任意選択で、制御情報は、制御情報に基づいてスケジューリングされたデータの送信回数の指示情報を含んでもよい。制御情報は、明示的又は暗示的な方式でデータの送信回数の指示情報を含んでもよい。例えば、制御情報は、制御情報に基づいてスケジューリングされたデータの送信回数を示すフィールドを含んでもよく、例えば、2ビットのフィールドが１回、２回、３回又は４回の送信を示すために使用される。
【０２８３】
任意選択で、データの送信回数がNである場合、制御情報は、送信回数と、N回の送信の時間ドメインリソース及び周波数ドメインリソースとをそれぞれ示す2*N+1個の値を含んでもよい。
【０２８４】
任意選択で、データの送信回数が1より多く、同じ周波数ドメインリソースがデータの各送信に使用される場合、制御情報は、同じ周波数ドメインリソースと、データの１回より多い送信に１対１に対応する複数の時間ドメインリソースの指示情報とを含んでもよい。例えば、送信回数がNであることを仮定すると、制御情報は、送信回数と、同じ周波数ドメインリソースと、N個の時間ドメインリソースとをそれぞれ示す少なくとも2+N個の値を含む。
【０２８５】
任意選択で、データの送信回数がNである場合、制御情報は、N回の送信のうちM回に使用される時間周波数リソースを含み、他のN-M回の送信に使用される時間周波数リソースを明示的な方式で示してもよい。制御情報の受信端デバイスは、制御情報に含まれるM回の送信に使用される時間周波数リソースに基づいて、他のM-N回の送信に使用される時間周波数リソースを決定してもよい。例えば、制御情報の受信端デバイスは、受信した制御情報及び予め規定された関係に基づいて、他のN-M回の送信に使用される時間周波数リソースを決定してもよく、M＜Nであり、M及びNは正の整数である。
【０２８６】
前述の「2*N+1個の値」及び「2+N個の値」は、単に「2*N+1個の数値」及び「2+N個の数値」として理解できるものではない点に留意すべきである。例えば、送信のための周波数ドメインリソースを示す「値」は、周波数ドメイン開始位置の数値、周波数ドメイン終了位置の数値等を含んでもよい。
【０２８７】
本発明のこの実施例では、送信回数が異なるとき、制御情報の送信方式は同じでもよく、或いは異なってもよい。
【０２８８】
任意選択で、統一送信方式が制御情報に使用されてもよい。例では、制御情報に含まれる情報はnumTx、t1、f1、t2及びf2であることが仮定される。
【０２８９】
numTx=2である場合、t1及びf1は、それぞれ最初の送信における時間ドメイン位置及び最初の送信における周波数ドメイン位置を示すために使用されてもよく、t2及びf2は、それぞれ２回目の送信における時間ドメイン位置及び２回目の送信における周波数ドメイン位置を示すために使用されてもよい。
【０２９０】
t1は時間ドメイン位置の絶対値を表してもよく、或いは時間ドメイン位置の相対値、例えば、制御情報が現在送信されている時間ドメインと相対的な相対値を表してもよい。図５に示すように、最初の送信におけるデータの時間ドメイン位置t1は、制御情報内の時間ドメイン開始位置と相対的な相対位置である。
【０２９１】
t2は時間ドメイン位置の絶対値を表してもよく、或いは時間ドメイン位置の相対値、例えば、制御情報が現在送信されている時間ドメインと相対的な相対値、又は最初の送信における時間ドメインと相対的な相対値を表してもよい。図５に示すように、２回目の送信におけるデータの時間ドメイン位置t2は、最初の送信におけるデータの時間ドメイン開始位置と相対的な相対位置である。
【０２９２】
f1は周波数ドメイン位置の絶対値を表してもよく、或いは周波数ドメイン位置の相対値、例えば、制御情報が現在送信されている周波数ドメインと相対的な相対値を表してもよい。
【０２９３】
f2は周波数ドメイン位置の絶対値を表してもよく、或いは周波数ドメイン位置の相対値、例えば、制御情報が現在送信されている周波数ドメインと相対的な相対値、又は最初の送信における周波数ドメインと相対的な相対値を表してもよい。
【０２９４】
f1は、データの最初の送信中に占有される周波数ドメイン開始位置及び周波数ドメイン終了位置と、データの最初の送信中に占有される各PRBの位置とを含んでもよい。f2は、データの最初の送信中に占有される周波数ドメイン開始位置及び周波数ドメイン終了位置と、データの最初の送信中に占有される各PRBの位置とを含んでもよい。
【０２９５】
numTx=1である場合、t1及びf1は、それぞれこの送信における時間ドメイン位置及び周波数ドメイン位置を示すために使用されてもよい。この場合、以下のように設定されてもよく、すなわち、t2=t1及びf2=f1である。代替として、この場合、t2及びf2は予め規定された固定値に設定されてもよく、これらの予め規定された固定値は意味のない値であり、例えば、t2=f2=0である。代替として、この場合、t2及びf2は予備フィールドとして設定されてもよい。具体的には、制御情報を受信した受信デバイスについて、受信デバイスが解析を通じてnumTx=1であることを取得したとき、受信デバイスは、t2及びf2フィールドを読み取らない。t1及びf1は相対値又は絶対値でもよい。図６に示すように、t1は相対値を表す。
【０２９６】
numTx=4である場合、t1及びf1は、それぞれ４回の送信のうちi回目の送信における時間ドメイン位置及び４回の送信のうちi回目の送信における周波数ドメイン位置を示すために使用されてもよく、t2及びf2は、それぞれ４回の送信のうちj回目の送信における時間ドメイン位置及び４回の送信のうちj回目の送信における周波数ドメイン位置を示すために使用されてもよい。
【０２９７】
例えば、i=1及びj=3である。この場合、２回目の送信に使用される時間周波数リソースは、t1及びf1の関数に基づいて決定されてもよく、或いは２回目の送信に使用される時間周波数リソースは、t2及びf2の関数に基づいて決定されてもよく、或いは２回目の送信に使用される時間周波数リソースは、t1、f1、t2及びf2の関数に基づいて決定されてもよい。同様に、４回目の送信に使用される時間周波数リソースは、t1及びf1の関数に基づいて決定されてもよく、或いは４回目の送信に使用される時間周波数リソースは、t2及びf2の関数に基づいて決定されてもよく、或いは４回目の送信に使用される時間周波数リソースは、t1、f1、t2及びf2の関数に基づいて決定されてもよい。
【０２９８】
図７に示すように、２回目の送信に使用される時間周波数リソースは、１回目の送信に使用される時間周波数リソースに基づいて決定され、４回目の送信に使用される時間周波数リソースは、３回目の送信に使用される時間周波数リソースに基づいて決定される。
【０２９９】
例えば、２回目の送信における時間ドメイン位置は、１回目の送信における時間ドメイン位置の後の隣接するサブフレームであると決定されてもよく、２回目の送信における周波数ドメイン位置は、１回目の送信における周波数ドメイン位置と同じであると決定されてもよい。例えば、４回目の送信における時間ドメイン位置は、３回目の送信における時間ドメイン位置の後の隣接するサブフレームであると決定されてもよく、４回目の送信における周波数ドメイン位置は、３回目の送信における周波数ドメイン位置と同じであると決定されてもよい。
【０３００】
例えば、２回目の送信における時間ドメイン位置は、１回目の送信における時間ドメイン位置を予め設定された第１のシフト値だけシフトすることにより取得されると決定されてもよく、２回目の送信における周波数ドメイン位置は、１回目の送信における周波数ドメイン位置を予め設定された第２のシフト値だけシフトすることにより取得されると決定されてもよい。例えば、４回目の送信における時間ドメイン位置は、３回目の送信における時間ドメイン位置を予め設定された第３のシフト値だけシフトすることにより取得されると決定されてもよく、４回目の送信における周波数ドメイン位置は、３回目の送信における周波数ドメイン位置を予め設定された第４のシフト値だけシフトすることにより取得されると決定されてもよい。
【０３０１】
例えば、２回目の送信における時間ドメイン位置がg1(t1,f1,SAID)であると決定し、２回目の送信における周波数ドメイン位置がg2(t1,f1,SAID)であると決定し、４回目の送信における時間ドメイン位置がg3(t1,f1,SAID)であると決定し、４回目の送信における周波数ドメイン位置がg4(t1,f1,SAID)であると決定するための関数が設定されてもよく、g1、g2、g3及びg4は関数であり、SAIDは制御情報のIDを表す。
【０３０２】
理解を容易にするために、特定の例がここで与えられてもよい。２回目の送信における時間ドメイン位置は、(t1+SAID)modAであり、２回目の送信における周波数ドメイン位置は、(f1+SAID)modBであり、４回目の送信における時間ドメイン位置は、(t2+SAID)modAであり、４回目の送信における周波数ドメイン位置は、(f2+SAID)modBである。modはモジュロ演算を表す。A及びBは、予め規定されてもよいパラメータである。予め規定されたパラメータA及びBは固定値でもよく、或いはリソースプールに関係してもよい。
【０３０３】
ここで、この実施例では、異なる送信回数についての時間周波数リソースの指示を確保し、受信機によるブラインド検出の複雑性を低減するために、制御情報の統一送信方式が使用される。ここで、受信機は、制御情報を受信する受信デバイスである。
【０３０４】
任意選択で、異なる送信回数について、異なる送信方式が制御情報に使用されてもよい。対応して、本発明のこの実施例では、ステップS102は、第１のUEにより、第１の速度情報に基づいて、制御情報に基づいてスケジューリングされたデータの送信回数を決定し、データの送信回数に基づいて制御情報の送信方式を決定することを含んでもよい。
【０３０５】
送信回数が1である場合、制御情報はt1及びf1を含んでもよい。
【０３０６】
送信回数が2である場合、制御情報はt1、f1、t2及びf2を含んでもよい。f1=f2である場合、送信回数が2であるとき、制御情報はf、t1及びt2を含んでもよい。
【０３０７】
送信回数が4である場合、制御情報はt1、f1、t2、f2、t3、f3、t4及びf4を含んでもよい。f1=f2=f3=f4である場合、送信回数が4であるとき、制御情報はf、t1、t2、t3及びt4を含んでもよい。
【０３０８】
異なる送信方式が使用されるとき、毎回使用される時間周波数リソースの位置は、明示的なシグナリングを使用することにより示されてもよく、リソーススケジューリングの柔軟性を確保することが習得できる。対応して、制御情報を受信する受信デバイスについて、各送信に使用される時間周波数リソースは、複雑な計算処理を実行する必要なく、迅速に取得できる。
【０３０９】
前述の実施例におけるf、f1-f4及びt1-t4は絶対値又は相対値でもよい点に留意すべきである。これは本発明では限定されない。
【０３１０】
制御情報を受信する第２のUEについて、第２のUEは、第１のリンク上で、第１のUEにより送出された制御情報を受信し、第２のUEは、制御情報に基づいてスケジューリングされたデータの送信回数の指示情報を取得してもよく、さらに、第２のUEは、制御情報内の各送信に対応するフィールドから、各送信に使用される時間周波数リソースを取得してもよい。この後に、第２のUEは、第１のリンク上で、制御情報に基づいて、第１のUEにより送出されたデータを受信してもよい。
【０３１１】
任意選択で、例では、データの送信回数が1であるとき、この送信に使用される時間周波数リソースは、制御情報内の第１のフィールドから取得される。データの送信回数が2であるとき、２回の送信のうち最初の送信に使用される時間周波数リソースは、制御情報内の第１のフィールドから取得され、２回の送信のうち２回目の送信に使用される時間周波数リソースは、制御情報内の第２のフィールドから取得される。データの送信回数が4であるとき、４回の送信のうち最初の送信に使用される時間周波数リソースは、制御情報内の第１のフィールドから取得され、４回の送信のうち２回目の送信に使用される時間周波数リソースは、制御情報内の第２のフィールドから取得され、４回の送信のうち３回目の送信に使用される時間周波数リソースは、制御情報内の第３のフィールドから取得され、４回の送信のうち４回目の送信に使用される時間周波数リソースは、制御情報内の第４のフィールドから取得される。
【０３１２】
任意選択で、他の例では、データの送信回数が1より多く、同じ周波数ドメインリソースがデータの各送信に使用され、制御情報は、同じ周波数ドメインリソースと、データの１回より多い送信に１対１に対応する複数の時間ドメインリソースの指示情報とを含む。対応して、第２のUEは、制御情報内の周波数ドメインフィールドから同じ周波数ドメインリソースを取得し、送信に１対１に対応するフィールドから複数の送信に使用される時間ドメインリソースを取得してもよい。
【０３１３】
任意選択で、他の例では、データの送信回数が4であるとき、４回の送信のうち２回に使用される時間周波数リソースは、制御情報内の第１のフィールド及び制御情報内の第２のフィールドから取得され、４回の送信のうち他の２回に使用される時間周波数リソースは、４回の送信のうち２回に使用される時間周波数リソースに基づいて決定される。
【０３１４】
例えば、制御情報は、最初の送信に使用される時間周波数リソースと、３回目の送信に使用される時間周波数リソースとを含んでもよい。この場合、第２のUEは、制御情報及び予め規定されたシフト又は関数に基づいて、２回目の送信に使用される時間周波数リソースと、４回目の送信に使用される時間周波数リソースとを決定してもよい。
【０３１５】
前述のように、異なる送信回数について、制御情報の送信方式は異なってもよい。したがって、第２のUEは、データの送信回数に基づいて制御情報の送信方式を決定してもよく、送信方式は、少なくとも２つの予め規定された送信方式のうち１つであり、決定された送信方式に基づいて各送信に使用される時間周波数リソースを更に取得してもよい。
【０３１６】
さらに、ステップS103の後に、方法は、第１のUEにより、第１のリンク上でデータを送出することを更に含んでもよい。
【０３１７】
データはサービスチャネル（データチャネルとも呼ばれる）で搬送される。具体的には、第１のUEが第１のタイプのUEである場合、データは第１のサービスチャネルで搬送されてもよい。第１のUEが第２のタイプのUEである場合、データは第２のサービスチャネルで搬送されてもよい。ここで、第１のサービスチャネルは第１のPSSCHでもよく、第２のサービスチャネルは第２のPSSCHでもよい。
【０３１８】
具体的には、第１のUEは、第４の送信リソースを使用することにより、第１のリンク上でデータを送出してもよい。
【０３１９】
任意選択で、第４の送信リソースは、リソースプールから選択されてもよく、リソースプールは、基地局により設定されてもよい。任意選択で、第４の送信リソースは、制御情報により示されてもよい。
【０３２０】
本発明のこの実施例では、複数の送信モードがサービスチャネルに規定されてもよい。データを送信するために、１つの送信モードが複数の送信モードから選択されてもよい。
【０３２１】
任意選択で、１つの送信モード、すなわち、従来技術で使用される送信モードが図８に示されてもよい。図８に示すように、DMRSは、系列番号が2、5、8及び11であるシンボル上で送信され、データは、系列番号が1、3、4、6、7、9、10及び12であるシンボル上で送信される。さらに、データは、シンボル1、3、4、6、7、9、10及び12の各サブキャリアで送信される。
【０３２２】
任意選択で、他の送信モードでは、同じシンボルに位置するそれぞれK個の連続するサブキャリアは、データを送信するために使用されるサブキャリアを含み、Kは2以上の正の整数である。例えば、K=2である。
【０３２３】
図９に示すように、DMRSはシンボル2、5、8及び11上で送信される。シンボル1、3、4、6、7、9、10及び12のそれぞれの上で、それぞれ２つの隣接するサブキャリアのうち１つのみがデータを送信するために使用される。さらに、データを送信するために使用される２つの隣接するシンボル（シンボル1及び3又はシンボル3及び4等）上で、データを送信するために使用されるサブキャリアは互い違いになる。
【０３２４】
図１０に示すように、DMRSはシンボル2、5、8及び11上で送信される。シンボル1、3、4、6、7、9、10及び12のそれぞれの上で、それぞれ２つの隣接するサブキャリアのうち１つのみがデータを送信するために使用される。さらに、いずれか２つの隣接するサブキャリアのうち１つのシンボルはデータを送信するために使用されない。代替として、言い換えると、データを送信するために使用される２つの隣接するシンボル（シンボル1及び3又はシンボル3及び4等）上で、データを送信するために使用されるサブキャリアの系列番号は同じである。
【０３２５】
データシンボル（前述のシンボル1、3、4、6、7、9、10及び12等）上で、データを送信するためのサブキャリアは等しい間隔になってもよいことが習得できる。図９及び図１０に示す実施例では、間隔は2である。同じデータシンボルに位置する２つの隣接するサブキャリアでは、一方のサブキャリアは、データを送信するために使用され、他方のサブキャリアは、データを送出せず、空である。
【０３２６】
図８〜図１０に記載の送信モードは、本発明の実施例の単にいくつかの例に過ぎない点に留意すべきである。他の送信モードが存在してもよく、これらはここに列挙されない。
【０３２７】
本発明のこの実施例では、第１のUEは、データを送信するためにいずれかの送信モードを使用してもよい。代替として、UEが第１のタイプのUEであるとき、第１のUEは、データを送信するために図８に示す送信モードを使用する。UEが第２のタイプのUEであるとき、第１のUEは、データを送信するために図９又は図１０に示す送信モードを使用する。
【０３２８】
代替として、この前に、第１のUEは、第１の基地局の指示を受信し、第１の基地局の指示に従って送信モードを使用してもよい。
【０３２９】
例えば、第１の基地局が第１のUEに対して、データを送信するために図９に示す送信モードを使用するように命令した場合、第１のUEは、第１の基地局の命令に従って、データを送信するために図９に示す送信モードを使用する。対応して、データの受信端（例えば、第２のUE）も、第１の基地局により指示された送信モードでデータを受信してもよい。
【０３３０】
任意選択で、本発明のこの実施例では、データを送出するとき、第１のUEは、送信モードの指示情報をサービスチャネルに追加してもよい。例えば、2ビットのフィールドが使用されるべき送信モードを示すために使用される。例えば、「00」は、図８に示す送信モードを示すために使用され、「01」は、図９に示す送信モードを示すために使用され、「10」は、図１０に示す送信モードを示すために使用される。この場合、データの受信端（例えば、第２のUE）は、指示に従って送信モードを決定し、さらに、送信モードでデータを受信してもよい。
【０３３１】
実施例では、本発明のこの実施例では、第１のUEは、第１のリンク上でデータと共に第１の系列を送出してもよい。
【０３３２】
具体的には、第１のUEは、第４の送信リソースを使用することにより、第１のリンク上でデータ及び第１の系列を送出してもよい。
【０３３３】
任意選択で、第４の送信リソースは、リソースプールから選択されてもよく、リソースプールは、基地局により設定されてもよい。任意選択で、第４の送信リソースは、制御情報により示されてもよい。
【０３３４】
第１の系列は、図８〜図１０に示すDMRS系列でもよい。第１の系列は、予め規定された長さのZC系列（すなわち、Zadoff-Chu系列）セットから予め規定された第２の系列を除去することにより決定されてもよい。予め規定された長さは、DMRSにより占有される帯域幅であり、また、単一の送信中に周波数ドメインにおいてデータにより占有される帯域幅である。
【０３３５】
任意選択で、第１のUEが第１のタイプのUEである場合、第１のUEは、第１のリンク上でデータ及びZC系列を送出してもよい。第１のUEが第２のタイプのUEである場合、第１のUEは、第１のリンク上でデータ及び第１の系列を送出してもよい。第２のタイプのUEにより使用される系列のセットは、第１のタイプのUEにより使用される系列のセット未満であることが習得できる。
【０３３６】
第１の系列のセットがZとして表され、ZC系列のセットがZ1として表され、第２の系列のセットがZ0として表されることが仮定され、以下の関係、すなわち、Z=Z1-Z0が存在してもよい。したがって、第１のUEは、Zから第１の系列を決定してもよい。
【０３３７】
例では、既存のD2D技術において、PSCCHに含まれるIDは、ZCルート系列番号を取得するために使用されてもよい。ZC系列のセットZ1は{0,1,2,...,29}でもよく、第２の系列のセットZ0は{0,20}でもよく、したがって、Z={1,2,...,19,21,...,29}である。第１の系列はZから選択されてもよい。例えば、計算及び選択は、PSCCHに含まれるIDに基づいて実行されてもよい。例えば、21が選択される。
【０３３８】
他の例では、DMRS系列番号を決定するための既存の式はnIDSAmodLに直接変更されてもよい。
【０３３９】
ここで、Lの値はセットZのサイズである。前述の例に示すように、Z={1,2,...,19,21,...,29}であり、したがって、L=28であり、その場合、対応するルート系列は、Z0内の系列を除去した後に取得されたマッピング関係に従って取得される。前述の例では、新たなマッピング関係は表３に示されてもよい。
【表３】
2020092446.tif 000005
本発明のこの実施例では、第１のUEは、第１のリンク上でデータを第２のUEに送出する。第１のUEが第２のタイプのUEであるとき、第１のUEは、基地局の支援によって第２のリンク上でデータを第２のUEに送出してもよい。
【０３４０】
具体的には、第１のUE及び第２のUEのサービング基地局が共に第１の基地局である場合、第１のUEは、第２のリンク上で第１のリンクのデータを第１の基地局に送出してもよい。さらに、第１の基地局は、第２のリンク上でデータを第２のUEに送出してもよい。
【０３４１】
この前に、第１のUEは、リソース要求情報を第１の基地局に送出してもよく、さらに、第１のUEは、第１の基地局により送出された第５の送信リソースの指示情報を受信する。この場合、第１のUEは、第２のリンク上でデータを第１の基地局に送出するために第５の送信リソースを使用してもよい。リソース要求情報は、速度に関するスケジューリング要求（Scheduling  Request,  SR）又はバッファ状態レポート（Buffer  Status  Report,  BSR）でもよい。速度に関する情報は、SR若しくはBSRに含まれる速度指示情報、又は第１のUEによりSR若しくはBSRと共に送出される第１のUEの速度指示情報でもよい。任意選択で、速度指示情報は、第１のUEの具体的な速度値でもよく、或いは第１のUEが高速状態にあるか否かを示す指示情報でもよい。速度に関するSR又はBSRを受信した後に、第１の基地局は、第１のUEが高速UEであると決定してもよく、次に、第１の基地局は、第１のUEのためにより高い優先度を決定してもよい。さらに、第１の基地局は、上りリンク送出リソースを第１のUEに割り当てる。ここで、上りリンク送出リソースは第５の送信リソースでもよい。
【０３４２】
任意選択で、第１のUEが接続モードにある場合、第１のUEは、速度に関するSR又はBSRを直接送出する。第１のUEがアイドルモードにある場合、第１のUEは、接続モードに入った後に、速度に関するSR又はBSRを送出する。
【０３４３】
例えば、第１のUEが図１１におけるUE1であり、第２のUEが図１１におけるUE2であることが仮定される。UE1及びUE2のサービング基地局は共にeNB1である。この場合、UE1は、UE1とeNB1との間の第２のリンク上でデータをeNB1に送出してもよく、次に、eNB1は、eNB1とUE2との間の第２のリンク上でデータをUE2に送出する。
【０３４４】
具体的には、第１のUEのサービング基地局が第１の基地局であり、第２のUEのサービング基地局が第２の基地局である場合、第１のUEは、第２のリンク上で第１のリンクのデータを第２の基地局に送出してもよい。さらに、第２の基地局は、第２のリンク上でデータを第２のUEに送出してもよい。
【０３４５】
この前に、第１のUEは、リソース要求情報を第２の基地局に送出してもよく、さらに、第１のUEは、第２の基地局により送出された第５の送信リソースの指示情報を受信する。この場合、第１のUEは、第２のリンク上でデータを第２の基地局に送出するために第５の送信リソースを使用してもよい。リソース要求情報は速度に関するSR又はBSRでもよい。
【０３４６】
例えば、第１のUEが図１１におけるUE1であり、第２のUEが図１１におけるUE3であることが仮定される。UE1のサービング基地局はeNB1であり、UE3のサービング基地局はeNB2である。この場合、UE1は、UE1とeNB2との間の第２のリンク上でデータをeNB2に送出してもよく、次に、eNB2は、eNB2とUE3との間の第２のリンク上でデータをUE3に送出する。
【０３４７】
具体的には、第１のUEのサービング基地局が第１の基地局であり、第２のUEのサービング基地局が第２の基地局である場合、第１のUEは、第２のリンク上で第１のリンクのデータを第１の基地局に送出してもよく、第１の基地局は、データを第２の基地局に送出する。さらに、第２の基地局は、第２のリンク上でデータを第２のUEに送出してもよい。
【０３４８】
この前に、第１のUEは、リソース要求情報を第１の基地局に送出してもよく、さらに、第１のUEは、第１の基地局により送出された第５の送信リソースの指示情報を受信する。この場合、第１のUEは、第２のリンク上でデータを第１の基地局に送出するために第５の送信リソースを使用してもよい。リソース要求情報は速度に関するSR又はBSRでもよい。
【０３４９】
例えば、第１のUEが図１１におけるUE1であり、第２のUEが図１１におけるUE3であることが仮定される。UE1のサービング基地局はeNB1であり、UE3のサービング基地局はeNB2である。この場合、UE1は、UE1とeNB1との間の第２のリンク上でデータをeNB1に送出してもよく、eNB1は、eNB1とeNB2との間のS1インタフェースを使用することによりデータをeNB2に送出してもよく、次に、eNB2は、eNB2とUE3との間の第２のリンク上でデータをUE3に送出する。
【０３５０】
本発明のこの実施例では、第１のUEは、第１のリンク上でデータを複数のUEに送出し、例えば、第１のUEは、ブロードキャスト方式で第１のリンク上でデータを送出してもよい。第１のUEが第２のタイプのUEであるとき、第１のUEは、複数のUEのサービング基地局の支援によって、第２のリンク上でデータを複数のUEに送出してもよい。
【０３５１】
具体的には、第１のUE及び複数のUEのサービング基地局が共に第１の基地局である場合、第１のUEは、第２のリンク上で第１のリンクのデータを第１の基地局に送出してもよい。さらに、第１の基地局は、第２のリンク上でデータを複数のUEに送出してもよい。第１の基地局は、ブロードキャスト方式又はマルチキャスト方式でデータを複数のUEに送出してもよい。
【０３５２】
この前に、第１のUEは、リソース要求情報を第１の基地局に送出してもよく、さらに、第１のUEは、第１の基地局により送出された第５の送信リソースの指示情報を受信する。この場合、第１のUEは、第２のリンク上でデータを第１の基地局に送出するために第５の送信リソースを使用してもよい。リソース要求情報は速度に関するSR又はBSRでもよい。速度に関するSR又はBSRを受信した後に、第１の基地局は、第１のUEが高速UEであると決定してもよく、次に、第１の基地局は、第１のUEのためにより高い優先度を決定してもよい。さらに、第１の基地局は、上りリンク送出リソースを第１のUEに割り当てる。ここで、上りリンク送出リソースは第５の送信リソースでもよい。
【０３５３】
例えば、第１のUEが図１１におけるUE1であり、複数のUEが図１１におけるUE2及びUE4であることが仮定される。UE1、UE2及びUE4のサービング基地局は共にeNB1である。この場合、UE1は、UE1とeNB1との間の第２のリンク上でデータをeNB1に送出してもよく、次に、eNB1は、第２のリンク上でデータをUE2及びUE4に送出する。例えば、eNB1は、ブロードキャスト方式又はマルチキャスト方式でセルラリンク上でデータを複数のUEに送出してもよい。
【０３５４】
具体的には、第１のUEのサービング基地局が第１の基地局であり、複数のUEが同じセル内にない場合、すなわち、複数のUEの中でサービング基地局が異なる２つのUEが存在する。第１のUEは、第２のリンク上で第１のリンクのデータを複数のUEのサービング基地局に送出してもよい。さらに、複数のUEのサービング基地局は、第２のリンク上でデータを複数のUEのうち対応するUEに送出してもよい。
【０３５５】
この前に、第１のUEは、リソース要求情報を複数のUEのサービング基地局に送出してもよく、さらに、第１のUEは、複数のUEのサービング基地局により送出された第５の送信リソースの指示情報を受信する。第５の送信リソースは、公共上りリンク送信リソースでもよい。この場合、第１のUEは、第２のリンク上でデータを複数のUEのサービング基地局に送出するために第５の送信リソースを使用してもよい。リソース要求情報は、SR又はBSRを使用することにより送出されてもよい。具体的には、リソース要求情報は速度に関するSR又はBSRでもよい。
【０３５６】
例えば、第１のUEが図１１におけるUE1であり、複数のUEが図１１におけるUE2及びUE3であることが仮定される。UE1及びUE4のサービング基地局は共にeNB1であり、UE3のサービング基地局はeNB2である。この場合、UE1は、UE1とeNB1との間の第２のリンク上でデータをeNB1に送出し、UE1とeNB2との間の第２のリンク上でデータをeNB2に送出してもよく、次に、eNB1は、eNB1とUE4との間の第２のリンク上でデータをUE4に送出し、eNB2は、eNB2とUE3との間の第２のリンク上でデータをUE3に送出する。UE1は、データをeNB1とeNB2との双方に送出するために第５の送信リソースを使用してもよい。
【０３５７】
任意選択で、第５の送信リソースは、第１のUEに割り当てられた公共上りリンク送出リソースでもよい。例えば、予め規定された方式が公共上りリンク送出リソースを第１のUEに割り当てるために使用されてもよく、或いはeNB1は、公共上りリンク送出リソースを第１のUEに割り当てるために、eNB2と交渉してもよい。
【０３５８】
したがって、本発明のこの実施例では、第２のリンクは、第１のリンクのデータを送信するために使用され、送信信頼性及び第１のUE（高速UE）によりデータを送出するためのカバレッジエリアを改善してもよい。
【０３５９】
第１のUEは、第１のリンク上で制御情報を送出してもよく、第１のリンク上でデータをデータを送出してもよいことが習得できる。制御情報は制御チャネルで搬送されてもよく、データはサービスチャネルで搬送されてもよい。
【０３６０】
本発明のこの実施例では、第１のUEは、第１のリンク上でデータを送出するために、前述の制御情報送出方式と同様の方式を使用してもよい点に留意すべきである。例えば、第１のUEは、同様の方法を使用することにより、データの送信方式を決定し、次に、第１のリンク上で決定された送信方式でデータを送出してもよい。
【０３６１】
任意選択で、制御チャネルはPSCCH（例えば、第２のPSCCH）でもよく、サービスチャネルはPSSCH（例えば、PSSCH）でもよい。
【０３６２】
本発明のこの実施例では、PSCCH及びPSSCHは、異なるサブフレーム内で送信されてもよく、或いは同じサブフレーム内で送信されてもよい。すなわち、本発明のこの実施例では、制御情報及びデータは異なるサブフレームに位置してもよく、或いは制御情報及びデータは同じサブフレームに位置してもよい。
【０３６３】
任意選択で、制御情報及びデータが送信のために同じサブフレームに位置するとき、制御情報の送信電力及びデータの送信電力は以下の方式で決定されてもよい。
【０３６４】
制御情報の第１の送信電力及びデータの第２の送信電力は、開ループ電力に従って決定される。制御情報の第１の送信電力がPPSCCH_Oであり、データの第２の送信電力がPPSSCH_Oであることが仮定される。第１の送信電力及び第２の送信電力は、線形値、対数値又は他の値として表現されてもよい。これは本発明では限定されない。制御情報の第１の送信電力の値が線形値である場合、第１の送信電力は
【数１】
2020092446.tif 000006
として表現され、データの第２の送信電力の値が線形値である場合、第２の送信電力は
【数２】
2020092446.tif 000007
として表現される。
【０３６５】
開ループ電力に従って第１の送信電力及び第２の送信電力を決定するための方法は
【数３】
2020092446.tif 000008
である。
【０３６６】
ここで、取得された第１の送信電力PPSCCH_O及び第２の送信電力PPSSCH_Oは対数値でもよい。.
MPSCCHはPSCCHの送信帯域幅を示し、MPSSCHはPSSCHの送信帯域幅を示す。PLは第１のUEとサービング基地局（例えば、第１の基地局）との間の第２のリンクのパスロス値を示す。αPSCCH,1及びαPSSCH,1は、それぞれPSCCHのパスロス補償係数及びPSSCHのパスロス補償係数を示す。PO_PSCCH,1及びPO_PSSCH,1は基地局により設定されるか、或いは予め規定された２つの電力値である。
【０３６７】
PLはサービング基地局により決定され、次に、シグナリングの形式で第１のUEに通知されてもよく、或いは第１のUEにより決定されてもよい。パスロス値を計算するための方法について、従来技術に参照が行われてもよく、詳細はここでは説明しない。
【０３６８】
αPSCCH,1、αPSSCH,1、PO_PSCCH,1及びPO_PSSCH,1は、シグナリングの形式でサービング基地局により第１のUEに通知されてもよく、或いは予め規定されてもよい。例えば、図４に示す方法の前に、サービング基地局は、設定情報を送出してもよく、設定情報は、αPSCCH,1、αPSSCH,1、PO_PSCCH,1及びPO_PSSCH,1の値を含んでもよい。
【０３６９】
実現方式では、第１の送信電力と第２の送信電力との和が第１のリンク上での第１のUEの最大送信電力より大きくない場合、制御情報の実際の送信電力が第１の送信電力であり、データの実際の送信電力が第２の送信電力であると決定されてもよい。
【０３７０】
他の実現方式では、第１の送信電力と第２の送信電力との和が第１のリンク上での第１のUEの最大送信電力より大きい場合、第１の送信電力及び第２の送信電力は換算されてもよく、それにより、換算の後に取得された第１の送信電力と第２の送信電力との和が、第１のリンク上での第１のUEの最大送信電力より大きくなくなる。
【０３７１】
例では、第１の送信電力及び第２の送信電力は、同じ比wで換算され、換算後に以下を満たす必要があってもよい。
【数４】
2020092446.tif 000009
したがって、制御情報の実際の送信電力は、第１の送信電力を換算比で乗算することにより取得された値であり、すなわち、
【数５】
2020092446.tif 000010
である。データの実際の送信電力は、第２の送信電力を換算比で乗算することにより取得された値であり、すなわち、
【数６】
2020092446.tif 000011
である。
【０３７２】
他の例では、第１の送信電力及び第２の送信電力は、それぞれ異なる比w1及びw2で換算され、換算後に以下を満たす必要があってもよい。
【数７】
2020092446.tif 000012
したがって、制御情報の実際の送信電力は、第１の送信電力を換算比w1で乗算することにより取得された値であり、すなわち、
【数８】
2020092446.tif 000013
である。データの実際の送信電力は、第２の送信電力を換算比w2で乗算することにより取得された値であり、すなわち、
【数９】
2020092446.tif 000014
である。
【０３７３】
本発明のこの実施例では、制御情報及びデータが同じサブフレームに位置する場合、制御チャネルの第１の送信電力とデータチャネルの第２の送信電力との和が最大送信電力より大きいと決定された場合、第１の送信電力を第１の換算比で乗算することにより取得された値が第１の電力として使用されてもよく、第２の送信電力を第２の換算比で乗算することにより取得された値が第２の電力として使用されてもよく、それにより、第１の電力と第２の電力との和が最大送信電力より大きくなくなることが習得できる。さらに、第１の電力は、第１のリンク上で制御情報を送出するために使用されてもよく、第２の電力は、第１のリンク上でデータチャネルを送出するために使用されてもよい。
【０３７４】
他の実現方式では、第１の基地局が、シグナリングを使用することにより、第１のUEが同じサブフレーム内でPSCCH及びPSSCHを送信する必要があることを指示するか、或いは第１のUEが、PSCCH及びPSSCHが同じサブフレーム内で送信される必要があると決定し、PSCCHの第３の送信電力とPSSCHの第４の送信電力との和が第１のリンク上での第１のUEの最大送信電力より大きい場合、以下の方式のうちいずれか１つが、送信電力をPSCCH及びPSSCHに割り当てるため、又はPSCCH及びPSSCHの送信方式を決定するために使用されてもよい。
【０３７５】
方式１：第１のUEは、PSSCHを破棄し、現在のサブフレーム内でPSCCHのみを送信してもよい。
【０３７６】
方式２：第１のUEは、異なるサブフレーム内でPSCCH及びPSSCHを送信してもよい。
【０３７７】
方式３：第１のUEは、送信回数を増加させ、複数の送信のいくつかの中で同じサブフレーム内でPSCCH及びPSSCHを送信し、複数の送信のうちいくつかの中で異なるサブフレーム内でPSCCH及びPSSCHを送信してもよい。
【０３７８】
ここで、第３の送信電力は第１の送信電力でもよく、第４の送信電力は第２の送信電力でもよく、或いは第３の送信電力及び第４の送信電力は、第１の基地局により指示された送信電力でもよく、或いは第３の送信電力及び第４の送信電力は、予め規定されたルールに従って第１のUEにより決定されてもよい。
【０３７９】
第１のUEは、送信回数がNであると決定し、N回の送信のうちM回の中で、PSCCH及びPSSCHは同じサブフレームに位置し、残りのN-M回の送信の中で、PSCCH及びPSSCHは異なるサブフレームに位置する。M回の送信の中で、PSCCHの実際の送信電力及びPSSCHの実際の送信電力がまず決定されてもよく、PSCCH及びPSSCHは同じサブフレームに位置する。
【０３８０】
図１２は、本発明の他の実施例による情報送信方法のフローチャートである。図１２に示す方法は以下のステップを含む。
【０３８１】
S201：第１のUEは、第１のUEの第１の速度情報を決定する。
【０３８２】
本発明のこの実施例では、第１の速度情報は、第１のUEの速度を示すために使用されてもよい。任意選択で、第１の速度情報は、速度等級の形式で第１のUEの速度を示すために使用されてもよい。ここで、第１のUEの速度は絶対速度でもよく、或いは他のUE又は複数の他のUEと相対的な相対速度でもよく、或いは地面と相対的な第１のUEの加速度又は他のUE若しくは複数の他のUEと相対的な加速度でもよい。これは本発明では限定されない。
【０３８３】
実施例では、第１の速度情報は、第１のUEの絶対速度を示すために使用される。
【０３８４】
任意選択で、第１のUEは、GNSSモードで第１の速度情報を取得してもよい。代替として、第１のUEは、第１の基地局により指示された情報を使用することにより第１の速度情報を取得してもよい。
【０３８５】
任意選択で、第１のUEが物理レイヤにおける通信モジュールである場合、第１のUEは、他のレイヤからの指示情報に基づいて第１の速度情報を取得してもよい。
【０３８６】
任意選択で、第１のUEは、対応する速度測定装置を使用することにより、第１の速度情報を決定してもよい。例えば、第１のUEがOBUである場合、第１のUEは、エンジンモジュール、ギアボックスモジュール、又は速度を電気的に制御する他のモジュールのような車内の対応するモジュールを使用することにより、第１の速度情報を決定してもよい。例えば、測定された第１のUEの現在速度はvであり、速度の単位はkm/h又はmiles/hである。これは本発明では限定されない。
【０３８７】
他の実施例では、第１の速度情報は、他のUE（例えば、第２のUE）と相対的な第１のUEの相対速度を示すために使用される。
【０３８８】
任意選択で、第１のUEは、まず第１のUE自体の絶対速度（すなわち、第１のUEの絶対速度）を決定し、次に、第２のUEから送出された信号又はデータパケットを測定又は解析することにより、第２のUEの速度情報及び／又は位置情報を取得してもよい。第１のUEは、その情報に基づいて第２のUEと相対的な第１のUEの相対速度についての情報を更に決定してもよい。ここで、第２のUEは１つのUEでもよく、或いは複数の異なるUEでもよい。第２のUEが複数の異なるUEである場合、相対速度は、複数のUEと相対的な速度の加重値、例えば、算術加重平均値及び幾何加重平均値である。
【０３８９】
任意選択で、第１のUEが物理レイヤにおける通信モジュールである場合、第１のUEは、他のレイヤからの指示情報に基づいて第１の速度情報を取得してもよい。
【０３９０】
S202：第１のUEは、第１の速度情報に基づいて第１のUEの同期源を決定する。
【０３９１】
第１のUEが、第１の速度情報に基づいて、第１のUEが第１のタイプのUEであると決定した場合、第１のUEは、予め設定された情報に従って同期源を決定してもよい。
【０３９２】
例えば、予め設定された情報が、第１のタイプのUEの同期源が基地局であることを示す場合、第１のUEは、同期源が第１の基地局であると決定する。任意選択で、第１の基地局は、第１のUEのサービング基地局である。第１のUEが第１のタイプのUEであり、予め設定された情報が、第１のUEの同期源が基地局であることを示す場合、第１のUEは、従来技術の方法を使用することにより、第１の基地局と同期を完了してもよく、詳細はここでは説明しない。
【０３９３】
例えば、予め設定された情報が、第１のタイプのUEの同期源がGNSSであることを示す場合、第１のUEは、同期源がGNSSであると優先的に決定する。
【０３９４】
例えば、予め設定された情報が、第１のタイプのUEの同期源がRSUであることを示す場合、第１のUEは、同期源がRSUであると決定する。
【０３９５】
第１のUEが、第１の速度情報に基づいて、第１のUEが第２のタイプのUEであると決定した場合、第１のUEは、同期源がGNSSであると優先的に決定してもよい。代替として、第１のUEが、第１の速度情報に基づいて、第１のUEが第１のタイプのUEであり、予め設定された情報が、同期源がGNSSであることを示す場合、第１のUEは、同期源がGNSSであると優先的に決定してもよい。
【０３９６】
第１のUEが、同期源がGNSSであると優先的に決定することは、GNSS信号が第１のUEにより検出された場合、第１のUEがGNSSを同期源として使用し、GNSS信号が第１のUEにより検出されない場合、第１のUEが、同期源が第１の基地局又は第３のUEであると決定することを含んでもよい。第１の基地局は、第１のUEのサービング基地局であり、第３のUEは、GNSSと直接同期したUEである。
【０３９７】
具体的には、GNSS信号が第１のUEにより検出された場合、第１のUEは、GNSSを同期源として使用する。
【０３９８】
任意選択で、GNSS信号が検出されることは、信号強度が予め設定された信号強度閾値以上であるGNSS信号が検出されることを含む。言い換えると、有効なGNSS信号が第１のUEにより検出された場合、第１のUEは、GNSSを同期源として使用する。ここで、有効な信号は、信号強度が予め設定された信号強度閾値以上であることを意味してもよい。
【０３９９】
任意選択で、GNSS信号が検出されることは、GNSS信号が現時点で検出されることを含んでもよい。代替として、GNSS信号が検出されることは、GNSS信号が検出されないとき、タイマが開始され、次にGNSS信号がタイマの持続時間内に検出されることを含んでもよい。
【０４００】
GNSS信号が第１のUEにより検出されない場合、第１のUEは、タイマの持続時間内にGNSS信号を検出することを再び試みてもよく、それにより、第１のUEはできるだけGNSSと同期できることが習得できる。
【０４０１】
第１のUEが第２のタイプのUEである場合、第１のUEにより送信されるサービスチャネルの受信端は第２のUEであることが仮定される。第１のUEがサービスチャネルを送信するとき、第１のUE及び第２のUEが２つの異なる基地局と同期している場合、第１のUEと第２のUEとの間の相対車両速度が500km/hであるとき、5.9GHzにおける第１のリンク上での２つのUEの間の最大周波数偏差値は7.4kHzである。第１のUEがサービスチャネルを送信するとき、第１のUE及び第２のUEがGNSSに同期している場合、第１のUEと第２のUEとの間の相対車両速度が500km/hであるとき、5.9GHzにおける第１のリンク上での２つのUEの間の最大周波数偏差値は4.0kHzである。高速UEによる信号送出及び受信のために、高速UEはできるだけGNSSと同期すべきであることが習得できる。したがって、第１のUEが第２のタイプのUEであるとき、本発明のこの実施例では、第１のUEの同期源はGNSSとして優先的に決定され、それにより、第１のUEはできるだけGNSSと同期できる。これは、第１のリンク上でのサービス送信の周波数偏差を最小化し、第１のリンクの送信性能を確保し、パケット誤り率を低減し、カバレッジエリアを拡大できる。
【０４０２】
本発明の実施例におけるタイマは、第１の基地局により設定されてもよく、或いは予め規定されてもよく、或いは第１のUEの内部に実現されてもよい点に留意すべきである。例えば、第１のUEは、第１のUEの内部クロックに基づいて生成されたタイマの持続時間内の期間に、GNSSにロックされてもよい。タイマの持続時間は予め規定されてもよく、或いはUEの内部クロックの精度に依存してもよく、或いは基地局により設定されたシグナリング指示に依存してもよい。例えば、持続時間は10分又は2分である。
【０４０３】
具体的には、GNSS信号が第１のUEにより検出されない場合、第１のUEは、第１の基地局又は第３のUEを同期源として使用してもよい。第１の基地局は、第１のUEのサービング基地局であり、第３のUEは、GNSSと直接同期したUEである。すなわち、第３のUEの同期源はGNSSである。
【０４０４】
第１のUEが第３のUEを同期源として使用することは、第１のUEが第３のUEにより送出された同期信号を受信し、第３のUEにより送出された同期信号に基づいて時間調整を実行することを含んでもよい。第３のUEにより送出された同期信号はSLSSでもよい。
【０４０５】
任意選択で、GNSS信号が検出されないことは、GNSS信号が検出されないこと、又は信号強度が予め設定された信号強度閾値未満であるGNSS信号が検出されたことを含んでもよい。
【０４０６】
代替として、GNSS信号が検出されないことは、GNSS信号が検出されないとき、タイマが開始され、GNSS信号がタイマの持続時間内に依然として検出されないことを含んでもよい。
【０４０７】
他の理解では、本発明のこの実施例では、第１のUEが第２のタイプのUEである場合、第１のUEは、予め規定された優先順序に従って同期源を決定してもよい。
【０４０８】
予め規定された優先順序は、GNSS→第１の基地局→第３のUE→第４のUEでもよい。代替として、予め規定された優先順序は、GNSS→第３のUE→第１の基地局→第４のUEでもよい。ここで、第３のUEは、GNSSに直接同期したUEであり、第４のUEはGNSSに直接同期していないUEである。すなわち、第３のUEの同期源はGNSSであり、第４のUEの同期源はGNSSでない。
【０４０９】
具体的には、第１のUEにより受信された上位優先度信号の信号品質が性能要件を満たさない場合、次に低い優先度のデバイスが同期源として使用される。代替として、第１のUEにより受信された上位優先度信号の信号品質が性能要件を満たさない場合、タイマが開始され、タイマが満了する前に信号品質が依然として性能要件を満たさない場合、タイマが満了した後に、次に低い優先度のデバイスが同期源として使用される。
【０４１０】
異なる優先度のタイマに設定される持続時間は等しくてもよく、或いは等しくなくてもよいことが理解できる。これは本発明では限定されない。例えば、第１のタイマは、GNSSと同期するプロセスで使用されてもよく、第２のタイマは、第１の基地局と同期するプロセスで使用されてもよく、第３のタイマは、第３のUEと同期するプロセスで使用されてもよく、第４のタイマは、第４のUEと同期するプロセスで使用されてもよい。
【０４１１】
優先順序がGNSS→第１の基地局→第３のUE→第４のUEである場合、GNSS信号が第１のUEにより検出されないとき、同期源を決定するプロセスは以下を含んでもよい。
【０４１２】
第１のUEは、第１の基地局を同期源として使用することを試みる。第１のUEの試行が成功した場合、第１のUEは、第１の基地局を同期源として使用し、第１のUEの試行が失敗し、第３のUEの同期信号が第１のUEにより検出された場合、第１のUEは、第３のUEを同期源として使用し、第１のUEの試行が失敗し、第３のUEの同期信号が第１のUEにより検出されない場合、第１のUEは、第４のUEを同期源として使用する。
【０４１３】
優先順序がGNSS→第３のUE→第１の基地局→第４のUEである場合、GNSS信号が第１のUEにより検出されないとき、同期源を決定するプロセスは以下を含んでもよい。
【０４１４】
第３のUEの同期信号が第１のUEにより検出された場合、第１のUEは、第３のUEを同期源として使用する。第３のUEの同期信号が第１のUEにより検出されない場合、第１のUEは、第１のUEは、第１の基地局を同期源として使用することを試みる。第１のUEの試行が成功した場合、第１のUEは、第１の基地局を同期源として使用し、第１のUEの試行が失敗した場合、第１のUEは、第４のUEを同期源として使用する。
【０４１５】
さらに、ステップS202の後に、方法は、第１のUEにより、第１のリンク上で制御情報を送出することを含んでもよい。
【０４１６】
任意選択で、実施例では、制御情報は、以下のもの、すなわち、サービスタイプ、第１の速度情報、第１のUEが同期源として使用されるか否か、及び第１のUEの同期源の識別子のうち少なくとも１つを示すために使用されてもよい。
【０４１７】
例えば、制御情報は第３の制御チャネルで搬送されてもよい。例えば、第３の制御チャネルはPSCCH又はPSBCHである。任意選択で、制御情報を搬送する第３の制御チャネルは、以下のもの、すなわち、サービスタイプ、第１の速度情報、第１のUEが同期源として使用されるか否か、及び第１のUEの同期源の識別子のうち少なくとも１つを示すために使用されてもよい。
【０４１８】
サービスはセキュリティサービス及び非セキュリティサービスを含んでもよい。対応して、サービスタイプはセキュリティタイプ又は非セキュリティタイプでもよい。セキュリティサービスは、例えば、公共安全又はインテリジェント交通システム（Intelligent  Transportation  Systems,  ITS）に使用されるセキュリティサービス、すなわち、ITS-safetyでもよい。非セキュリティサービスは、例えば、ITSにおける非セキュリティサービス、すなわち、non-ITS-safetyでもよく、或いは非公共安全サービス、すなわち、一般のデータ送信サービスでもよい。
【０４１９】
例えば、サービスタイプは、第３の制御チャネル内の1ビットのフィールド、予め規定されたCRCマスク、予め規定されたスクランブル系列、予め規定されたDMRS、予め規定された送信リソース等を使用することにより示されてもよい。具体的には、1ビットのフィールドに示される「1」は、セキュリティサービスを示すために、「0」は、非セキュリティサービスを示すために使用されてもよい。代替として、具体的には、全てが「1」のCRCマスクは、セキュリティサービスを示すために使用されてもよく、全てが「0」のCRCマスクは、非セキュリティサービスを示すために使用されてもよい。
【０４２０】
代替として、具体的には、予め規定されたDMRSは、セキュリティサービスを示すために使用される。例えば、制御情報内で送出されるDMRS系列は２つのグループに分割され、一方のグループは、セキュリティサービスを示すために使用され、他方のグループは、非セキュリティサービスを示すために使用される。制御情報はPSCCHで搬送されてもよく、或いはPSBCHで搬送されてもよい。２つのグループのDMRSは、異なるサイクリックシフトを有する２つのグループのDMRS系列でもよく、或いは異なるルート系列番号を有する２つのグループのDMRS系列でもよく、或いは異なるOCCを有する２つのグループのDMRS系列でもよい。
【０４２１】
代替として、具体的には、異なるリソースは、セキュリティサービスを示すために使用される。ここで、リソースは、異なる時間ドメインリソース、異なる周波数ドメインリソース又は異なるコードドメインリソースでもよく、或いは第３の制御チャネルの送信周期又は間隔でもよい。異なる送信周期及び異なる送信間隔は、セキュリティサービス及び非セキュリティサービスに対応する。
【０４２２】
第１の速度情報は、第１のUEの速度又は第１のUEの速度等級情報を含んでもよい。
【０４２３】
第１のUEが同期源として使用されてもよいか否かは、明示的又は暗示的に示されてもよい。
【０４２４】
例えば、第１のUEが同期源として使用されてもよいか否かは、第３の制御チャネル内の特定のフィールドを使用することにより示されてもよい。特定のフィールドがフィールドAであると仮定すると、フィールドAは1に設定されてもよく、これは、第１のUEが同期源として使用されてもよいことを示す。フィールドAは0に設定されてもよく、これは、第１のUEが同期源として使用できないことを示す。
【０４２５】
第１のUEの同期源の識別子は、明示的又は暗示的に示されてもよい。
【０４２６】
例えば、第１のUEの同期源の識別子は、第３の制御チャネル内の他の特定のフィールドを使用することにより示されてもよい。任意選択で、第１のUEの同期源がGNSSである場合、他の特定のフィールドは1に設定されてもよい。第１のUEの同期源がGNSSでない場合、他の特定のフィールドは0に設定されてもよい。代替として、任意選択で、第１のUEの同期源が第１の基地局である場合、第１のUEの同期源の識別子は、第１の基地局の物理セル識別子である。第１のUEの同期源がGNSSである場合、第１のUEの同期源の識別子は、GNSSに対応する予め規定された識別子である。第１のUEの同期源が他のUE（例えば、第３のUE又は第４のUE）である場合、第１のUEの同期源の識別子は、他のUEの識別子又は他のUEの同期信号識別子である。
【０４２７】
本発明のこの実施例では、GNSSに対応する予め規定された識別子は、事前にGNSSのために設定されてもよく、例えば、-1のような負の数でもよく、或いは、例えば、336又は400のような既存の第１のリンクのサービスセット識別子（Service  Set  Identifier,  SSID）より大きい値でもよく、或いは、例えば、0と335との間の予め規定された識別子でもよいことが理解できる。これは本発明では限定されない。
【０４２８】
第１のUEの同期源の識別子を示す他の特定のフィールドがフィールドBであることを仮定すると、フィールドBは-1に設定されてもよく、これは、第１のUEの同期源がGNSSであることを示す。
【０４２９】
さらに、図１２に示す方法は、第１のUEにより、第１のリンク上で同期信号を送出することを更に含む。同期信号はSLSSでもよい。
【０４３０】
任意選択で、同期信号は、サービスタイプを示すために使用されてもよい。サービスタイプはセキュリティタイプ又は非セキュリティタイプでもよい。
【０４３１】
例えば、同期信号送信周期又は間隔は、サービスタイプを示すために使用されてもよい。例えば、周期閾値が設定されてもよく、同期信号の送信周期が周期閾値より大きいとき、サービスタイプはセキュリティタイプであり、同期信号の送信周期が周期閾値以下であるとき、サービスタイプは非セキュリティタイプである。例えば、間隔閾値が設定されてもよく、同期信号の送信間隔が間隔閾値より大きいとき、サービスタイプはセキュリティタイプであり、同期信号の送信間隔が間隔閾値以下であるとき、サービスタイプは非セキュリティタイプである。これは本発明では限定されない。
【０４３２】
例えば、異なるプライマリ同期信号の組み合わせは、サービスタイプを示すために使用されてもよい。代替として、異なるセカンダリ同期信号の組み合わせは、サービスタイプを示すために使用されてもよい。代替として、プライマリ同期信号とセカンダリ同期信号との組み合わせは、サービスタイプを示すために使用されてもよい。例えば、２つのプライマリ同期信号の異なる系列の組み合わせ及び／又は２つの異なるセカンダリ同期信号の異なる系列の組み合わせは、サービスタイプ及び非サービスタイプを示すために使用される。例えば、２つのプライマリ同期信号の系列が同じであるとき、サービスはセキュリティサービスであり、２つのプライマリ同期信号の系列が異なるとき、サービスは非セキュリティサービスである。他の例では、２つのプライマリ同期信号の系列が同じであるとき、サービスは非セキュリティサービスであり、２つのプライマリ同期信号の系列が異なるとき、サービスはセキュリティサービスである。同様に、プライマリ同期信号の系列に対して実行されるものと同じ動作が、指示のために２つのセカンダリ同期信号の系列に対して実行されてもよい。ここでは列挙は更に提供されない。
【０４３３】
任意選択で、異なるプライマリ同期信号系列は、セキュリティサービス及び非セキュリティサービスをそれぞれ示すために使用されてもよく、及び／又は異なるセカンダリ同期信号系列は、セキュリティサービス及び非セキュリティサービスをそれぞれ示すために使用されてもよい。
【０４３４】
例えば、２つのグループのプライマリ同期信号系列が規定されてもよく、第１のグループのプライマリ同期信号系列及び第２のグループのプライマリ同期信号系列は異なり、セキュリティサービス及び非セキュリティサービスをそれぞれ示すために使用される。例えば、第１のグループのプライマリ同期信号系列は、ルート系列番号が26及び37であるZadoff-Chu系列を含み、第２のグループのプライマリ同期信号系列は、ルート系列番号が26又は37でない１つ以上のZadoff-Chu系列を含む。
【０４３５】
例えば、２つのグループのセカンダリ同期信号系列が規定されてもよく、第１のグループのセカンダリ同期信号系列及び第２のグループのセカンダリ同期信号系列は異なり、セキュリティサービス及び非セキュリティサービスをそれぞれ示すために使用される。例えば、第１のグループのセカンダリ同期信号系列の識別子の値の範囲は[0,83]であり、第２のグループのセカンダリ同期信号系列の識別子の値の範囲は[84,167]である。他の例では、第１のグループのセカンダリ同期信号系列の識別子の値の範囲は[0,167]であり、第２のグループのセカンダリ同期信号系列の識別子の値の範囲は[168,335]である。
【０４３６】
ここで、第３の制御チャネル及び同期信号について、図４の実施例における関係する説明に参照が行われてもよく、繰り返しを回避するために、詳細はここでは再び説明しない。
【０４３７】
任意選択で、他の実施例では、制御情報は、以下のもの、すなわち、第１の速度情報、制御情報の現在の送信回数、制御情報に基づいてスケジューリングされたデータの送信回数、及びデータの各送信に使用される時間周波数リソースのうち少なくとも１つを示すために使用されてもよい。
【０４３８】
例えば、制御情報は第１の制御チャネル又は第２の制御チャネルで搬送される。第１のUEが第１のタイプのUEである場合、制御情報は第１の制御チャネルで搬送される。第１のUEが第２のタイプのUEである場合、制御情報は第２の制御チャネルで搬送される。任意選択で、制御情報は第１のUEの速度指示情報を含んでもよい。
【０４３９】
対応して、この後に、第１のUEは、第１のリンク上でデータを送出してもよいことが理解できる。
【０４４０】
例では、第１のUEは、第４の送信リソースを使用することにより、第１のリンク上でデータを送出してもよい。代替として、第１のUEは、第４の送信リソースを使用することにより、第１のリンク上でデータ及び第１の系列を送出してもよい。第４の送信リソースは、制御情報により示されてもよい。
【０４４１】
例えば、第１のUEが第１のタイプのUEであるとき、第１のUEは、第１のリンク上でデータ及びZC系列を送出してもよい。第１のUEが第２のタイプのUEであるとき、第１のUEは、第１のリンク上でデータ及び第１の系列を送出してもよい。第１の系列について、前述の実施例における関係する説明に参照が行われてもよく、繰り返しを回避するために、詳細はここでは再び説明しない。
【０４４２】
任意選択で、第１のリンク上で第１のUEにより送信される制御情報及び第１のリンク上で第１のUEにより送信されるデータは、異なるサブフレームに位置してもよく、或いは制御情報及びデータは同じサブフレームに位置してもよい。
【０４４３】
任意選択で、制御情報及びデータが同じサブフレームに位置する場合、この方法の後に、方法は、第１のUEにより、第１のリンク上で制御情報及びデータを送出することを含んでもよい。
【０４４４】
具体的には、これは、
制御情報の第１の送信電力及びデータの第２の送信電力を決定し、
第１の送信電力と第２の送信電力との和が最大送信電力より大きい場合、第１の送信電力を第１の換算値で乗算することにより取得された値を第１の電力として使用し、第２の送信電力を第２の換算値で乗算することにより取得された値を第２の電力として使用し、それにより、第１の電力と第２の電力との和が最大送信電力以下になり、
第１の電力を使用することにより第１のリンク上で制御情報を送出し、第２の電力を使用することにより第１のリンク上でデータを送出し、
第１の換算値及び第２の換算値は等しいか、或いは等しくないこと
を具体的に含んでもよい。
【０４４５】
他の実現方式では、第１の基地局が、シグナリングを使用することにより、第１のUEが同じサブフレーム内でPSCCH及びPSSCHを送信する必要があることを指示するか、或いは第１のUEが、PSCCH及びPSSCHが同じサブフレーム内で送信される必要があると決定し、PSCCHの第３の送信電力とPSSCHの第４の送信電力との和が第１のリンク上での第１のUEの最大送信電力より大きい場合、以下の方式のうちいずれか１つが、送信電力をPSCCH及びPSSCHに割り当てるため、又はPSCCH及びPSSCHの送信方式を決定するために使用されてもよい。
【０４４６】
方式１：第１のUEは、PSSCHを破棄し、現在のサブフレーム内でPSCCHのみを送信してもよい。
【０４４７】
方式２：第１のUEは、異なるサブフレーム内でPSCCH及びPSSCHを送信してもよい。
【０４４８】
方式３：第１のUEは、送信回数を増加させ、複数の送信のいくつかの中で同じサブフレーム内でPSCCH及びPSSCHを送信し、複数の送信のうちいくつかの中で異なるサブフレーム内でPSCCH及びPSSCHを送信してもよい。
【０４４９】
ここで、第３の送信電力は第１の送信電力でもよく、第４の送信電力は第２の送信電力でもよく、或いは第３の送信電力及び第４の送信電力は、第１の基地局により指示された送信電力でもよく、或いは第３の送信電力及び第４の送信電力は、予め規定されたルールに従って第１のUEにより決定されてもよい。
【０４５０】
ここで、制御情報及びデータについて、図４の実施例における関係する説明に参照が行われてもよく、繰り返しを回避するために、詳細はここでは再び説明しない。
【０４５１】
図１３は、本発明の他の実施例による情報送信方法のフローチャートである。図１３に示す方法は以下のステップを含む。
【０４５２】
S301：第１のUEは、制御情報に基づいてスケジューリングされたデータの送信回数を決定し、データの送信回数に基づいて制御情報の送信方式を決定する。
【０４５３】
第１のUEは、制御情報に基づいてスケジューリングされたデータの送信回数を決定するために、以下の方法のうち少なくとも１つを使用してもよい。第１のUEは、第１のUEの速度情報に基づいてデータの送信回数を決定する。第１のUEは、基地局により指示された情報に従ってデータの送信回数を決定する。第１のUEは、予め規定された情報に従ってデータの送信回数を決定する。第１のUEは、送信条件に基づいてデータの送信回数を決定する。第１のUEは、サービスの特性に基づいてデータの送信回数を決定する。
【０４５４】
任意選択で、ステップS301において、第１のUEは、第１のUEの第１の速度情報に基づいて、制御情報に基づいてスケジューリングされたデータの送信回数を決定し、データの送信回数に基づいて制御情報の送信方式を決定してもよい。
【０４５５】
本発明のこの実施例では、第１の速度情報は、第１のUEの速度を示すために使用されてもよい。ここで、速度情報は、絶対速度、相対速度及び加速度を含む。第１のUEにより、第１の速度情報を決定するための方法について、本発明の前述の実施例におけるステップS101及びS201の説明に参照が行われてもよく、詳細はここでは再び説明しない。
【０４５６】
本発明のこの実施例では、データの送信回数は予め規定されてもよい。例えば、データの送信回数は第１のUEに予め設定されるか、或いは高速UEのデータの送信回数はプロトコルにおいて予め指定される。代替として、データの送信回数は、第２のUEのサービング基地局により送出された情報から、第１のUEにより取得されてもよい。代替として、データの送信回数は、以下の情報、すなわち、第１のUEの第１の速度情報、及び第１のUE及び／又は第２のUEの地理的位置情報のうち少なくとも１つに基づいて、第１のUEにより決定される。これは本発明では限定されない。
【０４５７】
任意選択で、実施例では、第１のUEは、第１のUEの第１の速度情報に基づいてデータの送信回数を決定してもよい。例えば、第１のUEが、第１のUEが第１のタイプのUEであると決定した場合、第１のUEは、データの送信回数がN1であると決定してもよく、第１のUEが、第１のUEが第２のタイプのUEであると決定した場合、第１のUEは、データの送信回数がN2であると決定してもよい。N1及びN2の値は予め設定されてもよく、或いはプロトコルにおいて指定されてもよく、或いはシグナリングを使用することにより基地局により指示されてもよく、同様のものでもよい。これは本発明では限定されない。任意選択で、N1及びN2の値はN1＜N2を満たしてもよい。
【０４５８】
任意選択で、第１のUEは、基地局により指示された情報に従ってデータの送信回数を決定し、具体的には、基地局は、シグナリングを使用することにより、データの送信回数を第１のUEに指示する。例えば、基地局は、DCIシグナリング、RRCメッセージ及びSIBメッセージを使用することによりデータの送信回数を指示する。具体的には、RRCメッセージ又はSIBメッセージが指示のために使用されるとき、基地局は、リソースプールに関係するパラメータを使用することにより送信回数を指示してもよい。この方法では、基地局は、第１のUEにより実行されるデータ送信回数を制御し、基地局は、ネットワーク状態に応じて送信リソース及び効率を制御し、それにより、送信性能及び全体システムの効率を確保する。
【０４５９】
任意選択で、第１のUEは、予め規定された情報に従ってデータの送信回数を決定する。データの送信回数が基地局により指示された情報に基づいて決定されることと同様に、第１のUEがネットワークカバレッジの外部にあるとき、データの送信回数は、予め規定された情報により示される。予め規定された情報は、UEに予め設定される。UEがネットワークにアクセスするとき、予め規定された情報も、ネットワークを介して更新されてもよい。
【０４６０】
任意選択で、第１のUEは、送信条件に基づいてデータの送信回数を決定する。送信条件は、第１のUEにより受信されたデータの信号品質、第１のUEにより検出されたチャネル品質、データを送信するために使用されるリソースプール内で第１のUEにより測定された干渉信号のエネルギー、及びデータを送信するために使用されるリソースプール内で第１のUEにより検出された他のUEにより信号を送出するためのエネルギーを含む。一般的に、より悪い信号品質は、より大きい送信回数を示す。代替として、データを送信するために使用されるリソースプール内で第１のUEにより測定された干渉信号のエネルギーがより高いとき、送信回数はより小さく、UEの間の相互干渉を更に低減する。
【０４６１】
任意選択で、第１のUEは、サービスの特性に基づいてデータの送信回数を決定する。ここで、サービスの特性は、UEがセキュリティサービスであるか非セキュリティサービスであるか、UEが送信するサービスについてのサービス品質QoS要件、UEが送信するサービスの優先度等を含む。UEにより送信されるサービスがセキュリティサービスであるとき、サービスの送信特性の要件を満たすために、QoS要件はより高く、優先度はより高く、実行される送信回数はより大きい。
【０４６２】
任意選択で、異なる送信回数について、制御情報の送信方式は同じでもよく、或いは異なってもよい。
【０４６３】
例えば、データの送信回数が異なるとき、制御情報内の有効なフィールドは異なる。
【０４６４】
任意選択で、制御情報は、制御情報の現在の送信回数の指示情報を更に含んでもよく、及び／又は第１のUEの第１の速度情報を含んでもよい。
【０４６５】
任意選択で、制御情報は、現在の送信回数を示すフィールドを含んでもよい。例えば、制御情報の送信回数が2である場合、1ビットのフィールドが現在の送信回数を示すために制御情報内で使用されてもよい。具体的には、「0」である1ビットのフィールドは、現在の送信が制御情報の最初の送信であることを示し、「1」である1ビットのフィールドは、現在の送信が制御情報の２回目の送信であることを示す。
【０４６６】
任意選択で、制御情報は、第１のUEの速度情報を示すフィールドを含んでもよい。例えば、1ビットのフィールドが第１のUEの速度情報を示すために制御情報内で使用されてもよい。具体的には、「0」である1ビットのフィールドは、第１のUEの速度が予め設定された速度閾値未満であること、すなわち、第１のUEが第１のタイプのUEであることを示し、「1」である1ビットのフィールドは、第１のUEの速度が予め設定された速度閾値以上であること、すなわち、第１のUEが第２のタイプのUEであることを示す。
【０４６７】
任意選択で、制御情報は、制御情報に基づいてスケジューリングされたデータの送信回数の指示情報を含んでもよい。制御情報は、明示的又は暗示的な方式でデータの送信回数の指示情報を含んでもよい。例えば、制御情報は、制御情報に基づいてスケジューリングされたデータの送信回数を示すフィールドを含んでもよく、例えば、2ビットのフィールドが１回、２回、３回又は４回の送信を示すために使用される。
【０４６８】
任意選択で、制御情報は制御チャネルで搬送されてもよく、制御チャネルはPSCCHである。
【０４６９】
任意選択で、データの送信回数は、明示的又は暗示的な方式で制御チャネルにより示されてもよい。例えば、データの送信回数は、制御チャネルの特定の指示情報により示されてもよい。特定の指示情報は予め規定されてもよく、例えば、プロトコルにおいて指定されてもよく、或いはシグナリングを使用することにより基地局により指示されてもよく、或いは制御情報内で示されてもよく、或いは制御チャネルを使用することにより暗示的に示されてもよい。これは本発明では限定されない。制御チャネルを使用することにより暗示的にデータの送信回数を示すことは、例えば、CRCマスク、制御チャネルのスクランブル系列、制御チャネルにより使用される復調参照信号、制御チャネルを送信するために占有される物理リソースのサイズ、及び制御チャネルにより占有される時間周波数リソース（例えば、異なるリソースセットが異なるデータ送信回数に使用される）を使用することにより、データの送信回数を示すことである。
【０４７０】
本発明のこの実施例では、データの異なる送信回数について、制御情報の送信方式は同じでもよく、或いは異なってもよい。例えば、データの送信回数が異なるとき、制御情報内の有効なフィールドが異なる。
【０４７１】
例では、データの送信回数が4であるとき、制御情報内の第１のフィールド及び制御情報内の第２のフィールドは、４回の送信のうち２回に使用される時間周波数リソースを含む。
【０４７２】
他の例では、同じ周波数ドメインリソースがデータの各送信に使用される。制御情報は、同じ周波数ドメインリソースと、データの送信に１対１に対応する複数の時間ドメインリソースの指示情報とを含む。
【０４７３】
他の例では、データの送信回数がNであり、制御情報は、N回の送信のうちM回に使用される時間周波数リソースを含み、それにより、制御情報の受信端は、制御情報に含まれるM回の送信に使用される時間周波数リソースに基づいて、N回の送信に使用される時間周波数リソースを決定し、M＜Nであり、M及びNは正の整数である。
【０４７４】
さらに、各送信に使用される時間周波数リソースの指示情報について、図５〜図７における関係する説明に参照が行われてもよく、繰り返しを回避するために、詳細はここでは再び説明しない。
【０４７５】
S302：第１のUEは、第１のリンク上でその送信方式で制御情報を送出する。
【０４７６】
任意選択で、本発明のこの実施例における制御情報は、制御情報の現在の送信回数を更に含んでもよく、及び／又は第１のUEの第１の速度情報を更に含んでもよい。
【０４７７】
任意選択で、方法は、第１のUEにより、第１のリンク上でデータを送出することを更に含んでもよい。データは、制御情報に基づいてスケジューリングされたデータである。
【０４７８】
代替として、任意選択で、方法は、第１のUEにより、第１のリンク上でデータ及び第１の系列を送出することを含んでもよい。第１の系列について、前述の実施例における関係する説明に参照が行われてもよく、詳細はここでは再び説明しない。
【０４７９】
任意選択で、制御情報は制御チャネルで搬送され、データはデータチャネル（又はサービスチャネルと呼ばれる）で搬送される。制御チャネルはPSCCHでもよく、データチャネルはPSSCHでもよい。
【０４８０】
本発明のこの実施例における制御情報及びデータは異なるサブフレームに位置してもよく、或いは本発明のこの実施例における制御情報及びデータは同じサブフレームに位置してもよい。
【０４８１】
任意選択で、制御情報及びデータが同じサブフレームに位置する場合、ステップS302において、第１のUEは、送信方式で第１のリンク上で制御情報及びデータを送出する。
【０４８２】
さらに、第１のUEが第１のリンク上で制御情報及びデータを送出することは、
制御情報の第１の送信電力及びデータの第２の送信電力を決定し、
第１の送信電力と第２の送信電力との和が最大送信電力より大きい場合、第１の送信電力を第１の換算値で乗算することにより取得された値を第１の電力として使用し、第２の送信電力を第２の換算値で乗算することにより取得された値を第２の電力として使用し、それにより、第１の電力と第２の電力との和が最大送信電力以下になり、
第１の電力を使用することにより第１のリンク上で制御情報を送出し、第２の電力を使用することにより第１のリンク上でデータを送出し、
第１の換算値及び第２の換算値は等しいか、或いは等しくないこと
を含んでもよい。
【０４８３】
第１の送信電力及び第２の送信電力は、開ループ電力に基づく方法を使用することにより決定されてもよい。詳細について、前述の実施例において第１の送信電力及び第２の送信電力を決定するための方法に参照が行われてもよく、繰り返しを回避するために、詳細はここでは再び説明しない。
【０４８４】
本発明のこの実施例における送信方式は、以下のもの、すなわち、制御情報により使用される送信リソース、制御情報の巡回冗長検査CRCマスク、制御情報のスクランブル系列、制御情報を搬送する制御チャネルにより使用される復調参照信号、制御情報を送信するために占有される物理リソースのサイズ、制御情報により使用される変調及び符号化方式MCS、並びに制御情報の送信回数のうち少なくとも１つを含んでもよい。
【０４８５】
図１４は、本発明の他の実施例による情報送信方法のフローチャートである。図１４に示す方法は以下のステップを含む。
【０４８６】
S401：第２のUEは、第１のリンク上で、第１のUEにより送出された制御情報を受信する。
【０４８７】
具体的には、制御情報は、制御情報に基づいてスケジューリングされたデータの送信回数及び各送信に使用される時間周波数リソースの指示情報を含む。
【０４８８】
本発明のこの実施例では、データの送信回数は予め規定されてもよい。例えば、データの送信回数は第１のUEに予め設定されるか、或いは高速UEのデータの送信回数はプロトコルにおいて予め指定される。代替として、データの送信回数は、第２のUEのサービング基地局により送出された情報から、第１のUEにより取得されてもよい。代替として、データの送信回数は、以下の情報、すなわち、第１のUEの第１の速度情報、第１のUE及び／又は第２のUEの地理的位置情報、第１のUEの信号品質、第２のUEにより送出されたデータ及び／又は信号の信号品質等のうち少なくとも１つに基づいて、第１のUEにより決定される。これは本発明では限定されない。
【０４８９】
任意選択で、制御情報は、制御情報の現在の送信回数の指示情報を含んでもよく、及び／又は制御情報は、第１のUEの第１の速度情報を含んでもよい。
【０４９０】
任意選択で、制御情報は、現在の送信回数を示すフィールドを含んでもよい。例えば、制御情報の送信回数が2である場合、1ビットのフィールドが現在の送信回数を示すために制御情報内で使用されてもよい。具体的には、「0」である1ビットのフィールドは、現在の送信が制御情報の最初の送信であることを示し、「1」である1ビットのフィールドは、現在の送信が制御情報の２回目の送信であることを示す。対応して、第２のUEについて、２回の送信のいずれかの中で第２のUEにより受信された制御情報が有効である。第２のUEが２回の送信の双方の中で制御情報を受信でき、送信回数を示すフィールドがそれぞれ0及び1であり、スケジューリングされたデータの時間周波数リソースの示された位置が全く同じである場合、これは、同じ制御情報が２回の送信中に受信されたと考えられてもよい。
【０４９１】
任意選択で、制御情報は、第１のUEの速度情報を示すフィールドを含んでもよい。例えば、1ビットのフィールドが第１のUEの速度情報を示すために制御情報内で使用されてもよい。具体的には、「0」である1ビットのフィールドは、第１のUEの速度が予め設定された速度閾値未満であること、すなわち、第１のUEが第１のタイプのUEであることを示し、「1」である1ビットのフィールドは、第１のUEの速度が予め設定された速度閾値以上であること、すなわち、第１のUEが第２のタイプのUEであることを示す。
【０４９２】
任意選択で、制御情報は、制御情報に基づいてスケジューリングされたデータの送信回数の指示情報を含んでもよい。制御情報は、明示的又は暗示的な方式でデータの送信回数の指示情報を含んでもよい。例えば、制御情報は、制御情報に基づいてスケジューリングされたデータの送信回数を示すフィールドを含んでもよく、例えば、2ビットのフィールドが１回、２回、３回又は４回の送信を示すために使用される。
【０４９３】
本発明のこの実施例における制御情報は制御チャネルで搬送されてもよい。任意選択で、制御チャネルはPSCCHでもよい。
【０４９４】
S402：第２のUEは、制御情報に基づいてスケジューリングされたデータの送信回数の指示情報を取得する。
【０４９５】
第２のUEは、明示的又は暗示的な方式でデータの送信回数を取得してもよい。例えば、第２のUEは、特定の指示情報からデータの送信回数を取得してもよい。特定の指示情報は予め規定されてもよく、例えば、プロトコルにおいて指定されてもよく、或いはシグナリングを使用することにより基地局により指示されてもよく、或いは制御情報内で示されてもよく、或いは制御情報を搬送する制御チャネルを使用することにより暗示的に示されてもよい。これは本発明では限定されない。制御情報を搬送する制御チャネルを使用することにより暗示的にデータの送信回数を示すことは、例えば、CRCマスク、制御チャネルのスクランブル系列、制御チャネルにより使用される復調参照信号、制御チャネルを送信するために占有される物理リソースのサイズ、及び制御チャネルにより占有される時間周波数リソース（例えば、異なるリソースセットが異なるデータ送信回数に使用される）を使用することにより、データの送信回数を示すことである。
【０４９６】
S403：第２のUEは、制御情報内の各送信に対応するフィールド内で、各送信に使用される時間周波数リソースを取得する。
【０４９７】
任意選択で、データの送信回数が1より多い場合、同じ周波数ドメインリソースがデータの各送信に使用され、制御情報は、同じ周波数ドメインリソースと、データの１回より多い送信に１対１に対応する複数の時間ドメインリソースの指示情報とを含んでもよい。対応して、第２のUEは、制御情報から同じ周波数ドメインリソースを取得し、送信に１対１に対応するフィールドから複数の送信に使用される時間ドメインリソースを取得してもよい。
【０４９８】
任意選択で、例では、データの送信回数が1であるとき、この送信に使用される時間周波数リソースは、制御情報内の第１のフィールドから取得される。データの送信回数が2であるとき、２回の送信のうち最初の送信に使用される時間周波数リソースは、制御情報内の第１のフィールドから取得され、２回の送信のうち２回目の送信に使用される時間周波数リソースは、制御情報内の第２のフィールドから取得される。データの送信回数が4であるとき、４回の送信のうち最初の送信に使用される時間周波数リソースは、制御情報内の第１のフィールドから取得され、４回の送信のうち２回目の送信に使用される時間周波数リソースは、制御情報内の第２のフィールドから取得され、４回の送信のうち３回目の送信に使用される時間周波数リソースは、制御情報内の第３のフィールドから取得され、４回の送信のうち４回目の送信に使用される時間周波数リソースは、制御情報内の第４のフィールドから取得される。
【０４９９】
任意選択で、他の例では、データの送信回数が4であるとき、４回の送信のうち２回に使用される時間周波数リソースは、制御情報内の第１のフィールド及び制御情報内の第２のフィールドから取得され、４回の送信のうち他の２回に使用される時間周波数リソースは、４回の送信のうち２回に使用される時間周波数リソースに基づいて決定される。例えば、２回目の送信に使用される周波数ドメインリソースは、最初の送信に使用される周波数ドメインリソースと同じであり、２回目の送信に使用される時間ドメインリソース及び最初の送信に使用される時間ドメインリソースは、サブフレームで隣接するか、或いは予め規定された値だけ間隔が空いている。４回目の送信に使用される周波数ドメインリソースは、３回目の送信に使用される周波数ドメインリソースと同じであり、４回目の送信に使用される時間ドメインリソース及び３回目の送信に使用される時間ドメインリソースは、サブフレームで隣接するか、或いは予め規定された値だけ間隔が空いている。制御情報は、最初の送信及び３回目の送信に使用される時間周波数リソースのみを示し、２回目の送信及び４回目の送信に使用される時間周波数リソースは、予め規定された方式で取得されてもよい。
【０５００】
任意選択で、他の例では、データの送信回数がNであるとき、N回の送信のうちM回に使用される時間周波数リソースは、制御情報内の特定の位置から取得され、N回の送信に使用される時間周波数リソースは、制御情報に含まれるM回の送信に使用される時間周波数リソースに基づいて更に決定され、M＜Nであり、M及びNは正の整数である。例えば、残りのN-M回の送信に使用される時間周波数リソースは、M回の送信に使用される時間周波数リソースに基づいて予め規定された方法に従って決定されてもよい。
【０５０１】
本発明のこの実施例では、データの送信回数が異なるとき、制御情報の送信方式は同じでもよく、或いは異なってもよい。
【０５０２】
任意選択で、制御情報の統一送信方式が使用されてもよい。この場合、ステップS403において、第２のUEは、統一送信方式で、制御情報内の対応するフィールドから各送信に使用される時間周波数リソースを取得してもよい。この実施例では、異なる送信回数に使用される時間周波数リソースの指示を確保し、第２のUEによるブラインド検出の複雑性を低減するために、制御情報の統一送信方式が使用される。
【０５０３】
任意選択で、異なる送信回数について、異なる送信方式が制御情報に使用されてもよい。すなわち、異なる送信回数について、制御情報を搬送する制御チャネルの送信方式は異なる。
【０５０４】
この場合、ステップS403は、第２のUEにより、データの送信回数に基づいて制御情報の送信方式を決定し、送信方式は、少なくとも２つの予め規定された送信方式のうち１つであり、送信方式に基づいて、各送信に使用される時間周波数リソースを取得することを含んでもよい。
【０５０５】
送信回数が1である場合、制御情報はt1及びf1を含んでもよい。
【０５０６】
送信回数が2である場合、制御情報はt1、f1、t2及びf2を含んでもよい。f1=f2である場合、送信回数が2であるとき、制御情報はf、t1及びt2を含んでもよい。
【０５０７】
送信回数が4である場合、制御情報はt1、f1、t2、f2、t3、f3、t4及びf4を含んでもよい。f1=f2=f3=f4である場合、送信回数が4であるとき、制御情報はf、t1、t2、t3及びt4を含んでもよい。
【０５０８】
異なる送信方式がデータの異なる送信回数に使用されるとき、各送信に使用される時間周波数リソースの位置は、明示的なシグナリングを使用することにより示されてもよく、リソーススケジューリングの柔軟性を確保することが習得できる。対応して、第２のUEについて、各送信に使用される時間周波数リソースは、複雑な計算処理を実行する必要なく、迅速に取得できる。
【０５０９】
第２のUEは、データの送信回数に対応する送信方式の制御情報を検出しさえすればよく、他の送信方式に対応する制御情報を検出する必要がないことが習得できる。これは検出の複雑性を低減する。さらに、異なる送信方式は、データの異なる送信回数について設計され、制御情報の送信リソース利用率を確保し、送信中のリソース使用効率を改善する。
【０５１０】
前述の実施例におけるf、f1-f4及びt1-t4は絶対値又は相対値でもよい点に留意すべきである。これは本発明では限定されない。
【０５１１】
送信方式は、以下のもの、すなわち、制御情報により使用される送信リソース、制御情報の巡回冗長検査CRCマスク、制御情報のスクランブル系列、制御情報を搬送する制御チャネルにより使用される復調参照信号、制御情報を送信するために占有される物理リソースのサイズ、制御情報により使用される変調及び符号化方式MCS、並びに制御情報の送信回数のうち少なくとも１つを含んでもよい。
【０５１２】
制御情報の送信方式について、図４の実施例における関係する説明に参照が行われてもよく、繰り返しを回避するために、詳細はここでは再び説明しない。
【０５１３】
任意選択で、ステップS403の後に、方法は、第２のUEにより、第１のリンク上で、制御情報に基づいて、第１のUEにより送出されたデータを受信することを更に含んでもよい。
【０５１４】
具体的には、第２のUEは、制御情報により示された送信リソースを使用することにより、第１のUEにより送出されたデータを受信してもよい。
【０５１５】
代替として、任意選択で、ステップS403の後に、方法は、第２のUEにより、第１のリンク上で、制御情報に基づいて、第１のUEにより送出されたデータ及び第１の系列を受信することを更に含んでもよい。
【０５１６】
例では、第１のUEが第１のタイプのUEであるとき、第２のUEは、第１のリンク上で、制御情報に基づいて、第１のUEにより送出されたデータ及びZC系列を受信する。第１のUEが第２のタイプのUEであるとき、第２のUEは、第１のリンク上で、制御情報に基づいて、第１のUEにより送出されたデータ及び第１の系列を受信する。第１の系列について、前述の実施例における関係する説明に参照が行われてもよく、繰り返しを回避するために、詳細はここでは再び説明しない。
【０５１７】
任意選択で、データはサービスチャネルで搬送されてもよい。例えば、サービスチャネルはPSSCHである。
【０５１８】
図１５は、本発明の実施例によるユーザ装置の構成ブロック図である。図１５に示すUEは第１のUE100であり、処理ユニット110と、送出ユニット120とを含む。
【０５１９】
処理ユニット110は、第１のUEの第１の速度情報を決定するように構成される。
【０５２０】
処理ユニット110は、第１の速度情報に基づいて制御情報の送信方式を決定するように更に構成される。
【０５２１】
送出ユニット120は、第１のリンク上で、処理ユニット110により決定された送信方式で制御情報を送出するように構成される。
【０５２２】
本発明のこの実施例では、第１の速度情報は、第１のUE100の速度を示すために使用されてもよい。任意選択で、第１の速度情報は、速度等級の形式で第１のUE100の速度を示すために使用されてもよい。ここで、第１のUE100の速度は絶対速度でもよく、或いは他のUE又は複数の他のUEと相対的な相対速度でもよく、或いは地面と相対的な第１のUEの加速度又は他のUE若しくは複数の他のUEと相対的な加速度でもよい。これは本発明では限定されない。
【０５２３】
任意選択で、第１のUE100が物理レイヤにおける通信モジュールである場合、プロセッサユニット110は、他のレイヤからの指示情報に基づいて第１の速度情報を決定してもよい。
【０５２４】
第１の速度情報が第１のUE100の絶対速度を示すために使用される場合、処理ユニット110は、GNSSモードで第１の速度情報を取得してもよい。代替として、処理ユニット110は、第１の基地局により指示された情報を使用することにより第１の速度情報を取得してもよい。任意選択で、第１のUE100は、対応する速度測定装置を使用することにより、第１の速度情報を取得してもよい。例えば、第１のUE100がOBUである場合、処理ユニット110は、エンジンモジュール、ギアボックスモジュール、又は速度を電気的に制御する他のモジュールのような車内の対応するモジュールを使用することにより、第１の速度情報を取得してもよい。例えば、測定された第１のUEの現在速度はvであり、速度の単位はkm/hでもよく、或いはmiles/hでもよい。
【０５２５】
第１の速度情報が他のUE（例えば、第２のUE）と相対的な第１のUE100の相対速度を示すために使用される場合、任意選択で、処理ユニット110は、まず第１のUE100の絶対速度を決定し、次に、第２のUEから送出されたデータパケットを測定又は解析することにより、第２のUEの速度情報及び／又は位置情報を決定してもよい。処理ユニット110は、その情報に基づいて第２のUEと相対的な第１のUE100の相対速度についての情報を更に決定してもよい。ここで、第２のUEは１つのUEでもよく、或いは複数の異なるUEでもよい。第２のUEが複数の異なるUEである場合、相対速度は、複数のUEと相対的な速度の加重値、例えば、算術加重平均値及び幾何加重平均値である。
【０５２６】
本発明のこの実施例では、送信方式は、以下のもの、すなわち、制御情報により使用される送信リソース、制御情報の巡回冗長検査CRCマスク、制御情報のスクランブル系列、制御情報を搬送する制御チャネルにより使用される復調参照信号、制御情報を送信するために占有される物理リソースのサイズ、制御情報により使用される変調及び符号化方式MCS、並びに制御情報の送信回数のうち少なくとも１つを含んでもよい。
【０５２７】
任意選択で、第１の速度情報に基づいて、第１のUE100が第１のタイプのUEであると決定された場合、処理ユニット110は、送信方式が第１の送信方式であると決定してもよく、第１の速度情報に基づいて、第１のUE100が第２のタイプのUEであると決定された場合、処理ユニット110は、送信方式が第２の送信方式であると決定してもよい。第１のタイプのUEは非高速UEでもよく、第２のタイプのUEは高速UEでもよい。
【０５２８】
任意選択で、例では、第１の送信方式は第１の送信リソースを含み、第２の送信方式は第２の送信リソースを含む。第１の送信リソースは、第１のリソースセット又は第１のリソースセットの第１のリソースサブセットからのものでもよく、第２の送信リソースは、第２のリソースセット又は第２のリソースセットの第１のリソースサブセットからのものでもよい。
【０５２９】
本発明のこの実施例では、第１のUE100は、受信ユニットを更に含んでもよい。
【０５３０】
例では、受信ユニットは、第１のリソースセット及び第２のリソースセットを取得するように構成される。第１のリソースセット及び第２のリソースセットは予め規定されてもよく、例えば、プロトコルにおいて指定されてもよい。
【０５３１】
他の例では、受信ユニットは、第２のリンク上で、第１の基地局により送出された第１の指示情報を受信するように構成されてもよく、第１の指示情報は、第１のリソースセット及び第２のリソースセットを示すために使用される。
【０５３２】
任意選択で、送出ユニット120は、第２のリンク上で第１の速度情報を第１の基地局に送出するように構成されてもよく、第１の速度情報は、第１のUE100の速度又は第１のUE100の速度等級情報を含む。さらに、処理ユニット110は、第２のリンク上で、第１の基地局により送出された第１の指示情報を受信してもよい。すなわち、第１の指示情報は、第１の速度情報を受信した後に、第１の基地局により指示されてもよい。
【０５３３】
任意選択で、第１の指示情報は、第１のリソースセット内の第１のリソースサブセットの位置を示すために更に使用されてもよく、及び／又は第２のリソースセット内の第２のリソースサブセットの位置を示すために使用されてもよい。
【０５３４】
送出ユニット120は、第２のリンク上で第１の速度情報を第１の基地局に周期的に送出するように、或いは第１のUE100の速度が変化したとき、第２のリンク上で第１の速度情報を第１の基地局に送出するように、或いは受信ユニットが第１の基地局から第１のUE100の速度情報を報告する命令を受信した後に、第２のリンク上で第１の速度情報を第１の基地局に送出するように具体的に構成されてもよい。
【０５３５】
任意選択で、第１のリソースセット及び第２のリソースセットは同じリソースセットであるか、或いは第２のリソースセットは第１のリソースセットのサブセットである。
【０５３６】
対応して、処理ユニット110は、第１の速度情報に基づいて、第１のUE100が第１のタイプのUEであると決定された場合、第１のリソースセット又は第１のリソースセットの第１のリソースサブセットから第１の送信リソースを決定し、第１のリソースサブセットは予め規定されるか或いは予め設定され、第１の速度情報に基づいて、第１のUE100が第２のタイプのUEであると決定された場合、第２のリソースセット又は第２のリソースセットの第２のリソースサブセットから第２の送信リソースを決定し、第１のリソースサブセットは予め規定されるか或いは予め設定される、ように具体的に構成されてもよい。
【０５３７】
任意選択で、実現方式では、制御情報はサービスタイプを示すために使用され、サービスタイプはセキュリティタイプ又は非セキュリティタイプである。
【０５３８】
例では、制御情報は、第１のUE100が同期源であるか否かを更に示してもよく、及び／又は制御情報は、第１のUE100の同期源の識別子を更に示してもよい。
【０５３９】
第１のUE100の同期源が第１の基地局である場合、第１のUE100の同期源の識別子は、第１の基地局の物理セル識別子であり、或いは第１のUE100の同期源がGNSSである場合、第１のUE100の同期源の識別子は、GNSSに対応する予め規定された識別子である。
【０５４０】
制御情報は第３の制御チャネルで搬送されてもよい。例えば、第３の制御チャネルはPSBCHである。
【０５４１】
例では、第３の制御チャネルは、サービスタイプを示すために使用され、サービスタイプはセキュリティタイプ又は非セキュリティタイプである。
【０５４２】
他の例では、送出ユニット120は、第１のリンク上で同期信号を送出するように更に構成されてもよい。任意選択で、同期信号は、サービスタイプを示すために使用され、サービスタイプはセキュリティタイプ又は非セキュリティタイプである。
【０５４３】
任意選択で、他の実現方式では、制御情報は、第１の速度情報を示すために使用されてもよく、及び／又は制御情報は、制御情報に基づいてスケジューリングされたデータの送信回数及びデータの各送信に使用される時間周波数リソースを示すために使用されてもよい。
【０５４４】
例では、制御情報は、制御情報の現在の送信回数を示すために更に使用されてもよい。
【０５４５】
制御情報は第１の制御チャネル又は第２の制御チャネルで搬送されてもよい。例えば、第１の制御チャネルは第１のPSCCHであり、第２の制御チャネルは第２のPSCCHである。
【０５４６】
第１の速度情報に基づいて、第１のUE100が第１のタイプのUEであると決定された場合、制御情報は第１の制御チャネルで搬送され、第１の速度情報に基づいて、第１のUE100が第２のタイプのUEであると決定された場合、制御情報は第２の制御チャネルで搬送される。
【０５４７】
任意選択で、対応して、送出ユニット120は、第１のリンク上でその送信方式で第１の速度情報を第２のUEに送出するように構成されてもよい。
【０５４８】
実施例では、処理ユニット110は、第１のUE100の同期源を決定するように更に構成されてもよい。
【０５４９】
処理ユニット110は、第１の速度情報に基づいて、第１のUE100が第１のタイプのUEであると決定された場合、予め設定された情報に基づいて同期源を決定するように具体的に構成される。
【０５５０】
例えば、予め設定された情報が、第１のタイプのUEの同期源が基地局であることを示す場合、第１のUEは、同期源が第１の基地局であると決定する。第１の基地局は、第１のUEのサービング基地局でもよい。
【０５５１】
第１のUEが第１のタイプのUEであり、予め設定された情報が、第１のUEの同期源が基地局であることを示す場合、第１のUEは、従来技術の方法を使用することにより、第１の基地局と同期を完了してもよく、詳細はここでは説明しない。
【０５５２】
例えば、予め設定された情報が、第１のタイプのUEの同期源がGNSSであることを示す場合、第１のUEは、同期源がGNSSであると優先的に決定する。
【０５５３】
例えば、予め設定された情報が、第１のタイプのUEの同期源がRSUであることを示す場合、第１のUEは、同期源がRSUであると決定する。
【０５５４】
第１の速度情報に基づいて、第１のUE100が第２のタイプのUEであると決定された場合、処理ユニット110は、同期源がGNSSであると優先的に決定する。
【０５５５】
処理ユニット110は、GNSS信号が検出された場合、GNSSを同期源として使用し、或いはGNSS信号が検出されない場合、同期源が第１の基地局又は第３のUEであると決定するように具体的に構成される。任意選択で、第１の基地局は、第１のUE100のサービング基地局でもよく、第３のUEは、GNSSと直接同期したUEでもよい。
【０５５６】
任意選択で、GNSS信号が処理ユニット110により検出されることは、GNSS信号が処理ユニット110により検出されない場合、処理ユニット110がタイマを開始し、次にGNSS信号がタイマの持続時間内に検出されることでもよい。GNSS信号が処理ユニット110により検出されないことは、GNSS信号が処理ユニット110により検出されない場合、処理ユニット110がタイマを開始し、GNSS信号がタイマの持続時間内に依然として検出されないことでもよい。
【０５５７】
本発明のこの実施例では、GNSS信号が処理ユニット110により検出されることは、信号強度が予め設定された信号強度閾値以上であるGNSS信号が処理ユニット110により検出されることでもよい。GNSS信号が処理ユニット110により検出されないことは、GNSS信号が処理ユニット110により検出されないこと、又は信号強度が予め設定された信号強度閾値未満であるGNSS信号が検出されたことでもよい。
【０５５８】
さらに、本発明のこの実施例における送出ユニット120は、第４の送信リソースを使用することにより、第１のリンク上でデータを送出するように更に構成されてもよく、第４の送信リソースは、制御チャネルで搬送された制御情報により示される。
【０５５９】
送出ユニット120は、まず制御情報を送出し、次にデータを送出してもよい。代替として、送出ユニットは、制御情報及びデータを同時に送出してもよい。
【０５６０】
任意選択で、制御情報及びデータは異なるサブフレームに位置してもよく、或いは制御情報及びデータは同じサブフレームに位置してもよい。これは本発明では限定されない。制御情報は制御チャネルで搬送されてもよく、データはサービスチャネルで搬送されてもよい。制御チャネルはPSCCHでもよく、サービスチャネルはPSSCHでもよい。
【０５６１】
具体的には、送出ユニット120は、第４の送信リソースを使用することにより、第１のリンク上でデータを第２のUEに送出してもよい。
【０５６２】
同じシンボルに位置するそれぞれK個の連続するサブキャリアは、データを送信するために使用されるサブキャリアを含んでもよく、Kは2以上の正の整数である。図９及び図１０に示すK=2である前述の具体的な例に参照が行われてもよい。
【０５６３】
任意選択で、制御情報は、データの送信回数及び各送信に使用される時間周波数リソースを示すために使用されてもよい。
【０５６４】
例では、データの送信回数が1より多く、同じ周波数ドメインリソースがデータの各送信に使用され、第４の送信リソースは、同じ周波数ドメインリソースと、データの１回より多い送信に１対１に対応する複数の時間ドメインリソースとを含んでもよい。
【０５６５】
他の例では、データの送信回数がNであり、第４の送信リソースはN回の送信のうちM回に使用される時間周波数リソースを含んでもよく、それにより、制御チャネルの受信端は、制御情報に含まれるM回の送信に使用される時間周波数リソースに基づいて、N回の送信に使用される時間周波数リソースを決定し、M＜Nであり、M及びNは正の整数である。
【０５６６】
任意選択で、送出ユニット120は、第４の送信リソースを使用することにより、第１のリンク上でデータ及び第１の系列を送出するように具体的に構成される。第１の系列は、予め規定された長さのZC系列セットから予め規定された第２の系列を除去することにより決定される。
【０５６７】
具体的には、第１のUE100が第１のタイプのUEである場合、送出ユニット120は、第４の送信リソースを使用することにより、第１のリンク上でデータ及び予め規定された長さのZC系列を送出してもよい。第１のUE100が第２のタイプのUEである場合、送出ユニット120は、第４の送信リソースを使用することにより、第１のリンク上でデータ及び第１の系列を送出してもよい。第１の系列について、前述の方法の実施例における関係する説明に参照が行われてもよく、繰り返しを回避するために、詳細はここでは再び説明しない。
【０５６８】
制御情報及びデータが同じサブフレームに位置する場合、処理ユニット110は、制御情報の第１の送信電力及びデータの第２の送信電力を決定し、第１の送信電力と第２の送信電力との和が最大送信電力より大きい場合、第１の電力が第１の送信電力を第１の換算値で乗算することにより取得された値であると決定し、第２の電力が第２の送信電力を第２の換算値で乗算することにより取得された値であると決定し、それにより、第１の電力と第２の電力との和が最大送信電力以下になるように更に構成されてもよい。さらに、送出ユニット120は、第１の電力を使用することにより第１のリンク上で制御情報を送出し、第２の電力を使用することにより第１のリンク上でデータを送出するように具体的に構成される。第１の換算値及び第２の換算値は等しいか、或いは等しくない。
【０５６９】
第１の送信電力及び第２の送信電力は、開ループ送信電力でもよい。第１の換算値はw1として表され、第２の換算値はw2として表され、w1=w2又はw1≠w2である。
【０５７０】
代替として、処理ユニット110が、第１の送信電力と第２の送信電力との和が最大送信電力より大きいと決定した場合、送出ユニット120は、現在のサブフレーム内で制御情報を送出し、後のサブフレーム内でデータを送出してもよい。すなわち、制御情報及びデータは異なるサブフレーム内で送出される。
【０５７１】
任意選択で、他の実施例では、送出ユニット120は、第１のUE100が第２のタイプのUEであるとき、第５の送信リソースを使用することにより、第２のリンク上で第１のリンクのデータを第２の基地局に送出するように更に構成される。第２の基地局は、データの受信端のサービング基地局である。
【０５７２】
第５の送信リソースは、第１のUE100のために第１のUE100のサービング基地局により設定されてもよい。任意選択で、送出ユニット120は、リソース要求情報を第１の基地局に送出するように更に構成されてもよく、処理ユニット110は、第１の基地局により送出された第５の送信リソースの指示情報を受信するように更に構成されてもよい。リソース要求情報は、速度に関するSR又はBSRでもよい。
【０５７３】
例では、データの受信端が第２のUEであり、第２のUEのサービング基地局が第１の基地局である場合、第１の基地局及び第２の基地局は同じ基地局である。
【０５７４】
他の例では、データの受信端が第２のUE及び第４のUEを含み、第２のUEのサービング基地局が第１の基地局であり、第４のUEのサービング基地局が第３の基地局である場合、第２の基地局は、第１の基地局及び第３の基地局を含む。
【０５７５】
本発明のこの実施例では、受信ユニットは受信機により実現されてもよく、処理ユニット110はプロセッサにより実現されてもよく、送出ユニット120は送信機により実現されてもよい点に留意すべきである。図１６に示すように、第１のUE100は、プロセッサ151と、受信機152と、送信機153と、メモリ154とを含んでもよい。メモリ154は、速度閾値、速度等級閾値等を記憶するように構成されてもよく、プロセッサ151により実行されるべきコード等を記憶するように更に構成されてもよい。
【０５７６】
第１のUE100のコンポーネントは、バスシステム155を使用することにより一緒に結合される。バスシステム155は、データバスに加えて、電力バス、制御バス及び状態信号バスを含む。
【０５７７】
図１５に示す第１のUE100又は図１６に示す第１のUE100は、図４の方法の実施例における第１のUEにより実現される各プロセスを実現できる。繰り返しを回避するために、詳細はここでは再び説明しない。
【０５７８】
図１７は、本発明の実施例によるシステムチップの概略構成図である。図１７におけるシステムチップ1600は、入力インタフェース1610と、出力インタフェース1620と、少なくとも１つのプロセッサ1630と、メモリ1640とを含む。入力インタフェース1610、出力インタフェース1620、プロセッサ1630及びメモリ1640は、バスを使用することにより接続される。プロセッサ1630は、メモリ1640内のコードを実行するように構成される。コードが実行されるとき、プロセッサ1630は、図４における第１のUEにより実行される情報送信方法を実現する。
【０５７９】
図１８は、本発明の他の実施例によるユーザ装置の構成ブロック図である。図１８に示す第１のUE200は、第１の決定ユニット210と、第２の決定ユニット220とを含む。
【０５８０】
第１の決定ユニット210は、第１のUEの第１の速度情報を決定するように構成される。
【０５８１】
第２の決定ユニット220は、第１の決定ユニット210により決定された第１の速度情報に基づいて第１のUEの同期源を決定するように構成される。
【０５８２】
本発明のこの実施例では、第１の速度情報は、第１のUE200の速度を示すために使用されてもよい。任意選択で、第１の速度情報は、速度等級の形式で第１のUE200の速度を示すために使用されてもよい。ここで、第１のUE200の速度は絶対速度でもよく、或いは他のUE又は複数の他のUEと相対的な相対速度でもよく、或いは地面と相対的な第１のUEの加速度又は他のUE若しくは複数の他のUEと相対的な加速度でもよい。これは本発明では限定されない。
【０５８３】
任意選択で、第１のUE200が物理レイヤにおける通信モジュールである場合、第１の決定ユニット210は、他のレイヤからの指示情報に基づいて第１の速度情報を取得してもよい。
【０５８４】
第１の速度情報が第１のUE210の絶対速度を示すために使用される場合、第１の決定ユニット210は、GNSSモードで第１の速度情報を取得してもよい。代替として、第１の決定ユニット210は、第１の基地局により指示された情報を使用することにより第１の速度情報を取得してもよい。任意選択で、第１のUE200は、対応する速度測定装置を使用することにより、第１の速度情報を取得してもよい。例えば、第１のUE200がOBUである場合、第１の決定ユニット210は、エンジンモジュール、ギアボックスモジュール、又は速度を電気的に制御する他のモジュールのような車内の対応するモジュールを使用することにより、第１の速度情報を取得してもよい。例えば、測定された第１のUEの現在速度はvであり、速度の単位はkm/hでもよく、或いはmiles/hでもよい。
【０５８５】
第１の速度情報が他のUE（例えば、第２のUE）と相対的な第１のUE200の相対速度を示すために使用される場合、任意選択で、第１の決定ユニット210は、まず第１のUE200の絶対速度を決定し、次に、第２のUEから送出されたデータパケットを測定又は解析することにより、第２のUEの速度情報及び／又は位置情報を決定してもよい。第１の決定ユニット210は、その情報に基づいて第２のUEと相対的な第１のUE200の相対速度についての情報を更に決定してもよい。ここで、第２のUEは１つのUEでもよく、或いは複数の異なるUEでもよい。第２のUEが複数の異なるUEである場合、相対速度は、複数のUEと相対的な速度の加重値、例えば、算術加重平均値及び幾何加重平均値である。
【０５８６】
任意選択で、第２の決定ユニット220は、第１の速度情報に基づいて、第１のUE200が第１のタイプのUEであると決定された場合、予め設定された情報に基づいて同期源を決定するように具体的に構成される。
【０５８７】
例えば、予め設定された情報が、第１のタイプのUEの同期源が基地局であることを示す場合、第１のUEは、同期源が第１の基地局であると決定する。第１の基地局は、第１のUEのサービング基地局でもよい。
【０５８８】
第１のUEが第１のタイプのUEであり、予め設定された情報が、第１のUEの同期源が基地局であることを示す場合、第１のUEは、従来技術の方法を使用することにより、第１の基地局と同期を完了してもよく、詳細はここでは説明しない。
【０５８９】
例えば、予め設定された情報が、第１のタイプのUEの同期源がGNSSであることを示す場合、第１のUEは、同期源がGNSSであると決定し、予め設定された情報が、同期源がGNSSであることを示す場合、第１のUEは、同期源がGNSSであると優先的に決定する。
【０５９０】
例えば、予め設定された情報が、第１のタイプのUEの同期源がRSUであることを示す場合、第１のUEは、同期源がRSUであると決定する。
【０５９１】
第１の速度情報に基づいて、第１のUE100が第２のタイプのUEであると決定された場合、第２の決定ユニット220は、同期源がGNSSであると優先的に決定する。
【０５９２】
第２の決定ユニット220は、GNSS信号が検出された場合、GNSSを同期源として使用し、或いはGNSS信号が検出されない場合、同期源が第１の基地局又は第３のUEであると決定するように具体的に構成される。任意選択で、第１の基地局は、第１のUE200のサービング基地局でもよく、第３のUEは、GNSSと直接同期したUEでもよい。
【０５９３】
任意選択で、GNSS信号が第２の決定ユニット220により検出されることは、GNSS信号が第２の決定ユニット220により検出されない場合、第２の決定ユニット220がタイマを開始し、次にGNSS信号がタイマの持続時間内に検出されることでもよい。GNSS信号が第２の決定ユニット220により検出されないことは、GNSS信号が第２の決定ユニット220により検出されない場合、第２の決定ユニット220がタイマを開始し、GNSS信号がタイマの持続時間内に依然として検出されないことでもよい。
【０５９４】
本発明のこの実施例では、GNSS信号が第２の決定ユニット220により検出されることは、信号強度が予め設定された信号強度閾値以上であるGNSS信号が第２の決定ユニット220により検出されることでもよい。GNSS信号が第２の決定ユニット220により検出されないことは、GNSS信号が第２の決定ユニット220により検出されないこと、又は信号強度が予め設定された信号強度閾値未満であるGNSS信号が検出されたことでもよい。
【０５９５】
信号強度閾値は予め規定されてもよく、例えば、第１のUEに予め設定されてもよい。代替として、信号強度閾値はシグナリングを使用することにより第１の基地局により指示されてもよい。第１のUE200は、第１の基地局のシグナリング指示を受信し、信号強度閾値を取得するように構成された受信ユニットを含んでもよい。
【０５９６】
さらに、図１８に示す第１のUE200は、同期源との時間調整を完了した後に、第１のリンク上で制御情報を送出するか、或いは第１のリンク上で制御情報及びデータを送出するように構成された送出ユニットを更に含んでもよい。
【０５９７】
任意選択で、送出ユニットは、第１のリンク上で制御情報を送出するように構成されてもよい。さらに、送出ユニットは、第１のリンク上でデータを送出する（或いはデータ及び系列を送出する）ように更に構成されてもよい。
【０５９８】
例では、第１のUE200が第１のタイプのUEであるとき、送出ユニットは、第１のリンク上でデータ及び予め規定された長さのZC系列を送出するように構成されてもよい。第１のUE200が第２のタイプのUEである場合、送出ユニットは、第１のリンク上でデータ及び第１の系列を送出するように構成されてもよい。第１の系列について、前述の方法の実施例における関係する説明に参照が行われてもよく、繰り返しを回避するために、詳細はここでは再び説明しない。
【０５９９】
本発明のこの実施例では、受信ユニットは受信機により実現されてもよく、第１の決定ユニット210及び第２の決定ユニット220はプロセッサにより実現されてもよく、送出ユニットは送信機により実現されてもよい点に留意すべきである。図１９に示すように、第１のUE200は、プロセッサ181と、受信機182と、送信機183と、メモリ184とを含んでもよい。メモリ184は、速度閾値、速度等級閾値等を記憶するように構成されてもよく、プロセッサ181により実行されるべきコード等を記憶するように更に構成されてもよい。
【０６００】
第１のUE200のコンポーネントは、バスシステム185を使用することにより一緒に結合される。バスシステム185は、データバスに加えて、電力バス、制御バス及び状態信号バスを含む。
【０６０１】
図１８に示す第１のUE200又は図１９に示す第１のUE200は、図１２の方法の実施例における第１のUEにより実現される各プロセスを実現できる。繰り返しを回避するために、詳細はここでは再び説明しない。
【０６０２】
図２０は、本発明の実施例によるシステムチップの概略構成図である。図２０におけるシステムチップ1900は、入力インタフェース1910と、出力インタフェース1920と、少なくとも１つのプロセッサ1930と、メモリ1940とを含む。入力インタフェース1910、出力インタフェース1920、プロセッサ1930及びメモリ1940は、バスを使用することにより接続される。プロセッサ1930は、メモリ1940内のコードを実行するように構成される。コードが実行されるとき、プロセッサ1930は、図１２における第１のUEにより実行される情報送信方法を実現する。
【０６０３】
図２１は、本発明の他の実施例によるユーザ装置の構成ブロック図である。図２１に示す第１のUE300は、処理ユニット310と、送出ユニット320とを含む。
【０６０４】
処理ユニット310は、制御情報に基づいてスケジューリングされたデータの送信回数を決定し、データの送信回数に基づいて制御情報の送信方式を決定するように構成される。
【０６０５】
送出ユニット320は、第１のリンク上でその送信方式で制御情報を送出するように構成される。
【０６０６】
任意選択で、処理ユニット310は、第１のUEの速度情報に基づいてデータの送信回数を決定してもよい。任意選択で、処理ユニット310は、第１のUEの第１の速度情報に基づいて、制御情報に基づいてスケジューリングされたデータの送信回数を決定し、データの送信回数に基づいて制御情報の送信方式を決定するように構成されてもよい。
【０６０７】
第１の速度情報は、第１のUE300の速度を示すために使用されてもよい。例えば、第１の速度情報は、絶対速度、相対速度、加速度等の形式で表されてもよい。
【０６０８】
例えば、第１のUE300が第１のタイプのUEであるとき、送信回数はN1であり、第１のUE300が第２のタイプのUEであるとき、送信回数はN2である。任意選択で、N1＜N2である。
【０６０９】
本発明のこの実施例では、データの送信回数は予め規定されてもよい。例えば、データの送信回数は第１のUEに予め設定されるか、或いは高速UEのデータの送信回数はプロトコルにおいて予め指定される。代替として、データの送信回数は、第２のUEのサービング基地局により送出された情報から、第１のUEにより取得されてもよい。代替として、データの送信回数は、以下の情報、すなわち、第１のUEの第１の速度情報、第１のUE及び／又は第２のUEの地理的位置情報、第１のUEの信号品質、第２のUEにより送出されたデータ及び／又は信号の信号品質等のうち少なくとも１つに基づいて、第１のUEにより決定される。これは本発明では限定されない。
【０６１０】
データの送信回数が第２のUEのサービング基地局により送出された情報から第１のUEにより取得される場合、第１のUEは、第２のUEのサービング基地局により送出された情報を受信するように構成された受信ユニットを更に含んでもよいことが理解できる。
【０６１１】
任意選択で、送信方式は、以下のもの、すなわち、制御情報により使用される送信リソース、制御情報の巡回冗長検査CRCマスク、制御情報のスクランブル系列、制御情報を搬送する制御チャネルにより使用される復調参照信号、制御情報を送信するために占有される物理リソースのサイズ、制御情報により使用される変調及び符号化方式MCS、並びに制御情報の送信回数のうち少なくとも１つを含む。
【０６１２】
任意選択で、実施例では、データの送信回数が異なるとき、制御情報内の有効フィールドが異なる。
【０６１３】
任意選択で、制御情報は、データの送信回数及びデータの各送信に使用される時間周波数リソースの指示情報を含む。
【０６１４】
任意選択で、他の例では、データの送信回数がNであり、制御情報は、N回の送信のうちM回に使用される時間周波数リソースを含み、それにより、制御情報の受信端は、制御情報に含まれるM回の送信に使用される時間周波数リソースに基づいて、N回の送信に使用される時間周波数リソースを決定し、M＜Nであり、M及びNは正の整数である。
【０６１５】
例えば、データの送信回数が4であるとき、制御情報内の第１のフィールド及び制御情報内の第２のフィールドは、４回の送信の中の２回に使用される時間周波数リソースを含む。
【０６１６】
任意選択で、他の実施例では、データの送信回数が1より多く、同じ周波数ドメインリソースがデータの各送信に使用され、制御情報は、同じ周波数ドメインリソースと、データの１回より多い送信に１対１に対応する複数の時間ドメインリソースの指示情報とを含む。
【０６１７】
任意選択で、他の実施例では、制御情報は、現在の送信回数の指示情報を更に含んでもよく、及び／又は制御情報は、第１のUEの速度指示情報を更に含んでもよい。
【０６１８】
例えば、制御情報は、第１のUE300の第１の速度情報を含んでもよい。
【０６１９】
任意選択で、他の実施例では、送出ユニット320は、制御情報に基づいて第１のリンク上でデータを送出するように更に構成されてもよい。
【０６２０】
代替として、送出ユニット320は、制御情報に基づいて第１のリンク上でデータ及び系列を送出するように更に構成されてもよい。
【０６２１】
具体的には、送出ユニット320は、制御情報より示された送信リソースを使用することにより、第１のリンク上でデータを送出（或いはデータ及び系列を送出）してもよい。
【０６２２】
例えば、第１のUE300が第１のタイプのUEである場合、送出ユニット320は、第１のリンク上でデータ及び予め規定された長さのZC系列を送出するように構成されてもよい。第１のUE300が第２のタイプのUEである場合、送出ユニット320は、第１のリンク上でデータ及び第１の系列を送出するように構成されてもよい。第１の系列について、前述の方法の実施例における関係する説明に参照が行われてもよく、繰り返しを回避するために、詳細はここでは再び説明しない。
【０６２３】
任意選択で、制御情報及びデータは異なるサブフレームに位置してもよく、或いは制御情報及びデータは同じサブフレームに位置してもよい。任意選択で、制御情報はPSCCHで搬送されてもよく、データはPSSCHで搬送されてもよい。
【０６２４】
制御情報及びデータが同じサブフレームに位置する場合、処理ユニット310は、制御情報の第１の送信電力及びデータの第２の送信電力を決定し、第１の送信電力と第２の送信電力との和が最大送信電力より大きい場合、第１の電力が第１の送信電力を第１の換算値で乗算することにより取得された値であると決定し、第２の電力が第２の送信電力を第２の換算値で乗算することにより取得された値であると決定し、それにより、第１の電力と第２の電力との和が最大送信電力以下になるように更に構成されてもよい。さらに、送出ユニット320は、第１の電力を使用することにより第１のリンク上で制御情報を送出し、第２の電力を使用することにより第１のリンク上でデータを送出するように具体的に構成される。第１の換算値及び第２の換算値は等しいか、或いは等しくない。
【０６２５】
第１の送信電力及び第２の送信電力は、開ループ送信電力でもよい。第１の換算値はw1として表され、第２の換算値はw2として表され、w1=w2又はw1≠w2である。
【０６２６】
本発明のこの実施例では、受信ユニットは受信機により実現されてもよく、処理ユニット310はプロセッサにより実現されてもよく、送出ユニット320は送信機により実現されてもよい点に留意すべきである。図２２に示すように、第２のUE300は、プロセッサ211と、受信機212と、送信機213と、メモリ214とを含んでもよい。メモリ214は、プロセッサ211により実行されるべきコード等を記憶するように構成されてもよい。
【０６２７】
第１のUE300のコンポーネントは、バスシステム215を使用することにより一緒に結合される。バスシステム215は、データバスに加えて、電力バス、制御バス及び状態信号バスを含む。
【０６２８】
図２１に示す第１のUE300又は図２２に示す第１のUE300は、図１３の方法の実施例における第１のUEにより実現される各プロセスを実現できる。繰り返しを回避するために、詳細はここでは再び説明しない。
【０６２９】
図２３は、本発明の実施例によるシステムチップの概略構成図である。図２３におけるシステムチップ2200は、入力インタフェース2210と、出力インタフェース2220と、少なくとも１つのプロセッサ2230と、メモリ2240とを含む。入力インタフェース2210、出力インタフェース2220、プロセッサ2230及びメモリ2240は、バスを使用することにより接続される。プロセッサ2230は、メモリ2240内のコードを実行するように構成される。コードが実行されるとき、プロセッサ2230は、図１３における第１のUEにより実行される情報送信方法を実現する。
【０６３０】
図２４は、本発明の他の実施例によるユーザ装置の構成ブロック図である。図２４に示す第２のUE500は、受信ユニット510と、処理ユニット520とを含む。
【０６３１】
受信ユニット510は、第１のリンク上で、第１のUEにより送出された制御情報を受信するように構成される。
【０６３２】
処理ユニット520は、受信ユニット510により受信された制御情報に基づいてスケジューリングされたデータの送信回数の指示情報を取得するように構成され、制御情報内の各送信に対応するフィールドから、各送信に使用される時間周波数リソースを取得するように更に構成される。
【０６３３】
制御情報は、データの送信回数及び各送信に使用される時間周波数リソースを示すために使用されてもよい。データの送信回数は、第１のUEの速度情報に基づいて第１のUEにより決定されてもよい。例えば、データの送信回数は、第１のUEの第１の速度情報に基づいて第１のUEにより決定されてもよい。
【０６３４】
任意選択で、制御情報は、現在の送信回数の指示情報を更に含んでもよく、及び／又は制御情報は、第１のUEの速度指示情報を更に含んでもよい。現在の送信回数は、制御情報の現在の送信回数である。
【０６３５】
任意選択で、データの送信回数が1より多い場合、同じ周波数ドメインリソースがデータの各送信に使用され、制御情報は、同じ周波数ドメインリソースと、データの１回より多い送信に１対１に対応する複数の時間ドメインリソースの指示情報とを含んでもよい。
【０６３６】
例では、処理ユニット520は、データの送信回数が1であるとき、制御情報内の第１のフィールドから、この送信に使用される時間周波数リソースを取得し、データの送信回数が2であるとき、制御情報内の第１のフィールドから、２回の送信のうち最初の送信に使用される時間周波数リソースを取得し、制御情報内の第２のフィールドから、２回の送信のうち２回目の送信に使用される時間周波数リソースを取得し、データの送信回数が4であるとき、制御情報内の第１のフィールドから、４回の送信のうち最初の送信に使用される時間周波数リソースを取得し、制御情報内の第２のフィールドから、４回の送信のうち２回目の送信に使用される時間周波数リソースを取得し、制御情報内の第３のフィールドから、４回の送信のうち３回目の送信に使用される時間周波数リソースを取得し、制御情報内の第４のフィールドから、４回の送信のうち４回目の送信に使用される時間周波数リソースを取得するように具体的に構成される。
【０６３７】
他の例では、処理ユニット520は、データの送信回数が4であるとき、制御情報内の第１のフィールド及び制御情報内の第２のフィールドから、４回の送信のうち２回に使用される時間周波数リソースを取得し、４回の送信のうち２回に使用される時間周波数リソースに基づいて、４回の送信のうち他の２回に使用される時間周波数リソースを決定するように具体的に構成される。
【０６３８】
本発明のこの実施例では、異なる送信回数について、制御情報を搬送する制御チャネルの送信方式は同じでもよく、或いは異なってもよい。
【０６３９】
異なる送信回数について制御情報を搬送する制御チャネルの送信方式が異なる場合、処理ユニット520は、データの送信回数に基づいて制御情報の送信方式を決定し、送信方式は、少なくとも２つの予め規定された送信方式のうち１つであり、送信方式に基づいて各送信に使用される時間周波数リソースを取得するように具体的に構成される。
【０６４０】
本発明のこの実施例では、送信方式は、以下のもの、すなわち、制御情報により使用される送信リソース、制御情報の巡回冗長検査CRCマスク、制御情報のスクランブル系列、制御情報を搬送する制御チャネルにより使用される復調参照信号、制御情報を送信するために占有される物理リソースのサイズ、制御情報により使用される変調及び符号化方式MCS、並びに制御情報の送信回数のうち少なくとも１つを含んでもよい。
【０６４１】
さらに、受信ユニット510は、制御情報に基づいて第１のリンク上でデータを受信するように構成されてもよい。代替として、受信ユニット510は、制御情報に基づいて第１のリンク上でデータ及び系列を送出するように更に構成されてもよい。
【０６４２】
例えば、第１のUEが第１のタイプのUEである場合、受信ユニット510は、第１のリンク上で、制御情報に基づいて、第１のUEにより送出されたデータ及びZC系列を受信する。第１のUEが第２のタイプのUEである場合、受信ユニット510は、第１のリンク上で、制御情報に基づいて、第１のUEにより送出されたデータ及び第１の系列を受信する。第１の系列について、前述の実施例における関係する説明に参照が行われてもよく、繰り返しを回避するために、詳細はここでは再び説明しない。
【０６４３】
制御情報は制御チャネルで搬送されてもよく、データはサービスチャネルで搬送されてもよい。例えば、制御チャネルはPSCCHでもよく、サービスチャネルはPSSCHでもよい。
【０６４４】
本発明のこの実施例では、制御情報及びデータは異なるサブフレームに位置してもよく、或いは制御情報及びデータは同じサブフレームに位置してもよい。
【０６４５】
さらに、図２４に示す第２のUE500は、データのための送達確認メッセージ、例えば、ACK又はNACKを第１のUEに送出するように構成されてもよい送出ユニットを更に含んでもよい。
【０６４６】
本発明のこの実施例では、受信ユニット510は受信機により実現されてもよく、処理ユニット520はプロセッサにより実現されてもよく、送出ユニットは送信機により実現されてもよい点に留意すべきである。図２５に示すように、第２のUE500は、プロセッサ251と、受信機252と、送信機253と、メモリ254とを含んでもよい。メモリ254は、プロセッサ251により実行されるべきコード等を記憶するように構成されてもよい。
【０６４７】
第２のUE500のコンポーネントは、バスシステム255を使用することにより一緒に結合される。バスシステム255は、データバスに加えて、電力バス、制御バス及び状態信号バスを含む。
【０６４８】
図２４に示す第２のUE500又は図２５に示す第２のUE500は、図１４の方法の実施例における第２のUEにより実現される各プロセスを実現できる。繰り返しを回避するために、詳細はここでは再び説明しない。
【０６４９】
図２６は、本発明の実施例によるシステムチップの概略構成図である。図２６におけるシステムチップ2600は、入力インタフェース2610と、出力インタフェース2620と、少なくとも１つのプロセッサ2630と、メモリ2640とを含む。入力インタフェース2610、出力インタフェース2620、プロセッサ2630及びメモリ2640は、バスを使用することにより接続される。プロセッサ2630は、メモリ2640内のコードを実行するように構成される。コードが実行されるとき、プロセッサ2630は、図１４における第２のUEにより実行される情報送信方法を実現する。
【０６５０】
図２７は、本発明の実施例による基地局の構成ブロック図である。図２７に示す第１の基地局400は、受信ユニット410と、処理ユニット420と、送出ユニット430とを含む。
【０６５１】
受信ユニット410は、少なくとも１つのUEにより送出された速度情報を受信するように構成される。
【０６５２】
処理ユニット420は、受信ユニット410により受信された少なくとも１つのUEの速度情報に基づいて第１のリソースセット及び第２のリソースセットを決定するように構成される。
【０６５３】
送出ユニット430は、第２のリンク上で第１の指示情報を少なくとも１つのUEに送出するように構成され、第１の指示情報は、第１のリソースセット及び第２のリソースセットを示すために使用される。
【０６５４】
任意選択で、送出ユニット430は、ブロードキャスト又はマルチキャスト方式で第２のリンク上で第１の指示情報を送出してもよい。
【０６５５】
少なくとも１つのUEは第１のUEを含む。第１の指示情報は、第１のリソースセットが第１のタイプのUEに使用され、第２のリソースセットが第２のタイプのUEに使用されることを示すために使用される。この場合、第１のUEが第１のタイプのUEである場合、第１のUEは、第１の指示情報に基づいて第１のリソースセット又は第１のリソースセットの第１のリソースサブセットから第１の送信リソースを決定する。第１のUEが第２のタイプのUEである場合、第１のUEは、第１の指示情報に基づいて第２のリソースセット又は第２のリソースセットの第２のリソースサブセットから第２の送信リソースを決定する。
【０６５６】
任意選択で、第１の指示情報は、第１のリソースセット内の第１のリソースサブセットの位置を更に示してもよい。位置は、時間ドメイン位置又は周波数ドメイン位置又は時間周波数位置でもよい。任意選択で、第１の指示情報は、第２のリソースセット内の第２のリソースサブセットの位置を更に示してもよい。位置は、時間ドメイン位置又は周波数ドメイン位置又は時間周波数位置でもよい。
【０６５７】
任意選択で、第１のリソースセット及び第２のリソースセットは同じリソースセットである。任意選択で、第２のリソースセットは第１のリソースセットのサブセットである。この場合、第１の指示情報は、第１のリソースセット内の第２のリソースサブセットの位置を更に示してもよい。位置は、時間ドメイン位置又は周波数ドメイン位置又は時間周波数位置でもよい。
【０６５８】
任意選択で、第１の指示情報は、予め設定された速度閾値を更に示してもよく、それにより、少なくとも１つのUEは、少なくとも１つのUEが第１のタイプのUEであるか第２のタイプのUEであるかを決定する。
【０６５９】
任意選択で、受信ユニット410は、第１のUEにより送出されたリソース要求情報を受信するするように更に構成されてもよい。処理ユニット420は、リソースを第１のUEに割り当て、送出ユニット430は、第５の送信リソースの指示情報を第１のUEに送出する。リソース要求情報は、速度に関するSR又はBSRでもよい。
【０６６０】
さらに、受信ユニット410は、第２のリンク上で、第５の送信リソースを使用することにより第１のUEにより送出された第１のリンクのデータを受信してもよく、送出ユニット430は、第１のリンクのデータを第２のUEに送出してもよい。第２のUEは第１のリンクのデータの受信端である。
【０６６１】
本発明のこの実施例では、受信ユニット410は受信機により実現されてもよく、処理ユニット420はプロセッサにより実現されてもよく、送出ユニット430は送信機により実現されてもよい点に留意すべきである。図２８に示すように、第１の基地局400は、プロセッサ241と、受信機242と、送信機243と、メモリ244とを含んでもよい。メモリ244は、速度閾値、速度等級閾値等を記憶するように構成されてもよく、プロセッサ241により実行されるべきコード等を記憶するように更に構成されてもよい。
【０６６２】
第１の基地局400のコンポーネントは、バスシステム245を使用することにより一緒に結合される。バスシステム245は、データバスに加えて、電力バス、制御バス及び状態信号バスを含む。
【０６６３】
図２７に示す第１の基地局400又は図２８に示す第１の基地局400は、前述の方法の実施例における第１の基地局により実現される各プロセスを実現できる。繰り返しを回避するために、詳細はここでは再び説明しない。
【０６６４】
図２９は、本発明の実施例によるシステムチップの概略構成図である。図２９におけるシステムチップ2500は、入力インタフェース2510と、出力インタフェース2520と、少なくとも１つのプロセッサ2530と、メモリ2540とを含む。入力インタフェース2510、出力インタフェース2520、プロセッサ2530及びメモリ2540は、バスを使用することにより接続される。プロセッサ2530は、メモリ2540内のコードを実行するように構成される。コードが実行されるとき、プロセッサ2530は、前述の方法の実施例における第１の基地局により実行される情報送信方法を実現する。
【０６６５】
本発明の実施例におけるプロセッサは、信号処理能力を有する集積回路チップでもよいことが理解できる。実現プロセスにおいて、前述の方法の実施例におけるステップは、プロセッサ内のハードウェア集積論理回路を使用することにより、或いはソフトウェアの形式の命令を使用することにより実現できる。プロセッサは、汎用プロセッサ、デジタルシグナルプロセッサ（Digital  Signal  Processor,  DSP）、特定用途向け集積回路（Application  Specific  Integrated  Circuit,  ASIC）、フィールドプログラマブルゲートアレイ（Field  Programmable  Gate  Array,  FPGA）若しくは他のプログラム可能論理デバイス、ディスクリートゲート、トランジスタ論理デバイス又はディスクリートハードウェアコンポーネントでもよい。これは、本発明の実施例に開示された方法、ステップ及び論理ブロック図を実現又は実行してもよい。汎用プロセッサは、マイクロプロセッサでもよく、或いはプロセッサは、いずれかの従来のプロセッサ等でもよい。本発明の実施例を参照して開示した方法のステップは、ハードウェアデコーディングプロセッサにより直接実行及び遂行されてもよく、或いはデコーディングプロセッサ内のハードウェア及びソフトウェアモジュールの組み合わせを使用することにより実行及び遂行されてもよい。ソフトウェアモジュールは、ランダムメモリ、フラッシュメモリ、読み取り専用メモリ、プログラム可能読み取り専用メモリ、電気的消去可能プログラム可能メモリ、レジスタ等のような当該技術分野における成熟した記憶媒体に位置してもよい。記憶媒体は、メモリに位置し、プロセッサは、メモリ内の情報を読み取り、プロセッサのハードウェアと共に前述の方法におけるステップを完了する。
【０６６６】
本発明の実施例におけるメモリは、揮発性メモリ又は不揮発性メモリでもよく、或いは揮発性メモリ及び不揮発性メモリを含んでもよいことが理解され得る。不揮発性メモリは、読み取り専用メモリ（Read-Only  Memory、ROM）、プログラム可能読み取り専用メモリ（Programmable  ROM、PROM）、消去可能プログラム可能読み取り専用メモリ（Erasable  PROM、EPROM）、電気的消去可能プログラム可能読み取り専用メモリ（Electrically  EPROM、EEPROM）又はフラッシュメモリでもよい。揮発性メモリは、外部キャッシュとして使用されるランダムアクセスメモリ（Random  Access  Memory、RAM）でもよい。限定的な説明ではなく例を通じて、多くの形式のRAMは、例えば、スタティックランダムアクセスメモリ（Static  RAM、SRAM）、ダイナミックランダムアクセスメモリ（Dynamic  RAM、DRAM）、シンクロナス・ダイナミックランダムアクセスメモリ（Synchronous  DRAM、SDRAM）、ダブルデータレート・シンクロナス・ダイナミックランダムアクセスメモリ（Double  Data  Rate  SDRAM、DDR  SDRAM）、エンハンスト・シンクロナス・ダイナミックランダムアクセスメモリ（Enhanced  SDRAM、ESDRAM）、シンクロナスリンク・ダイナミックランダムアクセスメモリ（Synchlink  DRAM、SLDRAM）、及びダイレクト・ランバス・ランダムアクセスメモリ（Direct  Rambus  RAM、DR  RAM）でもよい。この明細書に記載のシステム及び方法のメモリは、前述のメモリ及び適切なタイプのいずれかのメモリを含んでもよく、これらに限定されない点に留意すべきである。
【０６６７】
当業者は、この明細書に開示された実施例に記載の例と組み合わせて、ユニット及びアルゴリズムのステップが、電子ハードウェア、又はコンピュータソフトウェアと電子ハードウェアとの組み合わせにより実現されてもよいことを認識し得る。機能がハードウェアにより実行されるかソフトウェアにより実行されるかは、技術的解決策の特定の用途及び設計上の制約条件に依存する。当業者は、特定の用途毎に記載の機能を実現するために異なる方法を使用してもよいが、実現方式が本発明の範囲を超えると考えられるべきではない。
【０６６８】
便宜上且つ簡潔な説明の目的で、前述のシステム、装置及びユニットの詳細な動作プロセスについて、前述の方法の実施例における対応するプロセスに参照が行われてもよく、詳細はここでは再び説明しないことが当業者により明確に理解され得る。
【０６６９】
この出願において提供されるいくつかの実施例において、開示のシステム、装置及び方法は、他の方式で実現されてもよいことが理解されるべきである。例えば、記載の装置の実施例は、単なる例である。例えば、ユニットの分割は、単に論理的な機能分割であり、実際の実現方式では他の分割でもよい。例えば、複数のユニット又はコンポーネントは結合されてもよく、或いは他のシステムに統合されてもよく、或いはいくつかの特徴が無視されてもよく或いは実行されなくてもよい。さらに、表示又は説明した相互結合若しくは直接結合又は通信接続は、いくつかのインタフェースを使用することにより実現されてもよい。装置又はユニットの間の間接結合又は通信接続は、電子的、機械的或いは他の形式で実現されてもよい。
【０６７０】
別々の部分として記載したユニットは、物理的に別々でもよく或いは別々でなくてもよく、ユニットとして表示された部分は、物理的なユニットでもよく或いは物理的なユニットでなくてもよく、１つの場所に位置してもよく、或いは複数のネットワークユニットに分散されてもよい。ユニットの一部又は全部は、実施例の解決策の目的を達成するために、実際の要件に依存して選択されてもよい。
【０６７１】
さらに、本発明の実施例における機能ユニットは、１つの処理ユニットに統合されてもよく、或いはユニットのそれぞれが物理的に単独で存在してもよく、或いは２つ以上のユニットが１つのユニットに統合される。
【０６７２】
機能がソフトウェア機能ユニットの形式で実現され、独立したプロダクトとして販売又は使用されるとき、機能は、コンピュータ読み取り可能記憶媒体に記憶されてもよい。このような理解に基づいて、本発明の技術的解決策は、本質的に、或いは、従来技術に寄与する部分又は技術的解決策の一部は、ソフトウェアプロダクトの形式で実現されてもよい。コンピュータソフトウェアプロダクトは、記憶媒体に記憶され、コンピュータデバイス（パーソナルコンピュータ、サーバ、ネットワークデバイス等でもよい）に対して本発明の実施例に記載の方法のステップの全部又は一部を実行するように命令するためのいくつかの命令を含む。前述の記憶媒体は、USBフラッシュドライブ、取り外し可能ハードディスク、読み取り専用メモリ（Read-Only  Memory,  ROM）、ランダムアクセスメモリ（Random  Access  Memory,  RAM）、磁気ディスク又は光ディスクのようなプログラムコードを記憶できるいずれかの媒体を含む。
【０６７３】
前述の説明は、本発明の単に具体的な実現方式に過ぎず、本発明の保護範囲を限定することを意図するものではない。本発明に開示された技術範囲内で当業者により容易に理解される如何なる変更又は置換も本発明の保護範囲内に入るものとする。したがって、本発明の保護範囲は、特許請求の範囲の保護範囲に従うものとする。
【図１】
2020092446.tif 000015
【図２】
2020092446.tif 000016
【図３】
2020092446.tif 000017
【図４】
2020092446.tif 000018
【図５】
2020092446.tif 000019
【図６】
2020092446.tif 000020
【図７】
2020092446.tif 000021
【図８】
2020092446.tif 000022
【図９】
2020092446.tif 000023
【図１０】
2020092446.tif 000024
【図１１】
2020092446.tif 000025
【図１２】
2020092446.tif 000026
【図１３】
2020092446.tif 000027
【図１４】
2020092446.tif 000028
【図１５】
2020092446.tif 000029
【図１６】
2020092446.tif 000030
【図１７】
2020092446.tif 000031
【図１８】
2020092446.tif 000032
【図１９】
2020092446.tif 000033
【図２０】
2020092446.tif 000034
【図２１】
2020092446.tif 000035
【図２２】
2020092446.tif 000036
【図２３】
2020092446.tif 000037
【図２４】
2020092446.tif 000038
【図２５】
2020092446.tif 000039
【図２６】
2020092446.tif 000040
【図２７】
2020092446.tif 000041
【図２８】
2020092446.tif 000042
【図２９】
2020092446.tif 000043
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
第１のユーザ装置UEにより、前記第１のUEの第１の速度情報を決定するステップと、
前記第１のUEにより、前記第１の速度情報に基づいて制御情報の送信方式を決定するステップと、
前記第１のUEにより、第１のリンク上で前記送信方式で前記制御情報を送出するステップと
を含む情報送信方法。
【請求項２】
前記送信方式は、以下のもの、すなわち、
前記制御情報により使用される送信リソース、
前記制御情報の巡回冗長検査CRCマスク、
前記制御情報のスクランブル系列、
前記制御情報を搬送する制御チャネルにより使用される復調参照信号、
前記制御情報を送信するために占有される物理リソースのサイズ、
前記制御情報により使用される変調及び符号化方式MCS、並びに
前記制御情報の送信回数
のうち少なくとも１つを含む、請求項１に記載の方法。
【請求項３】
前記第１のUEにより、前記第１の速度情報に基づいて制御情報の送信方式を決定する前に、
前記第１のUEにより、第２のリンク上で前記第１の速度情報を第１の基地局に送出するステップであり、前記第１の速度情報は、前記第１のUEの速度又は前記第１のUEの速度等級情報を含む、ステップ
を更に含む、請求項１又は２に記載の方法。
【請求項４】
前記第１のUEにより、第２のリンク上で前記第１の速度情報を第１の基地局に送出するステップは、
前記第１のUEにより、前記第２のリンク上で前記第１の速度情報を前記第１の基地局に周期的に送出するステップ、又は
前記第１のUEの前記速度が変化したとき、前記第１のUEにより、前記第２のリンク上で前記第１の速度情報を前記第１の基地局に送出するステップ、又は
前記第１の基地局から前記第１のUEの速度情報を報告する命令を受信した後に、前記第１のUEにより、前記第２のリンク上で前記第１の速度情報を前記第１の基地局に送出するステップ
を含む、請求項３に記載の方法。
【請求項５】
前記第１のUEにより、前記第１の速度情報に基づいて制御情報の送信方式を決定するステップは、
前記第１のUEが、前記第１の速度情報に基づいて、前記第１のUEが第１のタイプのUEであると決定した場合、前記制御情報の前記送信方式が第１の送信方式であると決定するステップ、又は
前記第１のUEが、前記第１の速度情報に基づいて、前記第１のUEが第２のタイプのUEであると決定した場合、前記制御情報の前記送信方式が第２の送信方式であると決定するステップ
を含み、
前記第１のタイプのUEは非高速UEであり、前記第２のタイプのUEは高速UEである、請求項１乃至４のうちいずれか１項に記載の方法。
【請求項６】
前記第１の送信方式は第１の送信リソースを含み、前記第２の送信方式は第２の送信リソースを含み、
前記第１のUEにより、前記第１の速度情報に基づいて制御情報の送信方式を決定するステップは、
前記第１のUEが、前記第１の速度情報に基づいて、前記第１のUEが前記第１のタイプのUEであると決定した場合、第１のリソースセット又は前記第１のリソースセットの第１のリソースサブセットから前記第１の送信リソースを決定するステップであり、前記第１のリソースサブセットは予め規定される、ステップ、又は
前記第１のUEが、前記第１の速度情報に基づいて、前記第１のUEが前記第２のタイプのUEであると決定した場合、第２のリソースセット又は前記第２のリソースセットの第２のリソースサブセットから前記第２の送信リソースを決定するステップであり、前記第２のリソースサブセットは予め規定される、ステップ
を含む、請求項５に記載の方法。
【請求項７】
前記第１のUEにより、前記第１の速度情報に基づいて制御情報の送信方式を決定する前に、
前記第１のUEにより、前記第２のリンク上で、前記第１の基地局により送出された第１の指示情報を受信するステップであり、前記第１の指示情報は、前記第１のリソースセット及び前記第２のリソースセットを示すために使用される、ステップ
を更に含む、請求項６に記載の方法。
【請求項８】
前記第１のリソースセット及び前記第２のリソースセットは同じリソースセットであるか、或いは前記第２のリソースセットは前記第１のリソースセットのサブセットである、請求項６又は７に記載の方法。
【請求項９】
前記制御情報は前記第１の速度情報を含み、
前記第１のUEにより、第１のリンク上で前記送信方式で前記制御情報を送出するステップは、
前記第１のUEにより、前記第１のリンク上で前記送信方式で前記第１の速度情報を第２のUEに送出するステップ
を含む、請求項１乃至８のうちいずれか１項に記載の方法。
【請求項１０】
ユーザ装置UEであり、前記UEは第１のUEであるユーザ装置UEであって、
前記第１のUEの第１の速度情報を決定するように構成された処理ユニットであり、前記処理ユニットは、前記第１の速度情報に基づいて制御情報の送信方式を決定するように更に構成される、処理ユニットと、
第１のリンク上で、前記処理ユニットにより決定された前記送信方式で前記制御情報を送出するように構成された送出ユニットと
を含むユーザ装置UE。
【請求項１１】
前記送信方式は、以下のもの、すなわち、
前記制御情報により使用される送信リソース、
前記制御情報の巡回冗長検査CRCマスク、
前記制御情報のスクランブル系列、
前記制御情報を搬送する制御チャネルにより使用される復調参照信号、
前記制御情報を送信するために占有される物理リソースのサイズ、
前記制御情報により使用される変調及び符号化方式MCS、並びに
前記制御情報の送信回数
のうち少なくとも１つを含む、請求項１０に記載のユーザ装置。
【請求項１２】
前記送出ユニットは、第２のリンク上で前記第１の速度情報を第１の基地局に送出するように更に構成され、前記第１の速度情報は、前記第１のUEの速度又は前記第１のUEの速度等級情報を含む、請求項１０又は１１に記載のユーザ装置。
【請求項１３】
受信ユニットを更に含み、
前記送出ユニットは、
前記第２のリンク上で前記第１の速度情報を前記第１の基地局に周期的に送出するか、或いは
前記第１のUEの前記速度が変化したとき、前記第２のリンク上で前記第１の速度情報を前記第１の基地局に送出するか、或いは
前記受信ユニットが前記第１の基地局から前記第１のUEの速度情報を報告する命令を受信した後に、前記第２のリンク上で前記第１の速度情報を前記第１の基地局に送出する
ように具体的に構成される、請求項１２に記載のユーザ装置。
【請求項１４】
前記処理ユニットは、
前記第１の速度情報に基づいて、前記第１のUEが第１のタイプのUEであると決定された場合、前記制御情報の前記送信方式が第１の送信方式であると決定するか、或いは
前記第１の速度情報に基づいて、前記第１のUEが第２のタイプのUEであると決定された場合、前記制御情報の前記送信方式が第２の送信方式であると決定する
ように具体的に構成され、
前記第１のタイプのUEは非高速UEであり、前記第２のタイプのUEは高速UEである、請求項１０乃至１３のうちいずれか１項に記載のユーザ装置。
【請求項１５】
前記第１の送信方式は第１の送信リソースを含み、前記第２の送信方式は第２の送信リソースを含み、
前記処理ユニットは、
前記第１の速度情報に基づいて、前記第１のUEが前記第１のタイプのUEであると決定された場合、第１のリソースセット又は前記第１のリソースセットの第１のリソースサブセットから前記第１の送信リソースを決定し、前記第１のリソースサブセットは予め規定されるか、或いは
前記第１の速度情報に基づいて、前記第１のUEが前記第２のタイプのUEであると決定された場合、第２のリソースセット又は前記第２のリソースセットの第２のリソースサブセットから前記第２の送信リソースを決定し、前記第２のリソースサブセットは予め規定される
ように具体的に構成される、請求項１４に記載のユーザ装置。
【請求項１６】
前記第２のリンク上で、前記第１の基地局により送出された第１の指示情報を受信するように構成された受信ユニットであり、前記第１の指示情報は、前記第１のリソースセット及び前記第２のリソースセットを示すために使用される、受信ユニット
を更に含む、請求項１５に記載のユーザ装置。
【請求項１７】
前記第１のリソースセット及び前記第２のリソースセットは同じリソースセットであるか、或いは前記第２のリソースセットは前記第１のリソースセットのサブセットである、請求項１５又は１６に記載のユーザ装置。
【請求項１８】
前記制御情報は前記第１の速度情報を含み、
前記送出ユニットは、前記第１のリンク上で前記送信方式で前記第１の速度情報を第２のUEに送出するように具体的に構成される、請求項１０乃至１７のうちいずれか１項に記載のユーザ装置。
【請求項１９】
コンピュータプログラムを記憶するように構成されたコンピュータ読み取り可能記憶媒体であて、
前記コンピュータプログラムは、請求項１乃至９のうちいずれか１項に記載の情報送信方法の命令を実行するために使用される、コンピュータ読み取り可能記憶媒体。
【外国語明細書】
2020092446000001.pdf